(57)【要約】  本明細書で説明される特定の実施形態は、ナノ粒子またはナノ構造などの単一系中に存在する２種類以上の分析種を検出する方法及びシステムを対象とする。一部の例では、本方法及び本システムは、データギャップを推定し、得られた検出値に強度曲線を当てはめることができるため、単一系中に存在する２種類以上の分析種の量を定量することができる。
2021511487.tif 000002
【特許請求の範囲】
【請求項１】
質量分析計を使用して、過渡サンプル中の２種類以上の分析種を表す過渡イベントを定量する方法であって、
衝突反応セル内のイオン雲の中の種々の分析種イオンのイオン速度を、前記衝突反応セルをガスで加圧することにより、別個に減少させることによって、イオン雲を広げることであって、前記イオン雲が、前記過渡サンプルの第１の分析種からのイオンと、前記過渡サンプルの第２の分析種からのイオンとを含む、前記イオン雲を広げること、
前記衝突反応セルの下流側で前記衝突反応セルに流体的に結合されている質量分析器を使用して、前記第１の分析種からの前記イオンと、前記第２の分析種からの前記イオンとを交互に選択するために、前記衝突反応セルから前記質量分析器へ、別個に減少させたイオン速度の種々の前記イオンを含む前記広げられたイオン雲を供給すること、
前記交互に選択された第１の分析種からの前記イオンと、前記第２の分析種からの前記イオンとを、前記質量分析器から、前記質量分析器に流体的に結合された下流側の検出器に供給して、前記第１の分析種からの前記供給イオンを、検出期間の間に、第１の検出値として検出するとともに、前記第２の分析種からの前記供給イオンを、前記検出期間の間に、第２の検出値として検出すること、
前記検出された第１の検出値を使用して、前記サンプル中の前記第１の分析種を表す第１の強度曲線を生成すること、
前記検出された第２の検出値を使用して、前記サンプル中の前記第２の分析種を表す第２の強度曲線を生成すること、
前記生成された第１の強度曲線を使用して、前記過渡サンプル中の前記第１の分析種の量を求めること、及び前記第２の生成された強度曲線を使用して、前記過渡サンプル中の前記第２の分析種の量を求めることを含む、前記方法。
【請求項２】
前記生成された第１の強度曲線の形状を求めるために、第１の分析種プレスキャン曲線を使用すること、及び前記第２の生成強度曲線の形状を求めるために、第２の分析種プレスキャン曲線を使用することをさらに含む、請求項１に記載の方法。
【請求項３】
前記第１の分析種の量を求めるために、前記第１の生成強度曲線のピークの高さを使用することをさらに含む、請求項２に記載の方法。
【請求項４】
前記第２の分析種の量を求めるために、前記第２の生成強度曲線のピークの高さを使用することをさらに含む、請求項３に記載の方法。
【請求項５】
前記第１の分析種の量を求めるために、前記生成された第１の強度曲線の下の面積を使用することをさらに含む、請求項２に記載の方法。
【請求項６】
前記第２の分析種の量を求めるために、前記生成された第２の強度曲線の下の面積を使用することをさらに含む、請求項５に記載の方法。
【請求項７】
前記衝突反応セル内の前記イオン雲をさらに広げるために、前記衝突反応セル内の軸方向電界強度を変更することをさらに含む、請求項１に記載の方法。
【請求項８】
前記衝突反応セル内の前記軸方向電界強度を変更するために、前記衝突反応セル内の軸方向電極に供給される電圧を下げることをさらに含む、請求項１に記載の方法。
【請求項９】
前記イオン雲をさらに広げるために、前記質量分析計のサンプリング深さを変更することをさらに含む、請求項１に記載の方法。
【請求項１０】
前記過渡サンプルを、
単一のナノ粒子、単一のナノ構造、単一のマイクロ粒子、単一のマイクロ構造、単一の細胞、または細胞の単一の細胞小器官を含むように構成することをさらに含む、請求項１に記載の方法。
【請求項１１】
質量分析計を使用して、過渡サンプル中の２種類以上の無機分析種を定量する方法であって、前記過渡サンプルが、それぞれ単一系中に存在する第１の無機分析種及び第２の無機分析種を含む、前記方法は、
前記単一系をイオン化源に導入して、前記第１の無機分析種及び前記第２の無機分析種をイオン化し、イオン化された第１の無機分析種とイオン化された第２の無機分析種とを含むイオン雲を形成すること、
前記イオン化された第１の無機分析種と、前記イオン化された第２の無機分析種とを含む前記イオン雲を、前記イオン化源に流体的に結合され、前記イオン化源の下流にある衝突反応セルに供給すること、
前記衝突反応セル内で、前記供給されたイオン雲を広げること、
前記衝突反応セルの下流側で前記衝突反応セルに流体的に結合されている質量分析器を使用して、前記イオン化された第１の無機分析種からのイオンと、前記イオン化された第２の無機分析種からのイオンとを交互に選択するために、前記衝突反応セルから前記質量分析器へ、前記広げられたイオン雲を供給すること、
前記イオン化された第１の無機分析種からの前記交互に選択されたイオンと、前記イオン化された第２の無機分析種からの前記イオンとを、前記質量分析器から、前記質量分析器に流体的に結合された下流側の検出器に供給して、前記イオン化された第１の無機分析種からの前記供給イオンを、検出期間の間に、第１の検出値として検出するとともに、前記供給されイオン化された第２の無機分析種からの前記イオンを、前記検出期間の間に、第２の検出値として検出すること、
前記検出された第１の検出値を使用して、前記単一系中の前記第１の無機分析種を表す第１の強度曲線を生成すること、
前記検出された第２の検出値を使用して、前記単一系中の前記第２の無機分析種を表す第２の強度曲線を生成すること、
前記生成された第１の強度曲線を使用して、前記単一系中の前記第１の分析種の量を求めること、及び前記生成された第２の強度曲線を使用して、前記単一系中の前記第２の分析種の量を求めることを含む、前記方法。
【請求項１２】
前記衝突反応セル内の圧力を変更すること、もしくは前記衝突反応セル内の軸方向電界強度を変更すること、またはその両方を行って、前記供給されたイオン雲の中のイオンのイオン速度を別個に減少させることによって、前記衝突反応セル内で、前記供給されたイオン雲を広げることをさらに含む、請求項１１に記載の方法。
【請求項１３】
前記生成された第１の強度曲線の形状を求めるために、第１の分析種プレスキャン曲線を使用すること、及び前記第２の生成強度曲線の形状を求めるために、第２の分析種プレスキャン曲線を使用することをさらに含む、請求項１２に記載の方法。
【請求項１４】
前記第１の分析種の量を求めるために、前記第１の生成強度曲線のピークの高さを使用することをさらに含む、請求項１３に記載の方法。
【請求項１５】
前記第２の分析種の量を求めるために、前記第２の生成強度曲線のピークの高さを使用することをさらに含む、請求項１４に記載の方法。
【請求項１６】
前記第１の分析種の量を求めるために、前記生成された第１の強度曲線の下の面積を使用することをさらに含む、請求項１３に記載の方法。
【請求項１７】
前記第２の分析種の量を求めるために、前記生成された第２の強度曲線の下の面積を使用することをさらに含む、請求項１６に記載の方法。
【請求項１８】
前記イオン雲を前記衝突反応セルに供給する前に、前記イオン雲を広げるために、前記質量分析計のサンプリング深さを変更することをさらに含む、請求項１１に記載の方法。
【請求項１９】
前記衝突反応セルの上流に配置されたイオン偏向器に前記イオン雲を供給することをさらに含む、請求項１８に記載の方法。
【請求項２０】
前記単一系を、
単一のナノ粒子、単一のナノ構造、単一のマイクロ粒子、単一のマイクロ構造、単一の細胞、または細胞の単一の細胞小器官を含むように構成することをさらに含む、請求項１１に記載の方法。
【請求項２１】
質量分析計を使用して、単一系中の２種類以上の無機分析種を定量する方法であって、前記単一系が、前記単一系中の第１の無機分析種と、前記単一系中の第２の無機分析種とを含む、前記方法は、
前記単一系をイオン化源に導入して、前記第１の無機分析種及び前記第２の無機分析種をイオン化し、前記イオン化された第１の無機分析種からのイオンと、前記イオン化された第２の無機分析種からのイオンとを含むイオン雲を形成すること、
前記イオン化された第１の無機分析種からの前記イオンと、前記イオン化された第２の無機分析種からの前記イオンとを含む前記イオン雲を、前記イオン化源に流体的に結合され、前記イオン化源の下流にある衝突反応セルに供給すること、
前記衝突反応セル内で、前記供給されたイオン雲を広げること、
前記衝突反応セルの下流側で前記衝突反応セルに流体的に結合されている質量分析器を使用して、前記イオン化された第１の無機分析種からの前記イオンと、前記イオン化された第２の無機分析種からの前記イオンとを交互に選択するために、前記衝突反応セルから前記質量分析器へ、前記広げられたイオン雲を供給すること、
前記イオン化された第１の無機分析種からの前記交互に選択されたイオンと、前記イオン化された第２の無機分析種からの前記イオンとを、前記質量分析器から、前記質量分析器に流体的に結合された下流側の検出器に供給して、前記イオン化された第１の無機分析種からの前記供給イオンを、検出期間の間に、第１の検出値として検出するとともに、前記イオン化された第２の無機分析種からの前記供給イオンを、前記検出期間の間に、第２の検出値として検出すること、
前記検出された第１の検出値を使用して、前記単一系中の前記第１の無機分析種を表す第１の強度曲線を生成すること、
前記検出された第２の検出値を使用して、前記単一系中の前記第２の無機分析種を表す第２の強度曲線を生成すること、
前記生成された第１の強度曲線を使用して、前記単一系中の前記第１の分析種の量を求めること、及び前記生成された第２の強度曲線を使用して、前記単一系中の前記第２の分析種の量を求めることを含む、前記方法。
【請求項２２】
前記イオン化源を誘導結合プラズマとして構成することをさらに含む、請求項２１に記載の方法。
【請求項２３】
前記衝突反応セル内の圧力を変更すること、もしくは前記衝突反応セル内の軸方向電界強度を変更すること、またはその両方を行って、前記供給されたイオン雲の中のイオンのイオン速度を別個に減少させることによって、前記衝突反応セル内で、前記供給されたイオン雲を広げることをさらに含む、請求項２２に記載の方法。
【請求項２４】
前記イオン雲を前記衝突反応セルに供給する前に、前記イオン雲を広げるために、サンプリング深さを変更することをさらに含む、請求項２３に記載の方法。
【請求項２５】
前記イオン化源と前記衝突反応セルとの間に配置されたイオン偏向器に前記イオン雲を供給することをさらに含む、請求項２３に記載の方法。
【請求項２６】
前記生成された第１の強度曲線の形状を求めるために、第１の分析種プレスキャン曲線を使用すること、及び前記第２の生成強度曲線の形状を求めるために、第２の分析種プレスキャン曲線を使用することをさらに含む、請求項２４に記載の方法。
【請求項２７】
前記第１の分析種の量を求めるために、前記第１の生成強度曲線のピークの高さを使用すること、及び前記第２の分析種の量を求めるために、前記第２の生成強度曲線のピークの高さを使用することをさらに含む、請求項２６に記載の方法。
【請求項２８】
前記単一系を、
単一のナノ粒子、単一のナノ構造、単一のマイクロ粒子、単一のマイクロ構造、単一の細胞、または細胞の単一の細胞小器官を含むように構成することをさらに含む、請求項２７に記載の方法。
【請求項２９】
前記第１の分析種の量を求めるために、前記生成された第１の強度曲線の下の面積を使用すること、及び前記第２の分析種の量を求めるために、前記生成された第２の強度曲線の下の面積を使用することをさらに含む、請求項２６に記載の方法。
【請求項３０】
前記単一系を、
単一のナノ粒子、単一のナノ構造、単一のマイクロ粒子、単一のマイクロ構造、単一の細胞、または細胞の単一の細胞小器官を含むように構成することをさらに含む、請求項２９に記載の方法。
【請求項３１】
質量分析計を使用して、過渡サンプル中の２種類以上の無機分析種を定量する方法であって、前記過渡サンプルが、単一系中に存在する第１の無機分析種及び第２の無機分析種のそれぞれを含む、前記方法は、
前記単一系をイオン化源に導入して、前記第１の無機分析種及び前記第２の無機分析種をイオン化し、イオン化された第１の無機分析種とイオン化された第２の無機分析種とを含むイオン雲を形成すること、
前記イオン化源の下流側で質量分析器を使用して、前記イオン化された第１の無機分析種からのイオンと、前記イオン化された第２の無機分析種からのイオンとを交互に選択するために、前記質量分析器へ前記イオン雲を供給すること、
前記イオン化された第１の無機分析種からの前記交互に選択されたイオンと、前記イオン化された第２の無機分析種からの前記イオンとを、前記質量分析器から、前記質量分析器に流体的に結合された下流側の検出器に供給して、前記イオン化された第１の無機分析種からの前記供給イオンを、検出期間の間に、第１の検出値として検出するとともに、前記供給されイオン化された第２の無機分析種からの前記イオンを、前記検出期間の間に、第２の検出値として検出すること、
前記検出された第１の検出値を使用して、前記単一系中の前記第１の無機分析種を表す第１の強度曲線を生成すること、
前記検出された第２の検出値を使用して、前記単一系中の前記第２の無機分析種を表す第２の強度曲線を生成すること、
前記生成された第１の強度曲線を使用して、前記単一系中の前記第１の分析種の量を求めること、及び前記生成された第２の強度曲線を使用して、前記単一系中の前記第２の分析種の量を求めることを含む、前記方法。
【請求項３２】
前記イオン雲を、レーザアブレーションによって形成された固体サンプルのプルームとして提供するために、前記単一系をアブレーションするためのレーザを備えるように前記イオン化源を構成することをさらに含み、前記固体サンプルのプルームが、前記第１の無機分析種及び前記第２の無機分析種を含む、請求項３１に記載の方法。
【請求項３３】
前記イオン雲を、電熱気化によって形成された蒸気プラグとして提供するために、電熱気化器を備えるように前記イオン化源を構成することをさらに含み、前記蒸気プラグが、前記第１の無機分析種及び前記第２の無機分析種を含む、請求項３１に記載の方法。
【請求項３４】
前記生成された第１の強度曲線の形状を求めるために、第１の分析種プレスキャン曲線を使用すること、及び前記第２の生成強度曲線の形状を求めるために、第２の分析種プレスキャン曲線を使用することをさらに含む、請求項３２または３３に記載の方法。
【請求項３５】
前記第１の分析種の量を求めるために、前記第１の生成強度曲線のピークの高さを使用すること、及び前記第２の分析種の量を求めるために、前記第２の生成強度曲線のピークの高さを使用することをさらに含む、請求項３４に記載の方法。
【請求項３６】
前記第１の分析種の量を求めるために、前記生成された第１の強度曲線の下の面積を使用すること、及び前記第２の分析種の量を求めるために、前記生成された第２の強度曲線の下の面積を使用することをさらに含む、請求項３４に記載の方法。
【請求項３７】
前記イオン雲を下流の前記質量分析器に供給する前に、前記イオン雲を広げるために、前記質量分析計のサンプリング深さを変更することをさらに含む、請求項３２または３３に記載の方法。
【請求項３８】
前記イオン化源の下流に配置されたイオン偏向器に前記イオン雲を供給することをさらに含む、請求項３２または３３に記載の方法。
【請求項３９】
前記イオン偏向器と前記質量分析器との間に配置された衝突反応セルに前記イオン雲を供給することをさらに含む、請求項３８に記載の方法。
【請求項４０】
四重極ロッドセットと２つ以上の軸方向電極とで前記衝突反応セルを構成することをさらに含む、請求項３９に記載の方法。
【請求項４１】
質量分析計を使用して、第１の分析種及び第２の無機分析種のそれぞれの定量を可能にするために、過渡サンプル中に存在する前記第１の分析種及び前記第２の分析種を含む２種類以上の分析種の交互検出時に、データギャップを補正する方法であって、前記方法は、広がった検出間隔の間に、前記イオン化された第１の分析種からのイオンと、前記イオン化された第２の分析種からのイオンとを、交互に検出することを含み、前記広がった検出間隔の間に、前記イオン化された第１の分析種、及び前記イオン化された第２の分析種のそれぞれに対して検出された非ゼロ検出値の個数は、前記イオン化された第１の分析種、及び前記イオン化された第２の分析種のそれぞれに対して、広がっていない検出間隔の範囲内で検出可能な非ゼロ検出値の個数と比較した場合に大きい、前記方法。
【請求項４２】
イオン化された第１の分析種からのイオンと、イオン化された第２の分析種からのイオンとを含むイオン雲を広げることによって、前記検出間隔を広げることをさらに含む、請求項４１に記載の方法。
【請求項４３】
衝突反応セル内の圧力を変更すること、もしくは前記衝突反応セル内の軸方向電界強度を変更すること、またはその両方によって、前記衝突反応セル内で前記イオン雲を広げることをさらに含む、請求項４２に記載の方法。
【請求項４４】
前記質量分析計のサンプリング深さを変更することによって、前記イオン雲を広げることをさらに含む、請求項４２に記載の方法。
【請求項４５】
前記広がった検出間隔の間に、交互に検出された、イオン化された第１の分析種からのイオンと、イオン化された第２の分析種からのイオンとの検出値を使用して、前記過渡サンプル中の前記第１の分析種及び前記第２の分析種のそれぞれの量を定量することをさらに含む、請求項４１〜４４のいずれかに記載の方法。
【請求項４６】
イオン化された第１の分析種からの前記検出イオンからの前記検出値を使用して、第１の強度曲線を生成することをさらに含む、請求項４５に記載の方法。
【請求項４７】
イオン化された第２の分析種からの前記検出イオンからの前記検出値を使用して、第２の強度曲線を生成することをさらに含む、請求項４６に記載の方法。
【請求項４８】
前記生成された第１の強度曲線の形状を求めるために、第１の分析種プレスキャン曲線を使用すること、及び第２の生成強度曲線の形状を求めるために、第２の分析種プレスキャン曲線を使用することをさらに含む、請求項４７に記載の方法。
【請求項４９】
前記第１の分析種及び前記第２の分析種を含む単一系を選択することをさらに含み、前記単一系は、
単一のナノ粒子、単一のナノ構造、単一のマイクロ粒子、単一のマイクロ構造、単一の細胞、または細胞の単一の細胞小器官を含む、請求項４８に記載の方法。
【請求項５０】
前記第１の分析種及び前記第２の分析種を含む単一系を選択することをさらに含み、
前記単一系は、レーザアブレーションによって形成された固体サンプルのプルームを提供し、または前記単一系は、電熱気化によって形成された蒸気プラグを提供する、請求項４８に記載の方法。
【請求項５１】
過渡サンプル中の第１の分析種の量及び第２の分析種の量を定量するように構成された質量分析計システムであって、
前記第１の分析種からのイオン、及び前記第２の分析種からのイオンを含むイオン雲を生成するように構成されたイオン化源と、
前記イオン化源に流体的に結合されたインタフェースであって、前記インタフェースが、前記生成されたイオン雲をサンプリングするように構成されている、前記インタフェースと、
前記インタフェースに流体的に結合された衝突反応セルであって、前記衝突反応セルが、前記サンプリングされて生成されたイオン雲を受け取るように構成されるとともに、前記衝突反応セル内で、前記サンプリングされて生成されたイオン雲を広げるために、前記衝突反応セルを加圧するためのガスを受け取るように構成された、前記衝突反応セルと、
前記衝突反応セルに流体的に結合され、前記衝突反応セルから、前記広がったイオン雲を受け取るように構成されている質量分析器であって、前記質量分析器が、前記第１の分析種からのイオンと、前記第２の分析種からの前記イオンとを交互に選択するように構成されている、前記質量分析器と、
前記質量分析器から、前記交互に選択されたイオンと、前記第１の分析種から、検出されて受け取られたイオンとを、検出期間中に、第１の検出値として受け取るとともに、前記第２の分析種から受け取られた供給イオンを、前記検出期間中に、第２の検出値として検出するように構成された検出器と、
前記第１の検出値を使用して、前記過渡サンプル中の前記第１の分析種の量を求め、前記第２の検出値を使用して、前記過渡サンプル中の前記第２の分析種の量を求めるように構成されたプロセッサとを備える、前記システム。
【請求項５２】
前記プロセッサは、前記検出された第１の検出値を使用して、前記サンプル中の前記第１の分析種を表す第１の強度曲線を生成するように構成されており、前記プロセッサは、さらに、前記検出された第２の検出値を使用して、前記サンプル中の前記第２の分析種を表す第２の強度曲線を生成するように構成されている、請求項５１に記載のシステム。
【請求項５３】
前記プロセッサは、第１の分析種のプレスキャン曲線からの曲線形状を使用して、前記第１の強度曲線を生成するように構成されており、第２の分析種のプレスキャン曲線からの曲線形状を使用して、前記第２の強度曲線を生成するように構成されている、請求項５２に記載のシステム。
【請求項５４】
前記プロセッサは、前記第１の強度曲線のピークの高さを使用して、前記過渡サンプル中の前記第１の分析種の量を求めるように構成されており、前記第２の強度曲線のピークの高さを使用して、前記過渡サンプル中の前記第２の分析種の量を求めるように構成されている、請求項５３に記載のシステム。
【請求項５５】
前記プロセッサは、前記第１の強度曲線のピークの面積を使用して、前記過渡サンプル中の前記第１の分析種の量を求めるように構成されており、前記第２の強度曲線のピークの面積を使用して、前記過渡サンプル中の前記第２の分析種の量を求めるように構成されている、請求項５３に記載のシステム。
【請求項５６】
前記衝突反応セルは、前記衝突反応セル内に軸方向電界を供給して、前記衝突反応セル内の前記イオン雲をさらに広げるように構成された２つ以上の軸方向電極を備える、請求項５１に記載のシステム。
【請求項５７】
前記システムは、前記イオン化源によって前記生成されたイオン雲を広げるために、サンプリング深さを変更するように構成されている、請求項５１に記載のシステム。
【請求項５８】
前記イオン化源が、誘導結合プラズマとして構成されている、請求項５１に記載のシステム。
【請求項５９】
前記インタフェースと前記衝突反応セルとの間に配置されたイオン偏向器をさらに備える、請求項５８に記載のシステム。
【請求項６０】
前記衝突反応セルと前記質量分析計との間に、イオン光学系をさらに備える、請求項５９に記載のシステム。
【請求項６１】
過渡サンプル中の第１の分析種の量及び第２の分析種の量を定量するように構成された質量分析計システムであって、
前記第１の分析種からのイオン、及び前記第２の分析種からのイオンを含むイオン雲を生成するように構成されたイオン化源と、
前記イオン化源に流体的に結合されたインタフェースであって、前記インタフェースが、前記生成されたイオン雲をサンプリングするように構成されている、前記インタフェースと、
前記インタフェースに流体的に結合され、前記サンプリングされて生成されたイオン雲を受け取るように構成された衝突反応セルであって、前記衝突反応セルは、軸方向電界を供給して、前記衝突反応セル内の前記サンプリングされて生成されたイオン雲を広げるように構成された２つ以上の軸方向電極を備える、前記衝突反応セルと、
前記衝突反応セルに流体的に結合され、前記衝突反応セルから、前記広がったイオン雲を受け取るように構成されている質量分析器であって、前記質量分析器が、前記第１の分析種からのイオンと、前記第２の分析種からの前記イオンとを交互に選択するように構成されている、前記質量分析器と、
前記質量分析器から、前記交互に選択されたイオンと、前記第１の分析種から、検出されて受け取られたイオンとを、検出期間中に、第１の検出値として受け取るとともに、前記第２の分析種から受け取られた供給イオンを、前記検出期間中に、第２の検出値として検出するように構成された検出器と、
前記第１の検出値を使用して、前記過渡サンプル中の前記第１の分析種の量を求め、前記第２の検出値を使用して、前記過渡サンプル中の前記第２の分析種の量を求めるように構成されたプロセッサとを備える、前記システム。
【請求項６２】
前記プロセッサは、前記検出された第１の検出値を使用して、前記サンプル中の前記第１の分析種を表す第１の強度曲線を生成するように構成されており、前記プロセッサは、さらに、前記検出された第２の検出値を使用して、前記サンプル中の前記第２の分析種を表す第２の強度曲線を生成するように構成されている、請求項６１に記載のシステム。
【請求項６３】
前記プロセッサは、第１の分析種のプレスキャン曲線からの曲線形状を使用して、前記第１の強度曲線を生成するように構成されており、第２の分析種のプレスキャン曲線からの曲線形状を使用して、前記第２の強度曲線を生成するように構成されている、請求項６２に記載のシステム。
【請求項６４】
前記プロセッサは、前記第１の強度曲線のピークの高さを使用して、前記過渡サンプル中の前記第１の分析種の量を求めるように構成されており、前記第２の強度曲線のピークの高さを使用して、前記過渡サンプル中の前記第２の分析種の量を求めるように構成されている、請求項６３に記載のシステム。
【請求項６５】
前記プロセッサは、前記第１の強度曲線のピークの面積を使用して、前記過渡サンプル中の前記第１の分析種の量を求めるように構成されており、前記第２の強度曲線のピークの面積を使用して、前記過渡サンプル中の前記第２の分析種の量を求めるように構成されている、請求項６３に記載のシステム。
【請求項６６】
前記衝突反応セルは、四重極ロッドセットを備え、前記衝突反応セルを加圧して、前記衝突反応セル内の前記イオン雲をさらに広げるためにガスを受け取るように構成されている、請求項６４または６５に記載のシステム。
【請求項６７】
前記システムは、前記イオン化源によって前記生成されたイオン雲を広げるために、サンプリング深さを変更するように構成されている、請求項６１または６６に記載のシステム。
【請求項６８】
前記イオン化源が、誘導結合プラズマとして構成されている、請求項６１に記載のシステム。
【請求項６９】
前記インタフェースと前記衝突反応セルとの間に配置されたイオン偏向器をさらに備える、請求項６８に記載のシステム。
【請求項７０】
前記衝突反応セルと前記質量分析計との間に、イオン光学系をさらに備える、請求項６９に記載のシステム。
【請求項７１】
過渡サンプル中の第１の分析種の量及び第２の分析種の量を定量するように構成された質量分析計システムであって、
前記第１の分析種からのイオン、及び前記第２の分析種からのイオンを含むイオン雲を生成するように構成されたイオン化源と、
前記イオン化源に流体的に結合されたインタフェースであって、前記インタフェースが、前記生成されたイオン雲をサンプリングし、前記インタフェースと前記イオン化源のイオン化領域との間のサンプリング深さを調整することによって、前記サンプリングされたイオン雲を広げるように構成されている、前記インタフェースと、
前記インタフェースに流体的に結合され、前記インタフェースから、前記広がったイオン雲を受け取るように構成されている質量分析器であって、前記質量分析器が、前記第１の分析種からのイオンと、前記第２の分析種からの前記イオンとを交互に選択するように構成されている、前記質量分析器と、
前記質量分析器から、前記交互に選択されたイオンと、前記第１の分析種から、検出されて受け取られたイオンとを、検出期間中に、第１の検出値として受け取るとともに、前記第２の分析種から受け取られた供給イオンを、前記検出期間中に、第２の検出値として検出するように構成された検出器と、
前記第１の検出値を使用して、前記過渡サンプル中の前記第１の分析種の量を求め、前記第２の検出値を使用して、前記過渡サンプル中の前記第２の分析種の量を求めるように構成されたプロセッサとを備える、前記システム。
【請求項７２】
前記プロセッサは、前記検出された第１の検出値を使用して、前記サンプル中の前記第１の分析種を表す第１の強度曲線を生成するように構成されており、前記プロセッサは、さらに、前記検出された第２の検出値を使用して、前記サンプル中の前記第２の分析種を表す第２の強度曲線を生成するように構成されている、請求項７１に記載のシステム。
【請求項７３】
前記プロセッサは、第１の分析種のプレスキャン曲線からの曲線形状を使用して、前記第１の強度曲線を生成するように構成されており、第２の分析種のプレスキャン曲線からの曲線形状を使用して、前記第２の強度曲線を生成するように構成されている、請求項７２に記載のシステム。
【請求項７４】
前記プロセッサは、前記第１の強度曲線のピークの高さを使用して、前記過渡サンプル中の前記第１の分析種の量を求めるように構成されており、前記第２の強度曲線のピークの高さを使用して、前記過渡サンプル中の前記第２の分析種の量を求めるように構成されている、請求項７３に記載のシステム。
【請求項７５】
前記プロセッサは、前記第１の強度曲線のピークの面積を使用して、前記過渡サンプル中の前記第１の分析種の量を求めるように構成されており、前記第２の強度曲線のピークの面積を使用して、前記過渡サンプル中の前記第２の分析種の量を求めるように構成されている、請求項７３に記載のシステム。
【請求項７６】
前記インタフェースと前記質量分析器との間に配置された衝突反応セルをさらに備え、前記衝突反応セルは、四重極ロッドセットを備え、前記衝突反応セルを加圧して、前記サンプリングされたイオン雲をさらに広げるためにガスを受け取るように構成されている、請求項７４または７５に記載のシステム。
【請求項７７】
前記衝突反応セルは、軸方向電界を供給して、前記サンプリングされたイオン雲をさらに広げるように構成された２つ以上の軸方向電極を備える、請求項７６に記載のシステム。
【請求項７８】
前記イオン化源が、誘導結合プラズマとして構成されている、請求項７１に記載のシステム。
【請求項７９】
前記インタフェースと前記質量分析器との間に配置されたイオン偏向器をさらに備える、請求項７８に記載のシステム。
【請求項８０】
前記イオン偏向器と前記質量分析計との間に、イオン光学系をさらに備える、請求項７９に記載のシステム。
【請求項８１】
第１の無機分析種及び第２の無機分析種の交互検出中に、データギャップを補正して、過渡サンプル中の第１の分析種及び第２の分析種のそれぞれの定量を可能にするように構成された質量分析計であって、前記質量分析計は、拡大された検出間隔中に検出された検出値を交互に受け取るように構成されたプロセッサを備え、前記交互に検出された検出値は、イオン化された第１の分析種から検出されたイオンからの第１の検出値と、イオン化された第２の分析種から検出されたイオンからの第２の検出値とを含み、前記質量分析計は、前記拡大された検出間隔の間に、前記イオン化された第１の無機分析種、及び前記イオン化された第２の無機分析種のそれぞれに対して検出された非ゼロ検出値の個数であって、拡大されていない検出間隔の範囲内で、前記イオン化された第１の分析種、及び前記イオン化された第２の分析種のそれぞれに対して検出可能な非ゼロ検出値の個数と比較すると大きい前記個数を提供するように構成されており、前記プロセッサは、前記受け取られた第１の検出値、及び前記受け取られた第２の検出値を使用して、前記過渡サンプル中に存在する前記第１の分析種及び前記第２の分析種のそれぞれの量を判定するように構成されている、前記質量分析計。
【請求項８２】
前記プロセッサは、前記検出された第１の検出値を使用して、前記サンプル中の前記第１の分析種を表す第１の強度曲線を生成するように構成されており、前記プロセッサは、さらに、前記検出された第２の検出値を使用して、前記サンプル中の前記第２の分析種を表す第２の強度曲線を生成するように構成されている、請求項８１に記載のシステム。
【請求項８３】
前記プロセッサは、第１の分析種のプレスキャン曲線からの曲線形状を使用して、前記第１の強度曲線を生成するように構成されており、第２の分析種のプレスキャン曲線からの曲線形状を使用して、前記第２の強度曲線を生成するように構成されている、請求項８２に記載のシステム。
【請求項８４】
前記プロセッサは、前記第１の強度曲線のピークの高さを使用して、前記過渡サンプル中の前記第１の分析種の量を求めるように構成されており、前記第２の強度曲線のピークの高さを使用して、前記過渡サンプル中の前記第２の分析種の量を求めるように構成されている、請求項８３に記載のシステム。
【請求項８５】
前記プロセッサは、前記第１の強度曲線のピークの面積を使用して、前記過渡サンプル中の前記第１の分析種の量を求めるように構成されており、前記第２の強度曲線のピークの面積を使用して、前記過渡サンプル中の前記第２の分析種の量を求めるように構成されている、請求項８３に記載のシステム。
【請求項８６】
前記質量分析計は、インタフェースと質量分析器との間に配置された衝突反応セルを備え、前記衝突反応セルは、四重極ロッドセットを備え、前記衝突反応セルを加圧して、前記衝突反応セル内のイオン雲をさらに広げるためにガスを受け取るように構成されている、請求項８１に記載のシステム。
【請求項８７】
前記衝突反応セルは、軸方向電界を供給して、前記衝突反応セル内の前記イオン雲をさらに広げるように構成された２つ以上の軸方向電極を備える、請求項８６に記載のシステム。
【請求項８８】
前記インタフェースの上流に配置されたイオン化源をさらに備え、前記イオン化源が、誘導結合プラズマとして構成されている、請求項８７に記載のシステム。
【請求項８９】
前記インタフェースが、サンプリング深さを変更するために調整可能である、請求項８８に記載のシステム。
【請求項９０】
前記インタフェースと前記質量分析器との間に配置されたイオン偏向器と、前記イオン偏向器と前記質量分析計との間のイオン光学系とをさらに備える、請求項８９に記載のシステム。
【請求項９１】
単一分析種モード及び複分析種モードで動作するように構成された質量分析計であって、前記単一分析種モードは、検出期間にわたって第１の分析種を検出するように構成され、前記複分析種モードは、検出期間にわたって前記第１の分析種及び第２の分析種を検出するように構成されており、前記質量分析計は、衝突反応セルを加圧するためのガスを受け取り、前記衝突反応セルに導入されたイオン雲を広げて、前記衝突反応セルに導入された前記イオン雲が広がっていないときに検出された非ゼロ検出値の個数よりも多くの非ゼロ検出値を提供するように構成された前記衝突反応セルを備える、前記質量分析計。
【請求項９２】
単一分析種モード及び複分析種モードで動作するように構成された質量分析計であって、前記単一分析種モードは、検出期間にわたって第１の分析種を検出するように構成され、前記複分析種モードは、検出期間にわたって前記第１の分析種及び第２の分析種を検出するように構成されており、前記質量分析計は、軸方向電界を供給するように構成された軸方向電極を備える衝突反応セルを備え、前記軸方向電界は、前記衝突反応セルに導入されたイオン雲を広げるように変更され、前記衝突反応セルに導入された前記イオン雲が、前記軸方向電界を使用して広がっていないときに検出された非ゼロ検出値の個数よりも多くの非ゼロ検出値を提供するように構成されている、前記質量分析計。
【請求項９３】
単一分析種モード及び複分析種モードで動作するように構成された質量分析計であって、前記単一分析種モードは、検出期間にわたって第１の分析種を検出するように構成され、前記複分析種モードは、検出期間にわたって前記第１の分析種及び第２の分析種を検出するように構成されており、前記質量分析計は、インタフェースとイオン化源との間のサンプリング深さを変更することにより、イオン雲を広げるように構成された前記インタフェースを備え、前記広げられたイオン雲は、前記質量分析計に導入された前記イオン雲が、広がっていないときに検出される非ゼロ検出値の個数よりも多くの非ゼロ検出値を提供する、前記質量分析計。
【請求項９４】
質量分析計を使用して単一コロイド中の２種類以上の分析種を定量する方法であって、
前記質量分析計を使用して検出値を交互に測定することであって、前記測定された検出値は、前記単一コロイド中の第１の分析種からのイオンと、前記単一コロイド中の第２の分析種からのイオンとを表しており、前記第１の分析種からのイオンを表す前記検出値は、第１の検出値として測定され、前記第２の分析種からのイオンを表す前記検出値は、第２の検出値として測定される、前記検出値を交互に測定すること、
前記第１の検出値を使用して第１の強度曲線を生成すること、及び前記第２の検出値を使用して第２の強度曲線を生成すること、ならびに
前記生成された第１の強度曲線を使用して、前記コロイド中に存在する前記第１の分析種の量を求めること、及び前記生成された第２の強度曲線を使用して、前記コロイド中に存在する前記第２の分析種の量を求めることを含む、前記方法。
【発明の詳細な説明】
【技術分野】
【０００１】
本出願は、質量分析を用いた、２種類以上の分析種を定量するための方法及びシステムを対象とする。特定の構成では、２種類以上の分析種のそれぞれの定量を可能にするために、過渡サンプル中の２種類以上の分析種を検出する際に、質量分析データのギャップを埋める方法及びシステムが明記される。
【背景技術】
【０００２】
多くの質量分析法では、サンプル中の種をイオン化するために、サンプルがイオン化源に導入される。検出対象の分析種イオンは、対象の分析種イオンを検出器に提供する前に、サンプル中の他のイオンから選択し、またはフィルタリングすることができる。
【発明の概要】
【課題を解決するための手段】
【０００３】
一態様では、質量分析計を使用して、過渡サンプル中の２種類以上の分析種を表す過渡イベントを定量する方法が提供される。
【０００４】
ある構成では、本方法は、衝突反応セル内のイオン雲の中の種々の分析種イオンのイオン速度を、別個に減少させることによって、イオン雲を広げることを含む。イオン雲は、過渡サンプルの第１の分析種からのイオンと、過渡サンプルの第２の分析種からのイオンとを含み得る。例えば、種々の分析種イオンのイオン速度を、衝突反応セルをガスで加圧することにより、別個に減少させることができる。
【０００５】
他の構成では、本方法は、衝突反応セルの下流側で衝突反応セルに流体的に結合されている質量分析器を使用して、第１の分析種からのイオンと、第２の分析種からのイオンとを交互に選択するために、衝突反応セルから質量分析器へ、別個に減少させたイオン速度の種々のイオンを含む広げられたイオン雲を供給することを含み得る。
【０００６】
いくつかの構成では、本方法は、第１の分析種からの交互に選択されたイオンと、第２の分析種からの該イオンとを、質量分析器から、質量分析器に流体的に結合された下流側の検出器に供給して、第１の分析種からの供給イオンを、検出期間の間に、第１の検出値として検出するとともに、第２の分析種からの供給イオンを、検出期間の間に、第２の検出値として検出することを含み得る。
【０００７】
追加の構成では、本方法は、検出された第１の検出値を使用して、サンプル中の第１の分析種を表す第１の強度曲線を生成すること、及び検出された第２の検出値を使用して、サンプル中の第２の分析種を表す第２の強度曲線を生成することを含んでもよい。
【０００８】
ある場合には、本方法は、生成された第１の強度曲線を使用して、過渡サンプル中の第１の分析種の量を求めること、及び第２の生成された強度曲線を使用して、過渡サンプル中の第２の分析種の量を求めることを含んでもよい。
【０００９】
一部の例では、本方法は、生成された第１の強度曲線の形状を求めるために、第１の分析種プレスキャン曲線を使用すること、及び第２の生成強度曲線の形状を求めるために、第２の分析種プレスキャン曲線を使用することを含む。他の例では、本方法は、第１の分析種の量を求めるために、第１の生成強度曲線のピークの高さを使用することを含む。ある場合には、本方法は、第２の分析種の量を求めるために、第２の生成強度曲線のピークの高さを使用することを含む。他の例では、本方法は、第１の分析種の量を求めるために、生成された第１の強度曲線の下の面積を使用することを含む。一部の例では、本方法は、第２の分析種の量を求めるために、生成された第２の強度曲線の下の面積を使用することを含む。
【００１０】
他の構成では、本方法は、衝突反応セル内のイオン雲をさらに広げるために、衝突反応セル内の軸方向電界強度を変更することを含む。例えば、本方法は、衝突反応セル内の軸方向電界強度を変更するために、衝突反応セル内の軸方向電極、例えば、２つ以上の軸方向電極に供給される電圧を下げることを含み得る。
【００１１】
いくつかの構成では、本方法は、イオン雲をさらに広げるために、質量分析計のサンプリング深さを変更することを含んでもよい。
【００１２】
特定の例では、本方法は、過渡サンプルを、単一のナノ粒子、単一のナノ構造、単一のマイクロ粒子、単一のマイクロ構造、単一の細胞、または細胞の単一の細胞小器官を含むように構成することを含む。
【００１３】
別の態様では、質量分析計を使用して、過渡サンプル中の２種類以上の無機分析種を定量する方法であって、過渡サンプルが、それぞれ単一系中に存在する第１の無機分析種及び第２の無機分析種を含む方法が説明される。
【００１４】
特定の実施形態では、本方法は、単一系をイオン化源に導入して、第１の無機分析種及び第２の無機分析種をイオン化し、イオン化された第１の無機分析種とイオン化された第２の無機分析種とを含むイオン雲を形成することを含む。
【００１５】
一部の例では、本方法は、イオン化された第１の無機分析種と、イオン化された第２の無機分析種とを含むイオン雲を、イオン化源に流体的に結合され、イオン化源の下流にある衝突反応セルに供給することを含む。
【００１６】
特定の例では、本方法は、衝突反応セル内で、供給されたイオン雲を広げることを含み得る。
【００１７】
ある特定の場合には、本方法は、衝突反応セルの下流側で衝突反応セルに流体的に結合されている質量分析器を使用して、イオン化された第１の無機分析種からのイオンと、イオン化された第２の無機分析種からのイオンとを交互に選択するために、衝突反応セルから質量分析器へ、広げられたイオン雲を供給することを含む。
【００１８】
他の例では、本方法は、イオン化された第１の無機分析種からの交互に選択されたイオンと、イオン化された第２の無機分析種からの該イオンとを、質量分析器から、質量分析器に流体的に結合された下流側の検出器に供給して、イオン化された第１の無機分析種からの供給イオンを、検出期間の間に、第１の検出値として検出するとともに、供給されイオン化された第２の無機分析種からのイオンを、検出期間の間に、第２の検出値として検出することを含む。
【００１９】
一部の例では、本方法は、検出された第１の検出値を使用して、単一系中の第１の無機分析種を表す第１の強度曲線を生成すること、及び検出された第２の検出値を使用して、単一系中の第２の無機分析種を表す第２の強度曲線を生成することを含む。
【００２０】
特定の例では、本方法は、生成された第１の強度曲線を使用して、単一系中の第１の分析種の量を求めること、及び生成された第２の強度曲線を使用して、単一系中の第２の分析種の量を求めることを含む。
【００２１】
一部の例では、本方法は、衝突反応セル内の圧力を変更すること、もしくは衝突反応セル内の軸方向電界強度を変更すること、またはその両方を行って、供給されたイオン雲の中のイオンのイオン速度を別個に減少させることによって、衝突反応セル内で、供給されたイオン雲を広げることを含む。
【００２２】
他の例では、本方法は、生成された第１の強度曲線の形状を求めるために、第１の分析種プレスキャン曲線を使用すること、及び第２の生成強度曲線の形状を求めるために、第２の分析種プレスキャン曲線を使用することを含む。一部の例では、本方法は、第１の分析種の量を求めるために、第１の生成強度曲線のピークの高さを使用すること、及び第２の分析種の量を求めるために、第２の生成強度曲線のピークの高さを使用することを含む。他の例では、本方法は、第１の分析種の量を求めるために、生成された第１の強度曲線の下の面積を使用することを含む。特定の実施形態では、本方法は、第２の分析種の量を求めるために、生成された第２の強度曲線の下の面積を使用することを含む。
【００２３】
いくつかの実施形態では、本方法は、イオン雲を衝突反応セルに供給する前に、イオン雲を広げるために、質量分析計のサンプリング深さを変更することを含む。
【００２４】
特定の実施形態では、本方法は、衝突反応セルの上流に配置されたイオン偏向器にイオン雲を供給することをさらに含む。
【００２５】
他の実施形態では、本方法は、単一系を、単一のナノ粒子、単一のナノ構造、単一のマイクロ粒子、単一のマイクロ構造、単一の細胞、または細胞の単一の細胞小器官を含むように構成することを含む。
【００２６】
追加の態様では、質量分析計を使用して、単一系中の２種類以上の無機分析種を定量する方法が提供される。例えば、単一系が、単一系中の第１の無機分析種と、単一系中の第２の無機分析種とを含む。
【００２７】
特定の例では、本方法は、単一系をイオン化源に導入して、第１の無機分析種及び第２の無機分析種をイオン化し、イオン化された第１の無機分析種からのイオンと、イオン化された第２の無機分析種からのイオンとを含むイオン雲を形成することを含む。
【００２８】
一部の例では、本方法は、イオン化された第１の無機分析種からのイオンと、イオン化された第２の無機分析種からのイオンとを含むイオン雲を、イオン化源に流体的に結合され、イオン化源の下流にある衝突反応セルに供給することを含む。
【００２９】
他の例では、本方法は、衝突反応セル内で、供給されたイオン雲を広げることを含む。
ある場合には、本方法は、衝突反応セルの下流側で衝突反応セルに流体的に結合されている質量分析器を使用して、イオン化された第１の無機分析種からのイオンと、イオン化された第２の無機分析種からのイオンとを交互に選択するために、衝突反応セルから質量分析器へ、広げられたイオン雲を供給することを含む。
【００３０】
ある場合には、本方法は、イオン化された第１の無機分析種からの交互に選択されたイオンと、イオン化された第２の無機分析種からの該イオンとを、質量分析器から、質量分析器に流体的に結合された下流側の検出器に供給して、イオン化された第１の無機分析種からの供給イオンを、検出期間の間に、第１の検出値として検出するとともに、イオン化された第２の無機分析種からの供給イオンを、検出期間の間に、第２の検出値として検出することを含む。
【００３１】
他の例では、本方法は、検出された第１の検出値を使用して、単一系中の第１の無機分析種を表す第１の強度曲線を生成すること、及び検出された第２の検出値を使用して、単一系中の第２の無機分析種を表す第２の強度曲線を生成することを含む。
【００３２】
いくつかの実施形態では、本方法は、生成された第１の強度曲線を使用して、単一系中の第１の分析種の量を求めること、及び生成された第２の強度曲線を使用して、単一系中の第２の分析種の量を求めることを含む。
【００３３】
ある特定の場合には、本方法は、イオン化源を誘導結合プラズマとして構成することを含む。
【００３４】
他の例では、本方法は、衝突反応セル内の圧力を変更すること、もしくは衝突反応セル内の軸方向電界強度を変更すること、またはその両方を行って、供給されたイオン雲の中のイオンのイオン速度を別個に減少させることによって、衝突反応セル内で、供給されたイオン雲を広げることを含む。
【００３５】
特定の例では、本方法は、イオン雲を衝突反応セルに供給する前に、イオン雲を広げるために、サンプリング深さを変更することを含む。
【００３６】
他の例では、本方法は、イオン化源と衝突反応セルとの間に配置されたイオン偏向器にイオン雲を供給することを含む。
【００３７】
いくつかの実施形態では、本方法は、生成された第１の強度曲線の形状を求めるために、第１の分析種プレスキャン曲線を使用すること、及び第２の生成強度曲線の形状を求めるために、第２の分析種プレスキャン曲線を使用することを含む。
【００３８】
特定の例では、本方法は、第１の分析種の量を求めるために、第１の生成強度曲線のピークの高さを使用すること、及び第２の分析種の量を求めるために、第２の生成強度曲線のピークの高さを使用することを含む。一部の例では、本方法は、単一系を、単一のナノ粒子、単一のナノ構造、単一のマイクロ粒子、単一のマイクロ構造、単一の細胞、または細胞の単一の細胞小器官を含むように構成することを含む。
【００３９】
他の例では、本方法は、第１の分析種の量を求めるために、生成された第１の強度曲線の下の面積を使用すること、及び第２の分析種の量を求めるために、生成された第２の強度曲線の下の面積を使用することを含む。一部の例では、本方法は、単一系を、単一のナノ粒子、単一のナノ構造、単一のマイクロ粒子、単一のマイクロ構造、単一の細胞、または細胞の単一の細胞小器官を含むように構成することを含む。
【００４０】
別の態様では、質量分析計を使用して、過渡サンプル中の２種類以上の無機分析種を定量する方法が提供される。例えば、過渡サンプルが、単一系中に存在する第１の無機分析種及び第２の無機分析種のそれぞれを含む。
【００４１】
特定の実施形態では、本方法は、単一系をイオン化源に導入して、第１の無機分析種及び第２の無機分析種をイオン化し、イオン化された第１の無機分析種とイオン化された第２の無機分析種とを含むイオン雲を形成することを含む。
【００４２】
他の実施形態では、本方法は、イオン化源の下流側で質量分析器を使用して、イオン化された第１の無機分析種からのイオンと、イオン化された第２の無機分析種からのイオンとを交互に選択するために、質量分析器へイオン雲を供給することを含む。
【００４３】
いくつかの実施形態では、本方法は、イオン化された第１の無機分析種からの交互に選択されたイオンと、イオン化された第２の無機分析種からの該イオンとを、質量分析器から、質量分析器に流体的に結合された下流側の検出器に供給して、イオン化された第１の無機分析種からの供給イオンを、検出期間の間に、第１の検出値として検出するとともに、供給されイオン化された第２の無機分析種からのイオンを、検出期間の間に、第２の検出値として検出することを含む。
【００４４】
特定の例では、本方法は、検出された第１の検出値を使用して、単一系中の第１の無機分析種を表す第１の強度曲線を生成すること、及び検出された第２の検出値を使用して、単一系中の第２の無機分析種を表す第２の強度曲線を生成することを含む。
【００４５】
いくつかの実施形態では、本方法は、生成された第１の強度曲線を使用して、単一系中の第１の分析種の量を求めること、及び生成された第２の強度曲線を使用して、単一系中の第２の分析種の量を求めることを含む。
【００４６】
特定の例では、本方法は、イオン雲を、レーザアブレーションによって形成された固体サンプルのプルームとして提供するために、単一系をアブレーションするためのレーザを備えるようにイオン化源を構成することを含み、固体サンプルのプルームが、第１の無機分析種及び第２の無機分析種を含む。
【００４７】
他の例では、本方法は、イオン雲を、電熱気化によって形成された蒸気プラグとして提供するために、電熱気化器を備えるようにイオン化源を構成することを含み、蒸気プラグが、第１の無機分析種及び第２の無機分析種を含む。
【００４８】
一部の例では、本方法は、生成された第１の強度曲線の形状を求めるために、第１の分析種プレスキャン曲線を使用すること、及び第２の生成強度曲線の形状を求めるために、第２の分析種プレスキャン曲線を使用することを含む。他の例では、本方法は、第１の分析種の量を求めるために、第１の生成強度曲線のピークの高さを使用すること、及び第２の分析種の量を求めるために、第２の生成強度曲線のピークの高さを使用することを含む。
【００４９】
他の例では、本方法は、第１の分析種の量を求めるために、生成された第１の強度曲線の下の面積を使用すること、及び第２の分析種の量を求めるために、生成された第２の強度曲線の下の面積を使用することを含む。
【００５０】
いくつかの実施形態では、本方法は、イオン雲を下流の質量分析器に供給する前に、イオン雲を広げるために、質量分析計のサンプリング深さを変更することを含む。
【００５１】
特定の例では、本方法は、イオン化源の下流に配置されたイオン偏向器にイオン雲を供給することを含む。
【００５２】
一部の例では、本方法は、イオン偏向器と質量分析器との間に配置された衝突反応セルにイオン雲を供給することをさらに含む。
【００５３】
他の例では、本方法は、四重極ロッドセットと２つ以上の軸方向電極とで衝突反応セルを構成することをさらに含む。
【００５４】
追加の態様では、質量分析計を使用して、第１の分析種及び第２の無機分析種のそれぞれの定量を可能にするために、過渡サンプル中に存在する第１の分析種及び第２の分析種を含む２種類以上の分析種の交互検出時に、データギャップを補正する方法が開示される。
【００５５】
特定の実施形態では、本方法は、広がった検出間隔の間に、イオン化された第１の分析種からのイオンと、イオン化された第２の分析種からのイオンとを、交互に検出することを含み、広がった検出間隔の間に、イオン化された第１の分析種、及びイオン化された第２の分析種のそれぞれに対して検出された非ゼロ検出値の個数は、イオン化された第１の分析種、及びイオン化された第２の分析種のそれぞれに対して、広がっていない検出間隔の範囲内で検出可能な非ゼロ検出値の個数と比較した場合に大きい。
【００５６】
一部の例では、本方法は、イオン化された第１の分析種からのイオンと、イオン化された第２の分析種からのイオンとを含むイオン雲を広げることによって、検出間隔を広げることを含む。
【００５７】
他の例では、本方法は、衝突反応セル内の圧力を変更すること、もしくは衝突反応セル内の軸方向電界強度を変更すること、またはその両方によって、衝突反応セル内でイオン雲を広げることを含む。
【００５８】
特定の実施形態では、本方法は、質量分析計のサンプリング深さを変更することによって、イオン雲を広げることを含む。
【００５９】
特定の例では、本方法は、広がった検出間隔の間に、交互に検出された、イオン化された第１の分析種からのイオンと、イオン化された第２の分析種からのイオンとの検出値を使用して、過渡サンプル中の第１の分析種及び第２の分析種のそれぞれの量を定量することを含む。
【００６０】
特定の実施形態では、本方法は、イオン化された第１の分析種からの検出イオンからの検出値を使用して、第１の強度曲線を生成することを含む。
【００６１】
他の実施形態では、本方法は、イオン化された第２の分析種からの検出イオンからの検出値を使用して、第２の強度曲線を生成することを含む。
【００６２】
いくつかの実施形態では、本方法は、生成された第１の強度曲線の形状を求めるために、第１の分析種プレスキャン曲線を使用すること、及び第２の生成強度曲線の形状を求めるために、第２の分析種プレスキャン曲線を使用することを含む。
【００６３】
他の実施形態では、本方法は、第１の分析種及び第２の分析種を含む単一系を選択することを含み、単一系は、単一のナノ粒子、単一のナノ構造、単一のマイクロ粒子、単一のマイクロ構造、単一の細胞、または細胞の単一の細胞小器官を含む。
【００６４】
一部の例では、本方法は、第１の分析種及び第２の分析種を含む単一系を選択することを含み、単一系は、レーザアブレーションによって形成された固体サンプルのプルームを提供し、または単一系は、電熱気化によって形成された蒸気プラグを提供する。
【００６５】
別の態様では、過渡サンプル中の第１の分析種の量及び第２の分析種の量を定量するように構成された質量分析計システムが提供される。
【００６６】
特定の例では、本システムは、第１の分析種からのイオン、及び第２の分析種からのイオンを含むイオン雲を生成するように構成されたイオン化源を備える。他の例では、本システムは、イオン化源に流体的に結合されたインタフェースを備え、インタフェースが、生成されたイオン雲をサンプリングするように構成されている。一部の例では、本システムは、インタフェースに流体的に結合された衝突反応セルであって、衝突反応セルが、サンプリングされて生成されたイオン雲を受け取るように構成されるとともに、衝突反応セル内で、サンプリングされて生成されたイオン雲を広げるために、衝突反応セルを加圧するためのガスを受け取るように構成された、衝突反応セルを備える。ある場合には、本システムは、衝突反応セルに流体的に結合され、衝突反応セルから、広がったイオン雲を受け取るように構成されている質量分析器であって、質量分析器が、第１の分析種からのイオンと、第２の分析種からのイオンとを交互に選択するように構成されている、質量分析器を備える。特定の例では、本システムは、質量分析器から、交互に選択されたイオンと、第１の分析種から、検出されて受け取られたイオンとを、検出期間中に、第１の検出値として受け取るとともに、第２の分析種から受け取られた供給イオンを、検出期間中に、第２の検出値として検出するように構成された検出器を備える。ある場合には、本システムは、第１の検出値を使用して、過渡サンプル中の第１の分析種の量を求め、第２の検出値を使用して、過渡サンプル中の第２の分析種の量を求めるように構成されたプロセッサを備える。
【００６７】
一部の例では、プロセッサは、検出された第１の検出値を使用して、サンプル中の第１の分析種を表す第１の強度曲線を生成するように構成されており、プロセッサは、さらに、検出された第２の検出値を使用して、サンプル中の第２の分析種を表す第２の強度曲線を生成するように構成されている。
【００６８】
他の例では、プロセッサは、第１の分析種のプレスキャン曲線からの曲線形状を使用して、第１の強度曲線を生成するように構成されており、第２の分析種のプレスキャン曲線からの曲線形状を使用して、第２の強度曲線を生成するように構成されている。
【００６９】
特定の例では、プロセッサは、第１の強度曲線のピークの高さを使用して、過渡サンプル中の第１の分析種の量を求めるように構成されており、第２の強度曲線のピークの高さを使用して、過渡サンプル中の第２の分析種の量を求めるように構成されている。
【００７０】
一部の例では、プロセッサは、第１の強度曲線のピークの面積を使用して、過渡サンプル中の第１の分析種の量を求めるように構成されており、第２の強度曲線のピークの面積を使用して、過渡サンプル中の第２の分析種の量を求めるように構成されている。
【００７１】
特定の実施形態では、衝突反応セルは、衝突反応セル内に軸方向電界を供給して、衝突反応セル内のイオン雲をさらに広げるように構成された２つ以上の軸方向電極を備える。
【００７２】
他の例では、本システムは、イオン化源によって生成されたイオン雲を広げるために、サンプリング深さを変更するように構成されている。
【００７３】
一部の例では、イオン化源が、誘導結合プラズマとして構成されている。
他の例では、本システムは、インタフェースと衝突反応セルとの間に配置されたイオン偏向器を備える。
【００７４】
一部の例では、本システムは、衝突反応セルと質量分析計との間に、イオン光学系を備える。
【００７５】
追加の態様では、過渡サンプル中の第１の分析種の量及び第２の分析種の量を定量するように構成された質量分析計システムが記載される。
【００７６】
一部の例では、本システムは、第１の分析種からのイオン、及び第２の分析種からのイオンを含むイオン雲を生成するように構成されたイオン化源を備える。ある場合には、本システムは、イオン化源に流体的に結合されたインタフェースを備え、インタフェースが、生成されたイオン雲をサンプリングするように構成されている。他の例では、本システムは、インタフェースに流体的に結合され、サンプリングされて生成されたイオン雲を受け取るように構成された衝突反応セルであって、衝突反応セルは、軸方向電界を供給して、衝突反応セル内のサンプリングされて生成されたイオン雲を広げるように構成された２つ以上の軸方向電極を備える、衝突反応セルを備える。一部の例では、本システムは、衝突反応セルに流体的に結合され、衝突反応セルから、広がったイオン雲を受け取るように構成されている質量分析器であって、質量分析器が、第１の分析種からのイオンと、第２の分析種からのイオンとを交互に選択するように構成されている、質量分析器を備える。特定の例では、本システムは、質量分析器から、交互に選択されたイオンと、第１の分析種から、検出されて受け取られたイオンとを、検出期間中に、第１の検出値として受け取るとともに、第２の分析種から受け取られた供給イオンを、検出期間中に、第２の検出値として検出するように構成された検出器を備える。一部の例では、本システムは、第１の検出値を使用して、過渡サンプル中の第１の分析種の量を求め、第２の検出値を使用して、過渡サンプル中の第２の分析種の量を求めるように構成されたプロセッサを備える。
【００７７】
特定の例では、プロセッサは、検出された第１の検出値を使用して、サンプル中の第１の分析種を表す第１の強度曲線を生成するように構成されており、プロセッサは、さらに、検出された第２の検出値を使用して、サンプル中の第２の分析種を表す第２の強度曲線を生成するように構成されている。
【００７８】
他の例では、プロセッサは、第１の分析種のプレスキャン曲線からの曲線形状を使用して、第１の強度曲線を生成するように構成されており、第２の分析種のプレスキャン曲線からの曲線形状を使用して、第２の強度曲線を生成するように構成されている。
【００７９】
一部の例では、プロセッサは、第１の強度曲線のピークの高さを使用して、過渡サンプル中の第１の分析種の量を求めるように構成されており、第２の強度曲線のピークの高さを使用して、過渡サンプル中の第２の分析種の量を求めるように構成されている。
【００８０】
他の例では、プロセッサは、第１の強度曲線のピークの面積を使用して、過渡サンプル中の第１の分析種の量を求めるように構成されており、第２の強度曲線のピークの面積を使用して、過渡サンプル中の第２の分析種の量を求めるように構成されている。
【００８１】
いくつかの実施形態では、衝突反応セルは、四重極ロッドセットを備え、衝突反応セルを加圧して、衝突反応セル内のイオン雲をさらに広げるためにガスを受け取るように構成されている。
【００８２】
特定の実施形態では、本システムは、イオン化源によって生成されたイオン雲を広げるために、サンプリング深さを変更するように構成されている。
【００８３】
他の実施形態では、イオン化源が、誘導結合プラズマとして構成されている。
いくつかの実施形態では、本システムは、インタフェースと衝突反応セルとの間に配置されたイオン偏向器を備える。
【００８４】
他の実施形態では、本システムは、衝突反応セルと質量分析計との間に、イオン光学系を備える。
【００８５】
別の態様では、過渡サンプル中の第１の分析種の量及び第２の分析種の量を定量するように構成された質量分析計システムが提供される。一部の例では、本システムは、第１の分析種からのイオン、及び第２の分析種からのイオンを含むイオン雲を生成するように構成されたイオン化源を備える。他の例では、本システムは、イオン化源に流体的に結合されたインタフェースであって、インタフェースが、生成されたイオン雲をサンプリングし、インタフェースとイオン化源のイオン化領域との間のサンプリング深さを調整することによって、サンプリングされたイオン雲を広げるように構成されている、インタフェースを備える。一部の例では、本システムは、インタフェースに流体的に結合され、インタフェースから、広がったイオン雲を受け取るように構成されている質量分析器であって、質量分析器が、第１の分析種からのイオンと、第２の分析種からのイオンとを交互に選択するように構成されている、質量分析器を備える。いくつかの実施形態では、本システムは、質量分析器から、交互に選択されたイオンと、第１の分析種から、検出されて受け取られたイオンとを、検出期間中に、第１の検出値として受け取るとともに、第２の分析種から受け取られた供給イオンを、検出期間中に、第２の検出値として検出するように構成された検出器を備える。特定の例では、本システムは、第１の検出値を使用して、過渡サンプル中の第１の分析種の量を求め、第２の検出値を使用して、過渡サンプル中の第２の分析種の量を求めるように構成されたプロセッサを備える。
【００８６】
特定の例では、プロセッサは、検出された第１の検出値を使用して、サンプル中の第１の分析種を表す第１の強度曲線を生成するように構成されており、プロセッサは、さらに、検出された第２の検出値を使用して、サンプル中の第２の分析種を表す第２の強度曲線を生成するように構成されている。
【００８７】
他の例では、プロセッサは、第１の分析種のプレスキャン曲線からの曲線形状を使用して、第１の強度曲線を生成するように構成されており、第２の分析種のプレスキャン曲線からの曲線形状を使用して、第２の強度曲線を生成するように構成されている。
【００８８】
一部の例では、プロセッサは、第１の強度曲線のピークの高さを使用して、過渡サンプル中の第１の分析種の量を求めるように構成されており、第２の強度曲線のピークの高さを使用して、過渡サンプル中の第２の分析種の量を求めるように構成されている。
【００８９】
特定の例では、プロセッサは、第１の強度曲線のピークの面積を使用して、過渡サンプル中の第１の分析種の量を求めるように構成されており、第２の強度曲線のピークの面積を使用して、過渡サンプル中の第２の分析種の量を求めるように構成されている。
【００９０】
一部の例では、本システムは、インタフェースと質量分析器との間に配置された衝突反応セルを備え、衝突反応セルは、四重極ロッドセットを備え、衝突反応セルを加圧して、サンプリングされたイオン雲をさらに広げるためにガスを受け取るように構成されている。
【００９１】
他の例では、衝突反応セルは、軸方向電界を供給して、サンプリングされたイオン雲をさらに広げるように構成された２つ以上の軸方向電極を備える。
【００９２】
いくつかの実施形態では、イオン化源が、誘導結合プラズマとして構成されている。
特定の例では、本システムは、インタフェースと質量分析器との間に配置されたイオン偏向器を備える。
【００９３】
他の例では、本システムは、イオン偏向器と質量分析計との間に、イオン光学系を備える。
【００９４】
別の態様では、第１の無機分析種及び第２の無機分析種の交互検出中に、データギャップを補正して、過渡サンプル中の第１の分析種及び第２の分析種のそれぞれの定量を可能にするように構成された質量分析計が記載される。ある構成では、質量分析計は、拡大された検出間隔中に検出された検出値を交互に受け取るように構成されたプロセッサを備える。交互に検出された検出値は、イオン化された第１の分析種から検出されたイオンからの第１の検出値と、イオン化された第２の分析種から検出されたイオンからの第２の検出値とを含む。質量分析計は、拡大された検出間隔の間に、イオン化された第１の無機分析種、及びイオン化された第２の無機分析種のそれぞれに対して検出された非ゼロ検出値の個数であって、拡大されていない検出間隔の範囲内で、イオン化された第１の分析種、及びイオン化された第２の分析種のそれぞれに対して検出可能な非ゼロ検出値の個数と比較すると大きい個数を提供するように構成されている。プロセッサは、受け取られた第１の検出値、及び受け取られた第２の検出値を使用して、過渡サンプル中に存在する第１の分析種及び第２の分析種のそれぞれの量を判定するように構成されている。
【００９５】
特定の例では、プロセッサは、検出された第１の検出値を使用して、サンプル中の第１の分析種を表す第１の強度曲線を生成するように構成されており、プロセッサは、さらに、検出された第２の検出値を使用して、サンプル中の第２の分析種を表す第２の強度曲線を生成するように構成されている。
【００９６】
他の例では、プロセッサは、第１の分析種のプレスキャン曲線からの曲線形状を使用して、第１の強度曲線を生成するように構成されており、第２の分析種のプレスキャン曲線からの曲線形状を使用して、第２の強度曲線を生成するように構成されている。
【００９７】
一部の例では、プロセッサは、第１の強度曲線のピークの高さを使用して、過渡サンプル中の第１の分析種の量を求めるように構成されており、第２の強度曲線のピークの高さを使用して、過渡サンプル中の第２の分析種の量を求めるように構成されている。
【００９８】
その他の例では、プロセッサは、第１の強度曲線のピークの面積を使用して、過渡サンプル中の第１の分析種の量を求めるように構成されており、第２の強度曲線のピークの面積を使用して、過渡サンプル中の第２の分析種の量を求めるように構成されている。
【００９９】
いくつかの実施形態では、質量分析計は、インタフェースと質量分析器との間に配置された衝突反応セルを備え、衝突反応セルは、四重極ロッドセットを備え、衝突反応セルを加圧して、衝突反応セル内のイオン雲をさらに広げるためにガスを受け取るように構成されている。
【０１００】
他の実施形態では、衝突反応セルは、軸方向電界を供給して、衝突反応セル内のイオン雲をさらに広げるように構成された２つ以上の軸方向電極を備える。
【０１０１】
その他の例では、本システムは、インタフェースの上流に配置されたイオン化源を備え、イオン化源が、誘導結合プラズマとして構成されている。
【０１０２】
他の例では、インタフェースが、サンプリング深さを変更するために調整可能である。
一部の例では、本システムは、インタフェースと質量分析器との間に配置されたイオン偏向器と、イオン偏向器と質量分析計との間のイオン光学系とをさらに備える。
【０１０３】
追加の態様では、単一分析種モード及び複分析種モードで動作するように構成された質量分析計が提供される。単一分析種モードは、検出期間にわたって第１の分析種を検出するように構成され得、複分析種モードは、検出期間にわたって第１の分析種及び第２の分析種を検出するように構成され得る。質量分析計は、衝突反応セルを加圧するためのガスを受け取り、衝突反応セルに導入されたイオン雲を広げて、衝突反応セルに導入されたイオン雲が広がっていないときに検出された非ゼロ検出値の個数よりも多くの非ゼロ検出値を提供するように構成された衝突反応セルを備える。
【０１０４】
別の態様では、単一分析種モード及び複分析種モードで動作するように構成された質量分析計が提供される。単一分析種モードは、検出期間にわたって第１の分析種を検出するように構成され得、複分析種モードは、検出期間にわたって第１の分析種及び第２の分析種を検出するように構成され得る。質量分析計は、軸方向電界を供給するように構成された軸方向電極を備える衝突反応セルを備える。軸方向電界は、衝突反応セルに導入されたイオン雲を広げるように変更され、衝突反応セルに導入されたイオン雲が、軸方向電界を使用して広がっていないときに検出された非ゼロ検出値の個数よりも多くの非ゼロ検出値を提供するように構成され得る。
【０１０５】
追加の態様では、単一分析種モード及び複分析種モードで動作するように構成された質量分析計が開示される。単一分析種モードは、検出期間にわたって第１の分析種を検出するように構成され得、複分析種モードは、検出期間にわたって第１の分析種及び第２の分析種を検出するように構成され得る。質量分析計は、インタフェースとイオン化源との間のサンプリング深さを変更することにより、イオン雲を広げるように構成されたインタフェースを備え、広げられたイオン雲は、質量分析計に導入されたイオン雲が、広がっていないときに検出される非ゼロ検出値の個数よりも多くの非ゼロ検出値を提供する。
【０１０６】
別の態様では、質量分析計を使用して単一コロイド中の２種類以上の分析種を定量する方法が記載される。本方法は、質量分析計を使用して検出値を交互に測定することを含み、測定された検出値は、単一コロイド中の第１の分析種からのイオンと、単一コロイド中の第２の分析種からのイオンとを表しており、第１の分析種からのイオンを表す検出値は、第１の検出値として測定され、第２の分析種からのイオンを表す検出値は、第２の検出値として測定される、検出値を交互に測定する。本方法は、第１の検出値を使用して第１の強度曲線を生成すること、及び第２の検出値を使用して第２の強度曲線を生成することを含む。本方法は、生成された第１の強度曲線を使用して、コロイド中に存在する第１の分析種の量を求めること、及び生成された第２の強度曲線を使用して、コロイド中に存在する第２の分析種の量を求めることを含む。
【０１０７】
その他の態様、実施例、実施形態、及び構成を、以下にさらに詳細に記載してある。
以下、添付の図を参照して、いくつかの態様、実施形態、及び構成を説明する。
【図面の簡単な説明】
【０１０８】
【図１】特定の構成による質量分析計の単一分析種モードでのデータ値を示すグラフである。
【図２】特定の構成による質量分析計の複分析種モードでのグラフである。
【図３】特定の構成による質量分析計の単一分析種モードでのデータ値を示すグラフである。
【図４】特定の構成による、イベント持続時間が増加している質量分析計の単一分析種モード及び複分析種モードでのグラフである。
【図５】特定の例による衝突反応セルの図である。
【図６】特定の例による質量分析システムの特定の構成要素を示すブロック図である。
【図７Ａ】特定の構成による質量分析システムの一部分を通る２つの分析種イオンの移動を示す図である。
【図７Ｂ】特定の構成による質量分析システムの一部分を通る２つの分析種イオンの移動を示す図である。
【図７Ｃ】特定の構成による質量分析システムの一部分を通る２つの分析種イオンの移動を示す図である。
【図８】Ａ及びＢは、一部の例による衝突反応セルの四重極ロッドセットの図である。
【図９】特定の例によるイオン化源といくつかのインタフェースとを示す図である。
【図１０】特定の構成によるサンプリング深さの変更効果を示すグラフである。
【図１１Ａ】特定の実施形態による、広がっていないイオン雲からの単一分析種の測定値を示すグラフである。
【図１１Ｂ】特定の実施形態による、図１１Ａ以降の単一分析種であるが、イオン雲が広がった後の単一分析種の測定値を示すグラフである。
【図１２Ａ】特定の構成によるＭＳ機器を複分析種モードで動作させたときの第１の分析種の検出データ値を示すグラフである。
【図１２Ｂ】特定の例による、図１２Ａの検出データ値に当てはめられた強度曲線を示すグラフである。
【図１３】特定の例による、過渡サンプル中の２種類以上の分析種を定量するために実行することができる特定のステップの概要を示す。
【図１４】特定の実施形態による第１の分析種及び第２の分析種の検出値及び強度曲線を示すグラフである。
【図１５】Ａ、Ｂ、及びＣは、特定の例による質量分析計中に含まれ得る特定の構成要素を示すブロック図である。
【図１６】特定の例による単一分析種モードで得られたデータ値及びプレスキャン曲線を示すグラフである。
【図１７】特定の実施形態による単一分析種の検出値ギャップを示すグラフである。
【図１８】特定の例による単一分析種に対して得られた検出値を用いて生成された強度曲線を示すグラフである。
【発明を実施するための形態】
【０１０９】
特定の構成では、本明細書に記載される方法及びシステムは、過渡イベントの持続時間を、例えば、典型的な４００マイクロ秒のイベントから１ミリ秒を超えるイベントまで増加させるように設計することができ、その結果、インタリーブデータ取得においては、分析種イオンあたりのデータ点の取得数を増やすことができる。例えば、単一系を質量分析計に導入することができ、この単一系中に含まれる１種類、２種類、３種類、または３種類以上の分析種の量を定量することができる。本明細書で使用するとき、「単一系」という語句は、一般に、単一のナノ粒子、単一のナノ構造、単一の細胞、細胞の単一の細胞小器官、あるいは分子の他の構成物質に共有結合されるか、もしくはイオン結合される、またはその他の場合は、例えば、流体静力学的な、ファンデルワールス力などの局所的な力を介して分子の他の構成物質と相互に作用する、１種類、２種類、３種類、もしくは３種類以上の分析種を含む単一のコロイド分子を指す。本明細書で述べるように、対象の分析種は、アルカリ金属、アルカリ土類金属、遷移金属、アクチニド、ランタニド、メタロイド、またはその他のイオン化時に正イオンを形成し得る元素などの無機元素分析種である傾向がある。ある場合には、本明細書に記載の方法及びシステムは、単一系中に含まれるＬｉ、Ｂｅ、Ｂ、Ｎａ、Ｍｇ、Ａｌ、Ｓｉ、Ｐ、Ｓ、Ｃｌ、Ａｒ、Ｋ、Ｃａ、Ｓｃ、Ｔｉ、Ｖ、Ｃｒ、Ｍｎ、Ｆｅ、Ｃｏ、Ｎｉ、Ｃｕ、Ｚｎ、Ｇａ、Ｇｅ、Ａｓ、Ｓｅ、Ｂｒ、Ｋｒ、Ｒｂ、Ｓｒ、Ｙ、Ｚｒ、Ｎｂ、Ｍｏ、Ｔｃ、Ｒｕ、Ｒｈ、Ｐｄ、Ａｇ、Ｃｄ、Ｉｎ、Ｓｎ、Ｓｂ、Ｔｅ、Ｉ、Ｘｅ、Ｃｓ、Ｂａ、Ｌａ、Ｈｆ、Ｔａ、Ｗ、Ｒｅ、Ｏｓ、Ｉｒ、Ｐｔ、Ａｕ、Ｈｇ、Ｔｌ、Ｐｂ、Ｂｉ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｌｕ、Ｔｈ、Ｐａ、及びＵを含むがこれに限定されない１種類以上の分析種を定量する用途に特に好ましい場合がある。他の例では、本明細書に記載の単一系によって提供される過渡サンプルは、Ｌｉ、Ｂｅ、Ｂ、Ｎａ、Ｍｇ、Ａｌ、Ｓｉ、Ｐ、Ｓ、Ｃｌ、Ａｒ、Ｋ、Ｃａ、Ｓｃ、Ｔｉ、Ｖ、Ｃｒ、Ｍｎ、Ｆｅ、Ｃｏ、Ｎｉ、Ｃｕ、Ｚｎ、Ｇａ、Ｇｅ、Ａｓ、Ｓｅ、Ｂｒ、Ｋｒ、Ｒｂ、Ｓｒ、Ｙ、Ｚｒ、Ｎｂ、Ｍｏ、Ｔｃ、Ｒｕ、Ｒｈ、Ｐｄ、Ａｇ、Ｃｄ、Ｉｎ、Ｓｎ、Ｓｂ、Ｔｅ、Ｉ、Ｘｅ、Ｃｓ、Ｂａ、Ｌａ、Ｈｆ、Ｔａ、Ｗ、Ｒｅ、Ｏｓ、Ｉｒ、Ｐｔ、Ａｕ、Ｈｇ、Ｔｌ、Ｐｂ、Ｂｉ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｌｕ、Ｔｈ、Ｐａ、及びＵの２つ以上を含む場合がある。その他の例では、本明細書に記載の単一系によって提供される過渡サンプルは、Ｌｉ、Ｂｅ、Ｂ、Ｎａ、Ｍｇ、Ａｌ、Ｓｉ、Ｐ、Ｓ、Ｃｌ、Ａｒ、Ｋ、Ｃａ、Ｓｃ、Ｔｉ、Ｖ、Ｃｒ、Ｍｎ、Ｆｅ、Ｃｏ、Ｎｉ、Ｃｕ、Ｚｎ、Ｇａ、Ｇｅ、Ａｓ、Ｓｅ、Ｂｒ、Ｋｒ、Ｒｂ、Ｓｒ、Ｙ、Ｚｒ、Ｎｂ、Ｍｏ、Ｔｃ、Ｒｕ、Ｒｈ、Ｐｄ、Ａｇ、Ｃｄ、Ｉｎ、Ｓｎ、Ｓｂ、Ｔｅ、Ｉ、Ｘｅ、Ｃｓ、Ｂａ、Ｌａ、Ｈｆ、Ｔａ、Ｗ、Ｒｅ、Ｏｓ、Ｉｒ、Ｐｔ、Ａｕ、Ｈｇ、Ｔｌ、Ｐｂ、Ｂｉ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｌｕ、Ｔｈ、Ｐａ、及びＵの２つ以上を含む場合がある。代表的な構成では、単一系は、例えば、ナノ粒子、ナノ構造などの採取された全ての単一系が、一般に同じ組成を有するように、一般に均質である。いくつかの実施形態は、単一のナノ粒子、単一のナノ系、単一の細胞などに関連して以下に記載されているが、本方法及び本システムは、レーザアブレーションによって形成される固体サンプルのプルーム中の分析種、または電熱気化によって形成された蒸気プラグ中の分析種などの他の過渡イベントを対象にして複数の分析種を分析するのに使用することもできる。
【０１１０】
特定の例では、単一系中に含まれる分析種のそれぞれの量を正確に求めるために、単一分析種モードにおけるイベントの形状を対象の各分析種イオンに対して用いて、欠測データのギャップを埋めるのに使用できるピーク形状を作成し、または生成することができる。「単一分析種モード」という語句は、質量分析計を使用して、ある検出期間にわたって単一分析種を測定することを意味する。例えば、質量分析器の電圧は、検出のために単一の無機分析種のみが検出器に供給されるように選択することができる。「複分析種モード」では、質量分析計を２つの電圧の間で切り替えて、検出器によって検出可能な電圧Ｖ１において第１の分析種を選択し、その後、検出器によって検出可能な第２の電圧Ｖ２に切り替えて、第２の分析種を選択することができる。単一分析種モードで得られたピーク形状は、質量分析計を適度な正確度の複分析種モードで動作させたときに検出されない欠落した検出値またはデータ点を再作成するのに使用され得る。各イベントが再作成された時点で、そのナノ粒子、ナノ系などにおけるその分析種の量に関連したイベントの強度、及び／またはピーク面積を求めることができる。
【０１１１】
特定の実施形態では、単一分析種モードでの曲線の形状を求めるために、曲線の当てはめは、例えば、２乗誤差の合計を最小化することによる技法、または平均ピーク形状に対する最適な倍率及び位置を取得する類似した技法など、数多くの異なる技法を用いて行うことができる。当てはめられた平均ピークのデータ点は全イベントをシミュレートし、ピーク面積はイベント領域の強度の概算量であり、ピークの高さはイベントの高さの概算量である。当てはめられた曲線は、ガウス型か、または広がったイオン雲が使用される、テーリング及び非対称となる、修正されたガウス型の性質を有し得る。
【０１１２】
いくつかの実施形態では、過渡イベントは、例えば、ナノ粒子、ナノ構造、マイクロ粒子マイクロ構造、単一細胞、例えば細胞器官などの単一の細胞下構造、またはその他の単一系など、単一系の中の１種類以上の分析種の種を表し得る。単一粒子（ＳＰ）ＩＣＰ−ＭＳを用いて、非常に低いレベルの金属含有ナノ粒子を高精度かつ高正確度で検出することができる。このようなナノ粒子の検出は、様々な分野、特に環境衛生の分野で重要である。例えば、多種多様な工業的応用及び商業的応用における工学的ナノ材料の使用に大きな関心が寄せられているが、そのようなナノ粒子は人体に害を及ぼす可能性がある。ナノスケールでは、粒子は、化学的な反応性が高まり、生体に作用しやすくなるため、それらの粒子が臓器及び細胞へ容易に浸透できるようになる。
【０１１３】
単一粒子モード分析（ＳＰ−ＩＣＰ−ＭＳ）では、溶解金属の希薄溶液は比較的一定の信号を生成するが、溶液中に懸濁させた固体ナノ粒子からの信号は、溶解金属からのバックグラウンド信号を超える強度の単一点パルスまたは多点ピークとして検出され得る。ＳＰ−ＩＣＰ−ＭＳは、溶解した分析種によって生成される信号と、固体ナノ粒子分析種によって生成される信号との区別を可能にする。ＳＰ−ＩＣＰ−ＭＳが低ナノ粒子濃度の状態で機能するためには、データ取得の速度とＩＣＰ−ＭＳ四重極及び検出器の応答時間とが、ナノ粒子に対応するパルス／ピークを捕捉するのに十分な速さである必要がある。一連のパルス／ピークは、時間領域で個々のナノ粒子のパルス／ピークを分解するのに十分な短い滞留時間（例えば、数ミリ秒以下）で動作する機器によって識別され、定量され得る。例えば、Ｓｈｅｌｔｏｎ，Ｃｏｎｎ．のＰｅｒｋｉｎＥｌｍｅｒ  Ｈｅａｌｔｈ  Ｓｃｉｅｎｃｅｓ，Ｉｎｃ．によって製造されたＮｅｘＩＯＮ（登録商標）３００  ＩＣＰ−ＭＳは、１０マイクロ秒の滞留時間でイオン信号を積分することができる高速データ取得システムを使用して、間に整定時間を一切伴わずに、単一粒子モードで動作させることができる。ピークの高さまたはピーク下の面積を検量線と比較して、サンプル内の粒子の濃度と、サンプル内の粒子の質量分布及び粒度分布とを求めることができる。ＳＰ−ＩＣＰ−ＭＳは、例えば、フィールドフローフラクショネーション（ＦＦＦ）及び液体クロマトグラフィ（ＬＣ）などのサイズ分離技法と組み合わされると、サンプル中のナノ粒子の粒径、粒度分布、表面電荷、及び表面機能性を扱うことができる。
【０１１４】
ＳＰ−ＩＣＰ−ＭＳは、一般に、ナノ粒子中の単一の元素種を測定するために実行される。単一のナノ粒子中に２種類以上の元素種が存在している場合は、その単一ナノ粒子のイオン化によって生成される過渡イベントで両方の元素種を検出することは困難である。ＭＳシステム内の様々な構成要素の遅延時間／整定時間とイオン飛行時間とのために、２種類の分析種の検出を切り替えるのに、大抵は合計で２００マイクロ秒かかり得るが、２つの分析種を切り替える際のこのような短期間の過渡イベントの間に取得できるデータの量は、定量目的には十分ではない。単一分析種モード（例えば、ナノ粒子中または単一系中の１つの分析種のみを検出する）を複分析種モード（例えば、ナノ粒子中または単一系中の２つの分析種を検出する）と比較する簡単な図を、図１及び図２にグラフを使って示す。図１を参照すると、単一分析種モードで得られたデータ点が時間と共に示されている。例えば、本例では７つの非ゼロデータ点である十分な量の非ゼロデータ値を収集して、ナノ粒子中の単一分析種を表す曲線１１０を生成することができる。生成された曲線１１０下のピークの高さまたは面積を用いて、例えば、曲線１１０下の求められた面積を検量線と比較することにより、ナノ粒子中または単一系中に含まれる単一分析種の量を求めることができる。ＭＳ機器が複分析種モードにある場合、イオン雲中に含まれる様々な分析種は、質量分析器を使用して個別に選択される必要がある。質量分析器が、第１の分析種ではなく第２の分析種を選択するために、電圧Ｖ１から電圧Ｖ２へ切り替わるときに、時間遅延が生じる。質量分析器がＶ１とＶ２とを繰り返し切り替えるとき、ナノ粒子中または単一系中の第１の分析種及び第２の分析種のそれぞれを表す信号を検出することが可能である。図２は、ＭＳが複分析種モードにあるときに、第１の分析種に対して検出されることになる代表的なデータを示す。この代表的なデータは、説明のために、図１の曲線１１０上に重ね合わされている。質量分析計が複分析種モードにあるときの単一分析種の検出値２０２、２０４、２０６、２０８、２１０、２１２、及び２１４を図２に示す。単一ナノ粒子中または単一系中に含まれる２つの分析種の選別／走査と検出との切り替えのために、ＭＳが複分析種モードにあるときには、単一の非ゼロ値（２０６）のみが検出される。ＭＳは、特定の時間帯に第２の分析種を走査して検出するように調整されているので、ある数量の第１の分析種イオンは全く検出されない。曲線が値２０２〜２１４を用いて当てはめられ、または生成された場合、その曲線の下の面積（またはピークの高さ）は、曲線１１０の下の面積とは大きく異なってくる。複分析種モードで取得できる非ゼロ検出値の数量が減少すると、ナノ粒子中または単一系中に含まれる第１の分析種の数量として、実際にナノ粒子中または単一系中に含まれるものとは違った正しくない数量を求めてしまうことになる。
【０１１５】
ある構成では、単一系中の２種類以上の分析種が交互に検出される際に、欠測データから生じる不正確さを埋め合わせするために、非ゼロデータ値の追加の検出を可能にするように、過渡イベントの持続時間を増加させることができる。過渡イベントの持続時間を増加させるために用いられる的確な方法は（以下で詳しく説明するように）様々であり得るが、用いた方法論は、一般に、全体的にイベントの持続時間を増加させるために、結果的にイオン雲の幅を広げることになる。イオン雲の広幅化は、例えば、半値全幅で１００〜４００マイクロ秒から、半値全幅で１〜２ミリ秒以上までの、全体的に均等な持続時間の増加をもたらし、それによって、単一系（単一ナノ粒子または単一ナノ構造など）中に含まれる２種類以上の分析種のそれぞれに対して、より高い正確度及び精度で追加的に非ゼロ検出値を検出することを可能にすることができる。イオン雲を広げるためには、雲の中の種々のイオンのイオン速度を別個に変化させてもよい。このプロセスは、雲の中のイオンの空間的分離の増加、例えば、イオンの拡散をもたらし、それによって過渡イベントの全体の時間を増加させるように作用する。過渡イベント時間の増加により、過渡サンプルから生成されたイオン雲中に含まれる１種類、２種類、または２種類以上の分析種に対して、追加の非ゼロ検出値を検出するための時間が長くなる。
【０１１６】
特定の例では、イベント持続時間の全体的な増加をもたらすイオン雲の広がりを示すために、別の図を図３及び図４に示す。図３を参照すると、単一分析種モード（結果として曲線３１０になる）及び複分析種モード（データ値３２０〜３２６）の両方において、イオン雲が広がっていないグラフが示されている。単一分析種モードでは、８つの非ゼロ検出値を含む複数の検出値が取得され、曲線３１０を作成するのに使用される。図３に示すように、イオン雲が広がっていない場合、複分析種モードでは単一の非ゼロ検出値（検出値３２２）のみが取得される。
【０１１７】
次に図４を参照すると、単一分析種モードの場合、広がったイオン雲を使用して、より多くの非ゼロ検出値が取得される。これらの追加の値を使用して、分析種の表現を向上させるとともに、より正確な曲線４１０を生成することができる。加えて、曲線４１０は、漸減し、または歪んだガウス曲線に類似しており、これはイオン雲が広がっていることを示す。複分析種モード（図４の長方形のデータ点）では、イオン雲が広がっている場合、イオン雲が広がっていないときに取得される単一の非ゼロ検出値（値３２２）と比較して、取得される非ゼロ検出値（分析種の検出値４２０〜４２６のうち検出値４２２〜４２５）が多くなる。イオン雲を広げることによって得られる非ゼロ検出値の個数が増えると、より正確な分析種曲線の表現を提供することができる。加えて、イオン雲を広げることで、同じ過渡イベントで対象となる２種類、３種類、または３種類以上の分析種の検出が可能になり、例えば、単一ナノ粒子または単一ナノ構造などの同じ単一系中の対象となる２種類、３種類、または３種類以上の種々の分析種を高正確度で検出することができる。この広がりは、例えば、単一ナノ粒子、単一ナノ構造、単一マイクロ粒子、または単一マイクロ構造などの単一系の中に、２種類、３種類、または３種類以上の異なる無機元素が含まれる場合に特に好ましい場合がある。イオン雲を広げることによって、迅速かつ効果的に、単一系中に含まれる種々の分析種の正確な量を求めることが可能になる。
【０１１８】
特定の実施形態では、過渡イベントの持続時間を増加させるために、いくつかの方法が使用され得る。これらの方法は、衝突反応セルを加圧すること、衝突反応セル内の軸方向電界強度を変更すること、及びサンプリング深さ、例えば、サンプリングインタフェースと、プラズマなどのイオン化源のイオン化領域の前端との間の距離を調整することを含むが、これに限定されない。以下で詳しく説明するように、これらの方法は、過渡イベントの持続時間を増加させるために、単独で、または互いに組み合わせて使用してもよい。
【０１１９】
特定の実施形態では、衝突反応セル内のイオン雲を広げるために、衝突反応セルが加圧され得る。衝突反応セルの一例を図５に示す。衝突反応セル５１０は、注入口端５１２、排出口端５１４、ロッドセット５２０、及びガス注入口５３０を備える。ガス注入口５３０は、一般に、セル５００を加圧するために使用することができるガス源に流体的に結合される。必要に応じて、ガス注入口５３０は、セル５００のために存在する唯一のガス注入口であってもよい。ガス注入口５３０は、セルにガスを供給してセルを加圧し、イオン雲を広げるために使用され得る。代表的な構成では、セル５１０は、複数の他の構成要素を含むＭＳシステム内の１つの構成要素であってもよい。例えば、図６を参照すると、ＭＳシステム６００は、イオン化源６１０、１つ以上のインタフェース６２０、偏向器６３０、衝突反応セル６４０、質量分析器６５０、及び検出器６６０を含む場合がある。図示していないが、例えば、噴霧器、注入器などのサンプル導入デバイスがあってもよく、これはイオン化源６１０にサンプルを導入するのに使用されてもよい。的確なイオン化源６１０は様々であってもよく、多数のタイプが以下に述べられるが、イオン化源６１０は、一般に、単一系内で分析種をイオン化する。例えば、イオン化源６１０は、プラズマトーチ内の単一ナノ粒子中または単一ナノ系中に存在する元素種を気化させて、分析種イオンを生成することができる。イオン化源６１０を出ると、分析種イオンは、（以下で詳しく説明する）インタフェース６２０、例えば、サンプル採取極板及び／またはスキマーを備え得るものを使用して抽出され得る。インタフェース６２０によって提供されるイオン抽出は、システム６００の１つ以上の下流構成要素に供給され得る、細い、高度に集束されたイオンビームをもたらすことができる。インタフェース６２０は、一般的には、１つ以上のポンプによって約３トルの気圧まで排気された真空チャンバ中に存在している。インタフェースの詳細については、以下に記載する。必要に応じて、インタフェース６２０は、イオン抽出をさらに強化するために、複数の異なるステージまたはチャンバを備えてもよい。
【０１２０】
ある構成では、分析種イオンがインタフェース６２０を出るとき、それらは偏向器６３０に供給され得る。偏向器６３０は、一般に、偏向器６３０に入る分析種イオンを選択し、それらを下流の構成要素に供給するよう作動する。例えば、イオン偏向器６３０は、四重極イオン偏向器として構成されてもよく、その縦軸がイオンビームの入射口及び出射口の軌道にほぼ直交する方向に延在する四重極ロッドセットを備え得る。偏向器６３０内の四重極ロッドは、イオン偏向器四重極内に偏向場を提供するために、電源から好適な電圧が供給され得る。四重極ロッドの構成と印加電圧とのために、結果として生じる偏向場は、入射イオンビーム中の荷電粒子を約９０度の角度（または他の選ばれた角度）にわたって偏向させるのに効果的である。したがって、イオンビームの出射口の軌道は、入射口の軌道（及び四重極の縦軸）に対しておおよそ直交し得る。しかしながら、必要に応じて、例えば米国特許公開第２０１７００１１９００号及び米国特許公開第２０１４０１１７２４８号に記載されているように、偏向器または誘導装置を様々に構成してよい。イオン偏向器６３０は、イオンビーム中の様々なイオン集団（分析種及び妨害イオンの両方）を出射口まで選択的に偏向させることができ、一方、他の電荷的に中性な非スペクトル干渉は区別して扱われる。例えば、偏向器６３０は、中性電荷のために多極内に形成された偏向場との感知できる相互作用がほとんどまたはまったくない、光の光子、中性粒子（中性子または他の中性原子もしくは中性分子など）、及び他のガス分子をイオンビームから選択的に除去することができる。偏向器６３０は、イオンビームから非スペクトル干渉物を排除する１つの可能な手段として質量分析計システム６００内に含めることができるが、他の手段を使用することもできる。
【０１２１】
ある構成では、イオンビームは、出射口の軌道に沿って偏向器６３０を出ると、加圧衝突反応セル６４０の入射口端（例えば、図５のセル５１０の端５１２）に伝送され得る。以下にさらに詳細に説明するように、入射口部材または入射口レンズは、セル６４０内に、またはセル６４０に隣接してあってもよい。入射部材または入射レンズは、イオンビームを加圧衝突反応セル６４０内に受け入れるためのイオン注入口を提供することができる。偏向器６３０が質量分析計システム６００から除かれる場合、イオンビームは、入射口部材または入射口レンズを介して、インタフェース６２０からセル６４０のいずれかを直接伝送させてもよい。加圧セル６４０の出射口端（例えば、図５のセル５１０の端５１４）には、出射口レンズなどの好適な出射口部材があってもよい。出射口レンズは、加圧セル６４０を通過するイオンが、質量分析器６５０及び検出器６６０などの質量分析計システム６００の下流分析構成要素に排出され得る開口を提供してもよい。
【０１２２】
ある構成では、ガスまたはガス混合物を加圧衝突反応セル６４０に導入して、セルを加圧し、セル６４０内のイオン雲を別個に広げ、それによって過渡イベントの持続時間を増加させることができる。この広幅化の説明図を、図７Ａ〜図７Ｃに概略的に示す。図示するために、図７Ａ〜図７Ｃの加圧セルは、四重極ロッドセットで構成されているが、他のロッドセット構成を代わりに用いてもよい。図７Ａを参照すると、第１の分析種イオン及び（第１の分析種イオンとは異なる）第２の分析種イオンを含む複数のイオンを含むイオン雲７１０が、サンプリングインタフェース７２０及びスキマーコーン７３０の上流にあるものとして示されている。図示していないが、イオン雲７１０は、一般に、サンプリングインタフェース７２０の上流に配置されたイオン化源から出る。偏向器７４０は、スキマーコーン７３０と加圧衝突反応セル７５０との間に配置されて示されている。イオン光学系７６０は、加圧セル７５０の下流に配置されて示されている。図７Ｂを参照すると、イオン７１０がインタフェース７２０、７３０に入るとき、イオン７１０は偏向器７４０に供給され、この偏向器７４０は、イオンを偏向器７４０の入射口への軌道７６５に沿って直交角度に偏向させ、イオンを加圧セル７５０に供給するように構成されている。偏向器７４０によるイオンの偏向は、干渉種が概して偏向器７４０内の軌道７７５に沿って存続するので、干渉種を除去するように作用し得る。図７Ｃを参照すると、イオン雲が加圧セル７５０に入ると、イオンはセル７５０のロッドに沿って広がり、整列する。種々のイオンは、加圧セルに導入されたガス分子と別々に相互作用し、それによってセル７５０内のイオン雲の全体的な広幅化がもたらされる。この特定の図に縛られることを望まずに、この広幅化は、加圧セルによるイオン速度の変化の結果として起こり得る。例えば、種々の第１の分析種イオンは、セル７５０内のガス分子と相互作用することによって、別々のイオン速度を受け入れて、イオン雲を広くすることができる。同様に、種々の第２の分析種イオンは、セル７５０内のガス分子と相互作用することによって、別々のイオン速度を受け入れて、イオン雲を広くすることができる。結果として生じる広がったイオン雲は、非加圧状態の衝突反応セルを使用して提供されるイオン雲と比較すると、より空間的に分離され、または広げられた第１の分析種イオン及び第２の分析種イオンを含む。イオン雲が広がった結果、分析種イオンがイオン光学系７６０を介して下流の質量フィルタ及び検出器（図示せず）に供給されるときに、イベントの全体的な持続時間が増加し、それによって第１の分析種イオン及び第２の分析種イオンを表す追加の非ゼロデータ値の検出が可能になる。本明細書で述べるように、これらの検出された非ゼロデータ値を使用して、検出された第１の分析種イオンと、検出された第２の分析種イオンとのそれぞれに対して強度曲線を生成することができる。生成した強度曲線を、第１の分析種及び第２の分析種のそれぞれの検量線と比較して、単一系中の第１の分析種及び第２の分析種のそれぞれの量を正確に求めることができる。
【０１２３】
ある構成では、加圧衝突反応セルは、多極加圧セル、例えば、２本、４本、６本、８本、または１０本のロッドを含むものとして構成され得る。例えば、衝突反応セルは、その内部空間の内部に四重極ロッドセットを囲む四重極加圧セルとして構成され得る。通常通り、四重極ロッドセットは、入射イオンビームの経路と同一線上にある共通の縦軸の周りに均等に配置された４本の円柱ロッドを備えてもよい。四重極ロッドセットは、四重極ロッドセット内に四重極場を生成するのに適しているＲＦ電圧を電圧源から受け取るために、電圧源に電気的に結合され得る。例えば、四重極ロッドセット内に形成された電場は、加圧衝突反応セルの入射口端から出射口端に向かってその長さに沿って伝送されるイオンに、径方向の閉じ込めをもたらすことができる。図８Ａ及び図８Ｂにさらに明解に示すように、四重極ロッドセット８４０ａ、８４０ｂのうち対角線上に対向するロッドは、それぞれ電圧源８４２から位相のずれたＲＦ電圧を受け取るように連結され得る。また、ある場合には、四重極ロッドセット８４０ａ、８４０ｂにＤＣバイアス電圧が供給されてもよい。また、電圧源８４２は、衝突反応セルにセルオフセット（ＤＣバイアス）電圧を供給することもできる。四重極ロッドセットに提供される的確な電圧は様々であってよいとはいえ、例示的な電圧は、限定されるものではないが、約＋５００ボルト〜約＋５０ボルト（ピークツーピーク電圧）を含み、単一系中に存在する２種類の分析種が定量される代表的なシナリオでは、約＋２５０ボルト〜約＋５０ボルトの範囲内の電圧が使用される。本開示の利点を考慮すれば、使用される的確な電圧は、様々であってもよく、定量すべき分析種イオン及び／または使用される電圧周波数に少なくとも部分的に依存し得ることを、当業者は認識されるであろう。
【０１２４】
特定の例では、イオン雲を広げるのに使用される的確な圧力は、分析種イオンと、イオン雲中に存在する他のイオンとに応じて変わり得る。一部の例では、セルを約１ミリトルから約１００ミリトルまで加圧する場合がある。例えば、セルは、好適なガスまたはガス混合物をセルに導入することによって、約５ミリトルから約５０ミリトルまで、例えば、１０ミリトル、２０ミリトル、３０ミリトル、または４０ミリトルまで加圧することができる。セルに導入される的確なガスを変えてもよく、好適なガスは、一般に、加圧セル内のイオンと別個に相互作用してイオン雲を広げることのできるガスである。イオン雲を広げるには、重い分子を含むガスの方が好ましい場合がある。例えば、好適なガスには、Ｈｅ、Ｎｅ、Ａｒ、Ｋｒ、Ｘｅ、Ｎ２、ＣＯ２、ＣＨ４、Ｃ２Ｈ６、Ｃ３Ｈ８、ＣＨ３Ｆ、ＣＨ３Ｃｌ、Ｎ２Ｏ、ＮＯ２、ＮＯ、Ｏ２、ＮＨ３、及びＳＦ６が含まれるが、これらに限定されない。
【０１２５】
一部の例では、四重極ロッドセット８４０ａ、８４０ｂは、その縦軸に沿って、入射レンズ及び出射レンズ（図示せず）と同一直線上に並べることができ、それによって、イオンビーム中のイオンに、加圧衝突反応セルを通る完全な横断経路を提供する。一部の例では、また、入射レンズは、イオンビームを完全に、または少なくとも実質的に、入射口楕円内に誘導するとともに、例えば２ｍｍ〜３ｍｍの範囲内であるがこれに限定されない、選択された最大空間幅を有するイオンビームを提供するように、適切な大きさ（例えば、４．２ｍｍ）に調整することもできる。入射レンズは、イオンビームの大部分または全てであるが、少なくともかなりの部分が四重極ロッドセットの受容楕円に向けられるように、大きさを調整することができる。
【０１２６】
ある構成では、加圧セル７５０は、四重極構成以外の構成に構成され得る。例えば、細長いロッドセット内に放射状ＲＦ場を形成することによって、イオンの径方向の閉じ込めをセル７５０内に提供してもよい。この性質の閉じ込め場は、一般に、別の次数であってもよいが、通常は四重極場、または六重極場もしくは八重極場などの幾らか高次の場のいずれかであってもよい。例えば、四重極ロッドセットに小さなＤＣ電圧を印加すると、印加された四重極ＲＦと組み合わせて、調整可能な狭い範囲から外れているｍ／ｚ比のイオンを不安定にし、それによって、イオン向けのある種の質量フィルタを作成することができる。必要に応じて、好適なイオン光学系をセル７５０の上流及び／または下流に存在させてもよい。例えば、四重極ロッドセットの上流に配置されたイオン光学素子は、イオンビーム中の様々なイオン集団のそれぞれ個別のエネルギー分布を、例えば対応する範囲に関して制御するとともに、イオン化源から四重極ロッドセットへ伝送中のエネルギー分離を最小限に抑えるように構成することもできる。本制御の一態様は、入射レンズを接地電位、またはそれよりわずかに低い電位に維持することを必要とし、それによって、普通ならイオン集団でエネルギー分離を招く可能性のある入射レンズでのイオン場相互作用を最小化する。例えば、入射レンズは、−６０ボルト〜＋２０ボルトの範囲に収まる入射口電位を電源から供給され得る。同様に、出射レンズがある場合、この出射レンズは、−３０ボルト〜＋３０ボルトの範囲に収まる出射口電位を電源から供給され得る。一部の例では、単一の電圧源が出射口レンズ及び入射口レンズの両方に電力を供給する場合があるが、他の構成では、出射口レンズ及び入射口レンズのそれぞれを、それらのレンズ自体のそれぞれの電圧源に電気的に結合させてもよい。一例では、入射レンズは、約４ｍｍ〜約５ｍｍの入射レンズオリフィスを備えてもよい。出射口レンズオリフィスは、入射口レンズオリフィスよりも小さくてよく、または大きくてもよく、ある場合には、約２．５ｍｍ〜約３．５ｍｍのオリフィスを備える。他の大きさのオリフィスもやはり、加圧セルからイオンビームを受け取って排出するために有効であり得る。
【０１２７】
ある構成では、衝突反応セル内のイオン雲を、圧力以外の方法を使用して広げることもできるが、必要に応じて、加圧を、このような他の方法と組み合わせて使用してもよい。再び図８Ａ及び図８Ｂを参照すると、それぞれ正面断面図及び背面断面図に、衝突反応セルの代替実施形態に含めることができる軸方向電極８６２ａ〜８６２ｄがある。軸方向電極８６２ａ〜８６２ｄは、圧力とは無関係に、または圧力に加えて、イオン雲を広げるためにセル内に含めることができる。例えば、イオン雲を広げるために加圧セルが使用される場合、軸方向電極８６２〜８６２ｄを使用して、セルのロッドセット８４０ａ、８４０ｂ内のイオン雲の広がりをさらに調整し、または強化してもよい。補助電極を有する従来の反応衝突セルを用いた場合と比較すると、軸方向電極８６２ａ〜８６２ｄに印加される電圧は、イオン雲の広幅化を可能にするために、さらに低くされ得る。例えば、軸方向電極８６２ａ〜８６２ｄに提供される好適な電圧は、米国特許第８，４２６，８０４号に記載されている衝突（ＫＥＤ）−反応（ＤＲＣ）モードを実施するように構成された加圧セルで使用される軸方向電極に印加される電圧よりも１０％少ない、２０％少ない、３０％少ない、４０％少ない、またはさらに５０％少なくなり得る。いくつかの例では、イオン雲を広げるために使用される電圧は、約＋５００ボルトから約−５００ボルトであってもよい。ある場合には、イオン雲を広げるために使用される電圧は、約＋５０ボルトから約−５０ボルトであってもよい。軸方向電極に供給される特定の電圧において、イオン雲が、所望の個数の非ゼロ値を提供するようには十分に広げられていない場合は、単一系内の対象の各分析種に対して、所望の個数の非ゼロ値が得られるまで、電圧は一般に低減される（または、それどころか負の電圧に切り替えられる）。補助電極８６２ａ〜８６２ｄは、（他の形状も可能であるが）上部部分と、四重極ロッドセットの縦軸に向けて半径方向内向きに延在するステム部分とを備えて、概してＴ字形の断面を有し得る。ステムブレード部の半径方向の深さは、軸方向電極８６２ａ〜８６２ｄの長さに沿ってテーパ形状の輪郭を与えるように、縦軸に沿って変えることができるが、一定半径の軸方向電極を使用することもできる。図８Ａは、セルの出射口端から入射口端に向かって上流側を見た軸方向電極８６２を示し、図８Ｂは、セルの入射口端から出射口端に向かって下流側を見た逆の透視図である。ステム部分の半径方向内方への延在は、補助電極８６２ａ〜８６２ｄに沿った下流側への移動を減少させる。個々の電極はそれぞれ、ＤＣ電圧を受け取るために、電圧源８４２に電気的に連結され得る。一部の例では、軸方向電極８６２ａ〜８６２ｄの幾何学的形状を利用して、セグメント化された電極、分岐したロッド、傾斜したロッド、ならびにテーパ化されたロッド及び縮小された長さのロッドの他の幾何学的形状を含むが、これらに限定されない、均等効果を得ることができる。
【０１２８】
ある構成では、補助電極８６２ａ〜８６２ｄに供給されるＤＣ電圧が、選ばれた電界強度の軸方向電界を形成するように、電圧源８４２にプロセッサ（図示せず）が電気的に結合されてもよい。印加される軸方向電界強度の大きさは、達成すべきイオン雲の所望の広がりに基づいて、プロセッサによって決定され得る。いくつかの実施形態では、プロセッサは、単一系中に含まれる２種類以上の分析種に対して、所望の個数の非ゼロデータ値が得られるまで、軸方向電界強度を順次変更してもよい。例えば、複分析種モードでは、軸方向電極８６２ａ〜８６２ｄに第１のＤＣ電圧が提供され得る。第１の分析種及び第２の分析種の信号またはデータ値が検出され得る。第１の分析種及び第２の分析種に対して検出された非ゼロデータ値の個数が、所望の数よりも小さい場合、第１のＤＣ電圧よりも小さい第２のＤＣ電圧を使用して、セル内のイオン雲の広幅化を高めることができる。次に、第２のＤＣ電圧が使用されているときに、第１の分析種及び第２の分析種の信号またはデータ値が検出され得る。第２のＤＣ電圧が使用されているときに、第１の分析種及び第２の分析種の非ゼロデータ値の個数が、所望の数よりも小さい場合、第２のＤＣ電圧よりも小さい第３のＤＣ電圧を使用して、イオン雲をさらに広げてもよい。このプロセスは、単一系中の第１の分析種及び第２の分析種のそれぞれに対して、所望の個数の非ゼロデータ値が得られるまで繰り返され得る。本明細書で述べるように、これらの非ゼロデータ値は、第１の分析種の強度曲線、及び第２の分析種の強度曲線を生成するのに使用され得る。その後、生成した強度曲線のそれぞれを使用して、単一系中の第１の分析種及び第２の分析種のそれぞれの量を求めることができる。
【０１２９】
ある構成では、イオン雲を広げるために、軸方向電界強度の変更は、衝突反応セルの加圧と組み合わせて実行され得る。例えば、セル圧力及び軸方向電界強度を制御することによって、イオン雲をさらに広げることができる。一部の例では、衝突反応セル内で一定の圧力が使用されてもよく、軸方向電界強度を、イオン雲の所望の広がりが達成されるまで変更してもよい。他の例では、一定の軸方向電界強度が使用されてもよく、衝突反応セル内の圧力を、イオン雲の所望の広がりが達成されるまで変更してもよい。さらなる構成では、衝突反応セル内の圧力と、軸方向電界強度との両方を、イオン雲の所望の広がりが達成されるまで変更してもよい。セルの加圧と軸方向電界強度の変更との両方が用いられる場合、衝突反応セルの圧力は、例えば、約１ミリトル〜約１００ミリトルの範囲で変更され得る。例えば、セルは、好適なガスまたはガス混合物をセルに導入することによって、約５ミリトルから約５０ミリトルまで、例えば、１０ミリトル、２０ミリトル、３０ミリトル、または４０ミリトルまで加圧することができる。軸方向電界強度と圧力との組み合わせにより、圧力自体がイオン雲を広げるのに使用される場合に比べて低い圧力を使用できる場合がある。軸方向電界の変更と組み合わせて圧力が用いられる場合、軸方向電極に印加される電圧は、約＋５００ボルトから約−５００ボルトであってもよい。ある場合には、イオン雲を広げるのに使用される電圧は、セル加圧と共に使用されるときに、約＋５０ボルトから約−５０ボルトであってもよい。軸方向電界強度と圧力との組み合わせにより、軸方向電界強度自体がイオン雲を広げるのに使用される場合に使用される電圧よりも高い、例えばより小さい負の電圧、またはより大きい正の電圧を使用できる場合がある。
【０１３０】
特定の例では、イオン雲の広幅化は、ＭＳシステムのサンプリング深さを変更することによって生じさせることもできる。サンプリング深さとは、一般に、イオン化源（プラズマなど）のイオン化領域の前端と、サンプリングインタフェースの前端との間の距離のことである。図９は、本例では負荷コイルである誘導デバイス９２０を用いてトーチ９１０内に維持される誘導結合プラズマ９３０として構成されたイオン化源を含む特定の構成要素の図を示す。代表的な構成では、プラズマ９３０を維持し、トーチ９２０を冷却するために、外側ガス流９１２、中間ガス流９１４、及び内側ガス流９１６が用いられる。好適なガスとしては、アルゴン及びその他のガス、例えば空気が含まれる。使用するガスの的確な流量は、低流量プラズマトーチについて言えば、約２０リットル／分から５リットル／分未満であり得る。プラズマ９３０は、脱溶媒和領域９３２、気化／微粒子化領域９３４、及びイオン化／拡散領域９３６を含むいくつかの異なる領域を含むものとみなされ得る。イオンは、プラズマ９３０のイオン化／拡散領域９３６を出ると、サンプリングインタフェース９４０に引き込まれ、次いで、インタフェース９４０、９５０とプラズマ９３０との間の圧力差のために、下流のスキマーインタフェース９４０に供給される。また、イオン光学系（図示せず）を使用して、イオンを集束させてもよい。図９に示す構成要素は、一般に、図７Ａに示す偏向器７４０などの偏向器の上流にある。サンプリング深さ（ＳＤ）は、イオン化領域９３６の前端（または気化／微粒子化領域９３４の端）とサンプリングインタフェース９４０の前面との間の距離とみなし得る。ある構成では、イオン雲を広げるために使用される的確なサンプリング深さは様々であってもよい。例えば、イオン雲がサンプリングインタフェース９４０に入る前に、プラズマ９３０内でさらに広がる／拡散することを可能にするように、サンプリング深さを増加させることが可能であり得る。図１０を参照すると、２つの実例となる曲線１０１０及び１０２０が示されている。ピークの高さは曲線１０１０の方が強いが、サンプリング深さが１１ｍｍ（曲線１０１０）から１４ｍｍ（曲線１０２０）に増加したために、曲線１０２０の方が幅広である。サンプリング深さを増加させることにより、過渡イベントの持続時間を増加させて、分析種の非ゼロデータ値を追加的に検出することが可能になり得る。
【０１３１】
特定の例では、サンプリング深さの増加は、トーチ９１０、サンプリングインタフェース９４０、またはその両方を移動させることによって行うことができる。ある場合には、構成要素９１０、９４０のいずれかまたは両方をモータに結合して、サンプリング深さを変更できるように、構成要素を互いに相対的に移動させることを可能にしてもよい。使用される的確なサンプリング深さは、少なくとも部分的には、サンプル中の分析種イオンに依存する場合があり、好適なサンプリング深さは、約７ｍｍから約１５ｍｍであり得る。
【０１３２】
一部の例では、イオン雲を広げるために、加圧セル内の圧力の変更を、サンプリング深さの変更と組み合わせて用いることができる。例えば、衝突反応セル内の圧力とサンプリング深さとの両方を変更して、過渡イベントの持続時間を長くすることができる。衝突反応セルの加圧とサンプリング深さの変更との両方を使用してイオン雲を広げる一部の例では、衝突反応セルの圧力を、例えば、約１ミリトルから約１００ミリトルの範囲で変更してもよい。例えば、衝突反応セルは、好適なガスまたはガス混合物を衝突反応セルに導入することによって、約５ミリトルから約５０ミリトルまで、例えば、１０ミリトル、２０ミリトル、３０ミリトル、または４０ミリトルまで加圧することができる。サンプリング深さの変更と圧力との組み合わせにより、圧力自体がイオン雲を広げるのに使用される場合に使用される圧力に比べて低い圧力を使用できる場合がある。衝突反応セルの加圧とサンプリング深さの変更との両方を使用してイオン雲を広げる場合、サンプリング深さを、約７ｍｍから約１５ｍｍの範囲で変更してもよい。サンプリング深さの変更と圧力との組み合わせにより、サンプリング深さ自体がイオン雲を広げるのに使用される場合に使用されるサンプリング深さに比べて小さいサンプリング深さを使用できる場合がある。
【０１３３】
他の例では、イオン雲を広げるために、加圧セル内の軸方向電界の変更を、サンプリング深さの変更と組み合わせて用いることができる。例えば、衝突反応セル内の軸方向電界強度とサンプリング深さとの両方を変更して、過渡イベントの持続時間を長くすることができる。軸方向電界の変更と組み合わせてサンプリング深さの変更が用いられる場合、軸方向電極に印加される電圧は、約＋５００ボルトから約−５００ボルトであってもよい。ある場合には、イオン雲を広げるのに使用される電圧は、サンプリング深さの変更と共に使用されるときに、約＋５０ボルトから約−５０ボルトであってもよい。軸方向電界強度とサンプリング深さの変更との組み合わせにより、軸方向電界強度自体がイオン雲を広げるのに使用される場合に使用される電圧よりも高い、例えばより小さい負の電圧、またはより大きい正の電圧を使用できる場合がある。衝突反応セル内の軸方向電界強度の変更とサンプリング深さの変更との両方を使用してイオン雲を広げる場合は、サンプリング深さを、約７ｍｍから約１５ｍｍの範囲で変更してもよい。サンプリング深さの変更と軸方向電界強度の変更との組み合わせにより、サンプリング深さ自体がイオン雲を広げるのに使用される場合に使用されるサンプリング深さに比べて小さいサンプリング深さを使用できる場合がある。
【０１３４】
一部の例では、イオン雲を広げるために、加圧セル内の軸方向電界強度の変更と、加圧セル内の圧力の変更とを、サンプリング深さの変更に伴って用いることができる。３つ全てのパラメータを変更できることで、単一系中の２種類以上の分析種を分析する際に取得され得る非ゼロデータ値の個数を、必要に応じて調整することができる。
【０１３５】
衝突反応セルの加圧、軸方向電界強度の変更、及びサンプリング深さの変更を使用してイオン雲を広げる特定の例では、衝突反応セルの圧力を、例えば、約１ミリトルから約１００ミリトルの範囲で変更してもよい。例えば、衝突反応セルは、好適なガスまたはガス混合物を衝突反応セルに導入することによって、約５ミリトルから約５０ミリトルまで、例えば、１０ミリトル、２０ミリトル、３０ミリトル、または４０ミリトルまで加圧することができる。サンプリング深さの変更、軸方向電界強度の変更、及び圧力の組み合わせにより、圧力自体がイオン雲を広げるのに使用される場合に使用される圧力に比べて低い圧力を使用できる場合がある。また、サンプリング深さの変更、軸方向電界強度の変更、及び圧力の組み合わせにより、圧力がサンプリング深さの変更または軸方向電界強度の変更のいずれかのみと組み合わせて使用される場合に使用される圧力と比べると、より低い圧力を使用できる場合もある。圧力、軸方向電界強度の変更、及びサンプリング深さの変更を組み合わせて使用する場合、軸方向電極に印加される電圧は、約＋５００ボルトから約−５００ボルトであってもよい。ある場合には、イオン雲を広げるのに使用される電圧は、サンプリング深さ及び圧力の変更と共に使用されるときに、約＋５０ボルトから約−５０ボルトであってもよい。軸方向電界強度、衝突反応セル圧力、及びサンプリング深さの変更の組み合わせにより、軸方向電界強度自体がイオン雲を広げるのに使用される場合に使用される電圧よりも高い、例えばより小さい負の電圧、またはより大きい正の電圧を使用できる場合がある。また、軸方向電界強度、衝突反応セル圧力、及びサンプリング深さの変更の組み合わせにより、軸方向電界強度が衝突反応セル圧力またはサンプリング深さ変更のいずれかと組み合わせて使用される場合に使用される電圧よりも高い、例えばより小さい負の電圧、またはより大きい正の電圧を使用できる場合もある。衝突反応セル内の軸方向電界強度の変更、衝突反応セル内の圧力、及びサンプリング深さの変更を使用してイオン雲を広げる場合は、サンプリング深さを、約７ｍｍから約１５ｍｍの範囲で変更してもよい。サンプリング深さの変更、衝突反応セル圧力、及び軸方向電界強度の変更の組み合わせにより、サンプリング深さ自体がイオン雲を広げるのに使用される場合に使用されるサンプリング深さに比べて小さいサンプリング深さを使用できる場合がある。また、サンプリング深さの変更、衝突反応セル圧力、及び軸方向電界強度の変更の組み合わせにより、サンプリング深さが、衝突反応セル圧力または軸方向電界強度変更のいずれかと組み合わせて使用される場合に使用されるサンプリング深さに比べて小さいサンプリング深さを使用できる場合もある。
【０１３６】
特定の実施形態では、本明細書に記載された方法及びシステムは、例えば、同じナノ粒子内、同じナノ構造内、同じマイクロ粒子内、同じマイクロ構造内などの、同じ系内の２種類以上の異なる分析種が検出されたときに、欠測データのギャップを埋めるのに使用できる。単一系を含む液体サンプルは、一般に、単一のナノ粒子、ナノ構造などがイオン化源に導入されるように希釈される。単一系のイオン化は、単一系内の２種類以上の分析種を含むイオン雲を表す過渡イベントをもたらす。２種類以上の分析種を含むイオン雲がイオン化源を出るとき、イオン雲を広げて、単一系中の第１の分析種及び第２の分析種のそれぞれに対して、十分な量の非ゼロデータ値を検出できるようにするために、セル圧力、軸方向電界強度、及び／またはサンプリング深さのいずれか１つ以上を変更することができる。例えば、広がったイオン雲の中の分析種がセルを出ると、第１の分析種が検出のために選択され、その後に続いて、第２の分析種が検出のために選択され得る。第１の分析種イオン、次いで第２の分析種イオンを順次検出するこのプロセスは、第１の分析種イオン及び第２の分析種イオンを表す非ゼロデータ値を収集するために、過渡イベント全体にわたって繰り返されてもよい。次に、第１の分析種及び第２の分析種のそれぞれのデータ値に曲線を当てはめることを含む多数の方法を使用して、第１の分析種及び第２の分析種のそれぞれに対して強度曲線が生成され得る。単一系中に存在する第１の分析種及び第２の分析種のそれぞれの量を定量するために、生成した強度曲線のピーク高さ、ピーク面積、またはその両方が使用され得る。
【０１３７】
特定の例では、本明細書に記載された方法及びシステムを使用して第１の分析種及び第２の分析種を検出する前に、単一の分析種のみの信号またはデータ値が検出されるプレスキャンが実行され得る。図１１Ａを参照すると、第１の分析種の曲線形状を求めるために、システムを単一分析種モードのみで動作させるプレスキャンが示されている。衝突反応セル圧力、軸方向電界電極電圧、及び／またはサンプリング深さのうちの１つ以上が変更される場合は、その変更が行われ得、それらの条件下で曲線の形状を求めるために、別のプレスキャン（図１１Ｂ）が実行され得る。図１１Ｂに示すように、イオン雲が広がった後に、より多くの非ゼロデータ値が取得される。図１１Ｂから得られたプレスキャン曲線形状は、ＭＳシステムが複分析種モードで動作しているときに、第１の分析種の曲線形状を得るために使用され得る。図１２Ａを参照すると、ＭＳシステムが複分析種モードで動作しているときの第１の分析種のデータ値が示されている。図に示すように、第１の分析種と第２の分析種との検出が切り替わるために、データに大きなギャップが生じている。第２の分析種のデータ値は示していない。プレスキャンモードで得られた曲線（図１１Ｂ）を使用して、複分析種モードで得られたデータ値を当てはめることができる。図１２Ｂを参照すると、第１の分析種に対して単一分析種モードで得られたプレスキャン曲線は、複分析種モードで第１の分析種に対して得られたデータの強度曲線を生成するのに使用されている。単一分析種モードで求められたピーク形状は、ＭＳシステムが複分析種モードで動作しているときに、第１の分析種の欠測データ値の強度を推定するのに使用され、第１の分析種の強度曲線１２１０を提供する。本方法論は、例えば、図１２Ｂの強度曲線１２１０のピーク高さ、ピーク面積、またはその両方を用いて、単一系中の第１の分析種の量を正確に判定することを可能にする。同様の方法論を第２の分析種に対しても実施して、例えば単一系内にある過渡サンプル中の第１の分析種及び第２の分析種の両方の量を定量することができる。説明していないが、同様の方法論を用いて、単一系中に存在する３つ以上の分析種の量を定量することもできる。
【０１３８】
いくつかの実施形態では、図１１Ａ〜図１２Ｂを参照して使用される本方法論は、イオン雲の広幅化が必要とされない状況で使用することもできる。例えば、特定のサンプルは、長い過渡イベントを有する場合があり、したがって、十分な量の非ゼロデータ値を取得するためにイオン雲を広げる必要はない。レーザアブレーションによって形成された固体サンプルのプルーム、または電熱気化によって形成された蒸気プラグがＭＳシステムに導入される場合、レーザアブレーションによって形成された固体サンプルのプルーム中、または電熱気化によって形成された蒸気プラグ中に存在する２種類以上の分析種を測定するために、イオン雲を広げる必要がない場合がある。これらのサンプルタイプが使用される場合、及び／またはサンプリング深さが一定の場合には、ＭＳシステムは、必要に応じて、加圧衝突反応セルなしで動作させることができる。他の構成では、衝突反応セルがあってもよいが、使用される電圧は、イオン雲を広げるようには設計されていない場合がある。あるいは、レーザアブレーションによって形成された固体サンプルのプルーム、または電熱気化によって形成された蒸気プラグが広い場合には、衝突反応セル電圧を使用して、必要に応じてイオン雲を狭め、または集束させてもよい。レーザアブレーションによって形成された固体サンプル中、または電熱気化によって形成された蒸気プラグ中の２種類以上の分析種を測定する場合は、ＭＳシステムが２種類以上の分析種の検出の間で切り替えられるので、データギャップが依然として存在することになる。レーザアブレーションによって形成された固体サンプル、または電熱気化によって形成された蒸気プラグから生成されたイオン雲は、２つ以上の非ゼロデータ値を取得するために、そのままでも十分に広い場合がある。第１の分析種のプレスキャン曲線を生成するために、レーザアブレーションによって形成された固体サンプル、または電熱気化によって形成された蒸気プラグを用いた単一分析種モードでのプレスキャンが使用され得る。プレスキャン曲線は、ＭＳシステムが複分析種モードで動作しているときに、例えば、このプレスキャン曲線を使用して、第１の分析種に対して測定されなかった欠測データ値の強度を推定することによって、第１の分析種の強度曲線を生成するために使用され得る。第２の分析種のためのプレスキャン曲線は、ＭＳシステムが複分析種モードで動作しているときに、例えば、このプレスキャン曲線を使用して、第２の分析種に対して測定されなかった欠測データ値の強度を推定することによって、第２の分析種の強度曲線を生成するために使用され得る。本方法論により、単一系中に存在する第１の分析種及び第２の分析種のそれぞれの量を定量するのに使用され得る２つの強度曲線（分析種ごとに１つ）を作成することが可能になる。説明していないが、レーザアブレーションによって形成された固体サンプルのプルーム中、または電熱気化によって形成された蒸気プラグ中に存在する３種類以上の分析種の量も、同様の方法論を使用して定量することができる。
【０１３９】
特定の実施形態では、本明細書に記載された方法及びシステムは、強度曲線をデータ値に当てはめること、プレスキャン曲線をデータ値に当てはめること、及び／または単一系中に存在する各分析種の量を求めることのためにプロセッサを使用してもよい。このようなプロセスは、ユーザの介入を必要とせずに、プロセッサによって自動的に実行され得る。例えば、プロセッサは、分析種強度曲線のピーク高さまたはピーク面積（またはその両方）を使用して、各分析種が単一系中にどれだけ存在するかを判定することができる。プロセッサは、例えば、ピーク高さまたはピーク面積（またはその両方）をシステム内（またはプロセッサ上）に格納された検量線と比較して、単一系中に存在する分析種のそれぞれの量を判定してもよい。ある構成では、プロセッサは、例えば、衝突反応セル電圧、軸方向電極電圧、サンプリング深さ、ポンプ、質量分析器、検出器などを制御するシステムを動作させるための例えばマイクロプロセッサ及び／または好適なソフトウェアを含む、１つ以上のコンピュータシステム及び／または共通のハードウェア回路に存在してもよい。一部の例では、衝突反応セルの圧力及び電圧、軸方向電界電極電圧、及び／またはサンプリング深さの動作または制御を可能にするために、ＭＳシステム自体が、独自のプロセッサ、オペレーティングシステム、及びその他の機能をそれぞれ備えてもよい。プロセッサは、システムに一体化されていてもよく、またはシステムの構成要素に電気的に結合された１つ以上の付属品ボード、プリント回路ボード、もしくはコンピュータ上に存在していてもよい。プロセッサは、一般に、システムの他の構成要素からデータを受け取り、必要または所望に応じて様々なシステムパラメータを調節できるように、１つ以上のメモリユニットに電気的に結合される。プロセッサは、Ｕｎｉｘ（登録商標）、Ｉｎｔｅｌ  ＰＥＮＴＩＵＭ（登録商標）タイププロセッサ、Ｍｏｔｏｒｏｌａ  ＰｏｗｅｒＰＣ、Ｓｕｎ  ＵｌｔｒａＳＰＡＲＣ、Ｈｅｗｌｅｔｔ−Ｐａｃｋａｒｄ  ＰＡ−ＲＩＳＣプロセッサ、またはその他の任意のタイプのプロセッサをベースとした汎用コンピュータの一部であってもよい。本技術の様々な実施形態に従って、１つ以上の任意のタイプのコンピュータシステムが使用され得る。さらに、本システムは、単一のコンピュータに接続されていてもよく、または通信ネットワークによって接続された複数のコンピュータの間で分散されていてもよい。ネットワーク通信を含む他の機能を実行することができ、本技術はいずれかの特定の機能または機能のセットを有することに限定されないことを理解されたい。様々な態様が、汎用コンピュータシステムで実行される専用ソフトウェアとして実装され得る。コンピュータシステムは、データを格納するためのディスクドライブ、メモリ、またはその他のデバイスなどの１つ以上の記憶装置に接続されたプロセッサを含み得る。メモリは、一般に、ＭＳシステムの動作中に、プログラム、検量線、分析種強度曲線、及びデータ値を保存するために使用される。コンピュータシステムの構成要素は、１つ以上の（例えば、同じマシン内に組み込まれた構成要素間の）バス及び／または（例えば、別個の分散したマシ���上に存在する構成要素間の）ネットワークを含み得る相互接続デバイスによって結合され得る。相互接続デバイスは、システムの構成要素間で交換すべき通信（例えば、信号、データ、命令）を提供する。本コンピュータシステムは、一般に、衝突反応セル圧力、軸方向電界強度及び／またはサンプリング深さを切り替えるための本システムの迅速な制御を可能にするために、例えば数ミリ秒、数マイクロ秒、またはそれ以下の処理時間内にコマンドを受信し及び／または発行することができる。例えば、コンピュータ制御を実施して、衝突反応セル内の圧力、衝突反応セル及び／または軸方向電界電極に供給される電圧などを制御することができる。プロセッサは、典型的には、例えば、直流源、交流源、バッテリ、燃料電池、もしくは他の電源、または電源の組み合わせであり得る電源に電気的に結合される。電源は、システムの他の構成要素によって共有され得る。本システムはまた、１つ以上の入力デバイス、例えば、キーボード、マウス、トラックボール、マイクロフォン、タッチスクリーン、手動スイッチ（例えば、オーバーライドスイッチ）、及び１つ以上の出力デバイス、例えば、印刷デバイス、ディスプレイ画面、スピーカを含んでもよい。さらに、システムは、コンピュータシステムを通信ネットワークに接続する１つ以上の通信インタフェースを（相互接続デバイスに加えて、またはその代替として）含んでもよい。システムはまた、システムに存在する様々な電気デバイスから受け取る信号を変換するために、好適な回路を含んでもよい。そのような回路は、プリント回路ボード上に存在してもよく、あるいは好適なインタフェース、例えばシリアルＡＴＡインタフェース、ＩＳＡインタフェース、ＰＣＩインタフェースなどを介して、または１つ以上の無線インタフェース、例えば、Ｂｌｕｅｔｏｏｔｈ（登録商標）、Ｗｉ−Ｆｉ、近距離無線通信、もしくはその他の無線プロトコル及び／または無線インタフェースを介してプリント回路ボードに電気的に結合される別個のボードまたはデバイス上に存在してもよい。
【０１４０】
特定の実施形態では、本明細書で説明されるシステムで使用されるストレージシステムは、一般に、プロセッサが実行すべきプログラムによって使用され得るソフトウェアのコードが格納され得るコンピュータ読み出し及びコンピュータ書き込みが可能な不揮発性記録媒体、またはプログラムが処理すべき媒体上もしくは媒体中に記憶された情報を含む。媒体は、例えば、ハードディスク、ソリッドステートドライブ、またはフラッシュメモリであってもよい。通常は、動作の際に、プロセッサは、データが不揮発性記録媒体から、媒体よりも高速なプロセッサによる情報へのアクセスを可能にする別のメモリに読み出されるようにする。このメモリは、一般に、ダイナミックランダムアクセスメモリ（ＤＲＡＭ）またはスタティックメモリ（ＳＲＡＭ）などの揮発性のランダムアクセスメモリである。このメモリは、ストレージシステム内またはメモリシステム内に設置され得る。プロセッサは、一般に、集積回路メモリ内のデータを処理し、次いで処理が完了した後に、データを媒体にコピーする。媒体と集積回路メモリ要素との間のデータ移動を管理するための様々な機構が知られており、本技術はそれに限定されない。また、本技術は、特定のメモリシステムまたはストレージシステムにも限定されない。特定の実施形態では、システムは、特別にプログラムされた専用ハードウェア、例えば、特定用途向け集積回路（ＡＳＩＣ）またはフィールドプログラマブルゲートアレイ（ＦＰＧＡ）などを含む場合もある。本技術の態様は、ソフトウェア、ハードウェア、もしくはファームウェア、またはそれらの任意の組み合わせで実施されてもよい。さらに、そのような方法、作用、システム、システム要素、及びその構成要素は、上記のシステムの一部として、または独立した構成要素として実施されてもよい。特定のシステムは、一例として、本技術の様々な態様を実施し得る１つのタイプのシステムとして説明されているが、態様は、説明されたシステム上での実施に限定されないことを理解されたい。様々な態様が、異なるアーキテクチャまたは構成要素を有する１つ以上のシステム上で実施され得る。システムは、高水準コンピュータプログラミング言語を使用してプログラム可能な汎用コンピュータシステムを含んでもよい。システムはまた、特別にプログラムされた特殊用途のハードウェアを用いて実施されてもよい。本システムにおいて、プロセッサは、一般に、Ｉｎｔｅｌ  Ｃｏｒｐｏｒａｔｉｏｎから入手可能な広く知られたＰｅｎｔｉｕｍクラスプロセッサなどの市販のプロセッサである。他にも多くのプロセッサが市販されている。このようなプロセッサは通常、例えば、Ｍｉｃｒｏｓｏｆｔ  Ｃｏｒｐｏｒａｔｉｏｎから入手可能なＷｉｎｄｏｗｓ（登録商標）  ９５、Ｗｉｎｄｏｗｓ  ９８、Ｗｉｎｄｏｗｓ  ＮＴ、Ｗｉｎｄｏｗｓ  ２０００（Ｗｉｎｄｏｗｓ  ＭＥ）、Ｗｉｎｄｏｗｓ  ＸＰ、Ｗｉｎｄｏｗｓ  Ｖｉｓｔａ、Ｗｉｎｄｏｗｓ  ７、Ｗｉｎｄｏｗｓ  ８、もしくはＷｉｎｄｏｗｓ  １０オペレーティングシステム、Ａｐｐｌｅから入手可能なＭＡＣ  ＯＳ  Ｘ、例えば、Ｓｎｏｗ  Ｌｅｏｐａｒｄ、Ｌｉｏｎ、Ｍｏｕｎｔａｉｎ  Ｌｉｏｎ、もしくはその他のバージョン、Ｓｕｎ  Ｍｉｃｒｏ��ｙｓｔｅｍｓから入手可能なＳｏｌａｒｉｓオペレーティングシステム、または様々なソースから入手可能なＵＮＩＸ（登録商標）もしくはＬｉｎｕｘ（登録商標）オペレーティングシステムであり得るオペレーティングシステムを実行する。他の多くのオペレーティングシステムを使用してもよく、特定の実施形態では、コマンドまたは命令の単純なセットがオペレーティングシステムとして機能する場合がある。
【０１４１】
特定の例では、プロセッサ及びオペレーティングシステムは、高水準プログラミング言語でアプリケーションプログラムを記述し得るプラットフォームを共に定義し得る。本技術は、特定のシステムプラットフォーム、プロセッサ、オペレーティングシステム、またはネットワークに限定されないことを理解されたい。また、本開示の利点を考慮すれば、本技術は特定のプログラミング言語またはコンピュータシステムに限定されないことは、当業者には明らかであろう。さらに、他の適切なプログラミング言語及び他の適切なシステムを使用できることも理解されたい。特定の例では、ハードウェアまたはソフトウェアを、認知アーキテクチャ、ニューラルネットワーク、または他の好適な実装を構築するように構成してもよい。必要に応じて、コンピュータシステムの１つ以上の部分を、通信ネットワークに結合された１つ以上のコンピュータシステム全体にわたって分散させてもよい。これらのコンピュータシステムはまた、汎用コンピュータシステムであってもよい。例えば、様々な態様は、１つ以上のクライアントコンピュータにサービス（例えば、サーバ）を提供するように、または分散型システムの一部として全体的なタスクを実行するように構成された１つ以上のコンピュータシステム間に分散させてもよい。例えば、様々な態様は、様々な実施形態に従って様々な機能を実行する１つ以上のサーバシステムの間に分散された構成要素を含むクライアントサーバシステムまたは多層システム上で実行されてもよい。これらの構成要素は、通信プロトコル（例えば、ＴＣＰ／ＩＰ）を使用して通信ネットワーク（例えば、インターネット）を介して通信する、実行可能コード、中間コード（例えば、ＩＬ）、または解釈済みコード（例えば、Ｊａｖａ（登録商標））であってもよい。また、本技術は、特定のシステムまたはシステムのグループでの実行に限定されないことも理解されたい。また、本技術は、特定のいかなる分散アーキテクチャ、ネットワーク、または通信プロトコルにも限定されないことを理解されたい。
【０１４２】
場合によっては、様々な実施形態が、例えばＳＱＬ、ＳｍａｌｌＴａｌｋ、Ｂａｓｉｃ、Ｊａｖａ（登録商標）、Ｊａｖａｓｃｒｉｐｔ、ＰＨＰ、Ｃ＋＋、Ａｄａ、Ｐｙｔｈｏｎ、ｉＯＳ／Ｓｗｉｆｔ、Ｒｕｂｙ  ｏｎ  Ｒａｉｌｓ、またはＣ＃（シーシャープ）などのオブジェクト指向プログラミング言語を使用してプログラムされてもよい。他のオブジェクト指向プログラミング言語を使用することもできる。あるいは、関数型プログラミング言語、スクリプトプログラミング言語、及び／または論理型プログラミング言語を使用してもよい。様々な構成を、プログラムされていない環境で実施することができる（例えば、ブラウザプログラムのウィンドウで表示したときに、グラフィカルユーザインタフェース（ＧＵＩ）の一部をレンダリングし、またはその他の機能を実行する、ＨＴＭＬ、ＸＭＬ、またはその他の形式で作成されたドキュメント）。特定の構成は、プログラムされた要素もしくはプログラムされていない要素、またはそれらの任意の組み合わせとして実装され得る。場合によっては、システムは、有線または無線のインタフェースを介して通信し、必要に応じてリモートでのシステムの操作を可能にする、モバイルデバイス、タブレット、ラップトップコンピュータ、またはその他のポータブルデバイスに存在するようなリモートインタフェースを備えてもよい。
【０１４３】
特定の例では、プロセッサは、原子、分子、イオンなどに関する情報のデータベースを含むか、またはそのデータベースにアクセスすることができ、このデータベースは、このような種々の化合物のｍ／ｚ比、イオン化エネルギー、及び他の一般的な情報を含むことができる。このデータベースは、特定の衝突反応セル圧力、軸方向電界強度、及び／またはサンプリング深さのもとでの、対象の分析種イオンの一般的な曲線形状に関連するさらなるデータを含んでもよい。例えば、様々な分析種のプレスキャン曲線を集めたものをデータベースに保存し、ユーザが各分析種のプレスキャンの必要なく、ＭＳの複分析種モードでの分析種強度曲線を推定するのに使用できる。このような方法は、サンプルの量が限られている場合に特に好ましい場合がある。メモリに格納された命令は、システムのソフトウェアモジュールまたは制御ルーチンを実行することができ、それによって、制御可能なシステムのモデルが実質的に提供され得る。プロセッサは、データベースからアクセスされた情報を、プロセッサ内で実行される１つ以上のソフトウェアモジュールと共に使用して、質量分析計の様々な構成要素の制御パラメータまたは管理値を決定することができる。プロセッサは、制御命令を受信するための入力インタフェースと、質量分析計システムの様々なシステム構成要素にリンクされた出力インタフェースとを使用して、システムの能動的な制御を実行することができる。例えば、プロセッサは、衝突反応セル内のガス圧力の制御、衝突反応セルに導入されるガスの性質の（衝突反応セルに流体的に結合されたガス源の変更による）制御、軸方向電界電極に供給される電圧の制御、及び／またはサンプリング深さの制御を行ってもよい。また、プロセッサは、衝突反応セルの上流または下流のイオン光学系に供給される任意の電圧を制御することもできる。
【０１４４】
特定の実施形態では、本明細書に記載されたセル及びシステムと共に使用される的確なイオン化源は、様々であってよい。代表的な構成では、イオン化源は、イオン化源に導入されたエアロゾル化されたサンプルから分析種イオンを生成するよう作動する。特定の質量分析アプリケーション、例えば金属の分析種、及びその他の無機分析種を含むアプリケーションでは、ＩＣＰ−ＭＳで達成され得る比較的高いイオン感度のために、質量分析計で誘導結合プラズマ（ＩＣＰ）イオン源を使用して、分析を望ましく行うことができる。例えば、１０億分の１未満のイオン濃度がＩＣＰイオン源で達成可能である。上記のように、従来の誘導結合プラズマイオン源では、一般に石英管である３本の同心管で構成されたトーチの端は、高周波電流が供給される誘導コイルによって形成された開口の内部に配置され得る。その場合、アルゴンガスの流れをトーチの最も外側の２つの管の間に導入してもよく、そこでアルゴン原子が誘導コイルの高周波磁場と相互作用して、アルゴン原子から電子が遊離され得る。この作用により、非常に高温のプラズマ、例えば、１０，０００ケルビンが生成され得る。このプラズマは、大部分がアルゴン原子で構成され、少量のアルゴンイオン及び自由電子を有する。その後、単一系が、例えば霧状の液体ミストとして、アルゴンプラズマに導入され得る。噴霧されたサンプルの液滴は蒸発し、液体に溶解している固体は原子に分解され、プラズマ内の非常に高い温度のために、最も緩く結合した電子がはぎ取られて、一価イオンが形成される。単一細胞、または単一ナノ粒子、または単一ナノ構造がプラズマに導入される場合、有機物質は完全に構成イオンまたは構成原子に分解され、単一細胞中、または単一ナノ粒子中、または単一ナノ構造中に存在する任意の元素種は、本明細書に記載された方法及びシステムを使用して検出され得る元素分析種イオンを形成する傾向がある。本明細書に記載されたセル及びシステムと共に、従来のＩＣＰ源を使用することができるが、低流量プラズマ、容量結合プラズマなども、本明細書に記載されたセル及びシステムと共に使用することができる。それらを製造するのに使用される様々なプラズマ及びデバイスが、例えば、米国特許第７，１０６，４３８号、７，５１１，２４６号、７，７３７，３９７号、８，６３３，４１６号、８，７８６，３９４号、８，８２９，３８６号、９，２５９，７９８号、９，５０４，１３７号、及び９，４３３，０７３号に記載されている。
【０１４５】
特定の実施形態において、単一系中に存在する２種類以上の分析種を定量するために用いられるステップの概要を図１３に示す。単一分析種モードでは、ステップ１３１０でサンプルが導入され、ステップ１３１２で第１の分析種に対してＭＳ機器のスキャンが行われる。本明細書で述べるように、一般にサンプルは単一系を含むが、レーザアブレーションによって形成された固体サンプルのプルーム、または電熱気化によって形成された蒸気プラグを提供するサンプルを用いることもできる。次に、ステップ１３１４で、第１の分析種の検出値を使用して、第１の分析種のプレスキャン曲線を生成することができる。ステップ１３１１でサンプルが導入され、ステップ１３１３で第２の分析種に対してＭＳ機器のスキャンが行われる。次に、ステップ１３１５で、第２の分析種の検出値を使用して、第２の分析種のプレスキャン曲線を生成することができる。必要に応じて、第３の分析種、第４の分析種などに対して、同様の方法でプレスキャン曲線を生成してもよい。次に、ステップ１３２０でサンプルが導入され、複分析種モードでは、ステップ１３２２で、最初に第１の分析種に対してＭＳ機器のスキャンが行われる。ステップ１３２４で第１の分析種の値が検出される。次に、ＭＳ機器は、例えば、質量分析器内のロッドセットに供給される電圧を切り替えることによって、ステップ１３３２で第２の分析種をスキャンするように構成されている。ステップ１３３４で、第２の分析種の値が検出される。次に、ＭＳ機器は、ステップ１３４２で切り替え戻されて、第１の分析種をスキャンする。別の第１の分析種の値が、ステップ１３４４で検出される。次に、ＭＳ機器は、ステップ１３５２で切り替え戻されて、第２の分析種をスキャンする。別の第２の分析種の値が、ステップ１３５４で検出される。このプロセスは、第１の分析種の「ｍ」値と、第２の分析種の「ｎ」値とが取得されるまで繰り返される。第１の分析種及び第２の分析種のそれぞれのデータ値のグラフ表示を、図１３の下部のグラフに示す。ステップ１３１４で取得した第１の分析種のプレスキャン曲線の形状を使用して、第１の分析種の強度曲線１３８０を生成することができ、ステップ１３１５で取得した第２の分析種のプレスキャン曲線の形状を使用して、第１の分析種の強度曲線１３９０を生成することができる。例えば、第１の分析種に対して得られたデータ値を使用して、第１の分析種の強度曲線を生成するために、第１の分析種のプレスキャン曲線を表す方程式を使用してもよい。同様に、第１の分析種に対して得られたデータ値を使用して、第２の分析種の強度曲線を生成するために、第２の分析種のプレスキャン曲線を表す方程式を使用してもよい。第１の分析種及び第２の分析種に対して生成された強度曲線は、比較のために両方が図１４に示されている。強度曲線１３８０、１３９０のそれぞれのピーク高さ、ピーク面積、またはその両方を使用して、例えば、ピーク高さ、ピーク面積、またはその両方を検量線と比較して、単一系中に存在する第１の分析種及び第２の分析種の量を求めることによって、サンプル中に存在する第１の分析種及び第２の分析種の量を求めることができる。本明細書で述べるように、第１の分析種及び第２の分析種のそれぞれに対して不十分な量の非ゼロデータ値が取得された場合は、サンプリング深さ、軸方向電界強度、及び衝突反応セル圧力のうちの１つ以上を、イオン雲を広げるために変更してもよい。その場合、図１３に示す方法論は、サンプル中に存在する第１の分析種及び第２の分析種の量を定量するために、新しい条件下で繰り返され得る。
【０１４６】
本明細書で述べるように、質量分析計システムの的確な構成は、分析すべき特定のサンプルに応じて異なり得る。ある場合には、図１５Ａを参照すると、質量分析計は、質量分析器１５１０に流体的に結合されたイオン化源１５０５を備える。例えば、レーザアブレーションによって形成された固体サンプルのプルーム、または電熱気化によって形成された蒸気プラグを提供するサンプルについては、衝突反応セルが必要とされないので、生成されたイオン雲は十分に広いものであり得、したがって、そのような衝突反応セルはＭＳシステム１５００内に存在しない。しかしながら、必要に応じて、干渉を除去するために、及び／または要望どおりにサンプルを反応ガスまたは衝突ガスにさらすために、１つ以上の衝突反応セル（図１５ＢのＭＳシステム１５２０にある衝突反応セル１５２５など）が存在してもよい。一部の例では、ＭＳシステム１５３０は、図１５Ｃに示すように、質量分析器１５１０に流体的に結合された検出器１５３５を備えてもよい。本明細書で述べるように、必要に応じて、衝突反応セル１５２５の上流または下流（またはその両方）に、イオン光学系があってもよい。さらに、図１５Ａ〜図１５Ｃに示すシステムには、１つ以上のイオン偏向器、インタフェース、スキマーなどがあってもよい。さらに、噴霧器、エアロゾル器、注入器などのサンプル導入デバイスが存在してもよい。必要に応じて、質量分析計は、例えばガスクロマトグラフまたは高速液体クロマトグラフを含む１つ以上のクロマトグラフデバイスにつながれてもよい。
【０１４７】
ある構成では、本明細書に記載された質量分析計のイオン化源は、様々であってもよく、実例となるイオン化源は、誘導結合プラズマ、容量結合プラズマ、電子衝撃源、マトリックス支援レーザ脱離イオン化源、エレクトロスプレーイオン化源、熱イオン化、アーク、スパーク、炎、及びその他のイオン化源を含むが、これらに限定されない。特定の実施形態では、本明細書に記載された質量分析計で使用される質量分析器は、様々であってもよく、実例となる質量分析器は、シングル四重極、デュアル四重極、トリプル四重極、磁場セクタ、二重集束、四重極イオントラップ、サイクロトロン、及びその他の質量分析器を含むが、これらに限定されない。一部の例では、本明細書に記載された質量分析計で使用される的確な検出器は、様々であってもよく、実例となる検出器は、ファラデーカップ、電子増倍管、シンチレーションプレート、マルチチャネルプレート、マイクロチャネルプレート、マイクロアレイ、及び質量分析計で一般的に使用されるその他の検出器を含むが、これらに限定されない。
【０１４８】
特定の実施形態では、本明細書に記載された方法及びシステムを使用して分析することができる単一系の性質は様々であってもよい。単一系がナノ材料を含む場合、このナノ材料は、１種類、２種類、３種類、または３種類以上の分析種と配位結合する、化学結合する、またはその他の方法で相互作用する分子構造を含んでもよい。絶対に必要ではないが、ナノ材料は、約１〜約１００ナノメートルの大きさである（または約１〜約１００ナノメートルの１つの寸法を有する）傾向があり、周囲の界面層、表面剤、キャッピング剤などを構成してもよい。ナノ構造はナノ粒子に似ているが、ナノスケールレベルではない１つ以上の寸法を有する場合がある。例えば、ナノテクスチャ加工された表面は、ナノスケールレベルの１つの寸法を有し得る。ナノチューブは、ナノスケールレベルの２つの寸法を有し得る。ナノ粒子は、一般に、ナノスケールレベルの３つの寸法を有する。本明細書に記載された方法を使用して分析することができる、実例となるナノ材料としては、ナノフィルム、ナノケージ、ナノスフェア、ナノロッド、ナノボックス、ナノクラスター、ナノカップ、ナノファブリック、ナノフォーム、ナノメッシュ、ナノフラワー、ナノフレーク、ナノコンポジット、ナノホール、ナノピラー、ナノピン、ナノピンフィルム、ナノプレートレット、ナノリボン、ナノシート、ナノホイール、ナノチップ、ナノワイヤー、量子ドット、自己組織化ナノ材料、及びナノ材料を含む薄膜が含まれるが、これらに限定されない。
【０１４９】
一部の例では、マイクロ粒子及びマイクロ構造などのマイクロ材料を、本明細書に記載されている方法を使用して分析することができる。マイクロ材料は、一般に、１００ｎｍ〜１００ミクロンの大きさの１つ以上の寸法を有する。特定の生体細胞は、マイクロ材料と考えられる適切な大きさを含み得る。マイクロ粒子は、一般にマイクロスケールレベルの３つの寸法を有しており、セラミック粒子、ガラス粒子、ポリマー粒子、ダスト粒子、及び砂糖、小麦粉などの食物粒子を含み得る。マイクロ材料は、本明細書に記載された方法及びシステムを使用して検出できる１種類、２種類、３種類、または３種類以上の分析種を含むことが多い。例えば、セラミック、ガラス、またはポリマーのマイクロスフェア（ポリエチレン、ポリプロピレン、及びポリスチレンのマイクロスフェアなど）は、多くの場合、２種類以上の分析種を様々な量で含む。中空マイクロスフェアは、治療剤または生物学的薬剤などの医薬品をカプセル封入するための送達剤として使用することができ、または特定のプラスチック材料の密度を低下させるために使用することができる。反射性マイクロスフェアを塗料に添加して、光の反射率を高めることができる。透明なマイクロスフェアは、化粧品業界で、しわやシミを隠すためのフィラー剤またはテクスチャリング剤として使用されることが多い。
【０１５０】
本明細書に記載された方法を使用して２種類以上の分析種の定量のために単一の生体細胞または生体系が使用される例では、生体細胞は、細菌細胞、真菌細胞、植物細胞、原生生物細胞、動物細胞、またはウイルスであってもよい。細胞が細菌細胞である場合、細菌細胞は、Ａｃｉｄｏｂａｃｔｅｒｉａ、Ａｃｔｉｎｏｂａｃｔｅｒｉａ、Ａｑｕｉｆｉｃａｅ、Ａｒｍａｔｉｍｏｎａｄｅｔｅｓ、Ｂａｃｔｅｒｏｉｄｅｔｅｓ、Ｃａｌｄｉｓｅｒｉｃａ、Ｃｈｌａｍｙｄｉａｅ、Ｃｈｌｏｒｏｂｉ、Ｃｈｌｏｒｏｆｌｅｘｉ、Ｃｈｒｙｓｉｏｇｅｎｅｔｅｓ、Ｃｙａｎｏｂａｃｔｅｒｉａ、Ｄｅｆｅｒｒｉｂａｃｔｅｒｅｓ、Ｄｅｉｎｏｃｏｃｃｕｓ−Ｔｈｅｒｍｕｓ、Ｄｉｃｔｙｏｇｌｏｍｉ、Ｅｌｕｓｉｍｉｃｒｏｂｉａ、Ｆｉｂｒｏｂａｃｔｅｒｅｓ、Ｆｉｒｍｉｃｕｔｅｓ、Ｆｕｓｏｂａｃｔｅｒｉａ、Ｇｅｍｍａｔｉｍｏｎａｄｅｔｅｓ、Ｌｅｎｔｉｓｐｈａｅｒａｅ、Ｎｉｔｒｏｓｐｉｒａｅ、Ｐｌａｎｃｔｏｍｙｃｅｔｅｓ、Ｐｒｏｔｅｏｂａｃｔｅｒｉａ、Ｓｐｉｒｏｃｈａｅｔｅｓ、Ｓｙｎｅｒｇｉｓｔｅｔｅｓ、Ｔｅｎｅｒｉｃｕｔｅｓ、Ｔｈｅｒｍｏｄｅｓｕｌｆｏｂａｃｔｅｒｉａ、Ｔｈｅｒｍｏｔｏｇａｅ、またはＶｅｒｒｕｃｏｍｉｃｒｏｂｉａ門のうちの１つ以上に由来する細胞であってもよい。分析可能な細菌細胞の実例となる網、目及び／または科には、Ａｃｉｄｏｂａｃｔｅｒｉａ、Ｂｌａｓｔｏｃａｔｅｌｌｉａ、Ｈｏｌｏｐｈａｇａｅ、Ｒｕｂｒｏｂａｃｔｅｒｉａ、Ｔｈｅｒｍｏｌｅｏｐｈｉｌｉａ、Ｃｏｒｉｏｂａｃｔｅｒｉｉａ、Ａｃｉｄｉｍｉｃｒｏｂｉｉａ、Ｎｉｔｒｉｌｉｒｕｐｔｏｒｉａ、Ａｃｔｉｎｏｂａｃｔｅｒｉａ、Ａｑｕｉｆｉｃａｌｅｓ、Ａｑｕｉｆｉｃａｃｅａｅ、Ｈｙｄｒｏｇｅｎｏｔｈｅｒｍａｃｅａｅ、Ｄｅｓｕｌｆｕｒｏｂａｃｔｅｒｉａｌｅｓ、Ｄｅｓｕｌｆｕｒｏｂａｃｔｅｒｉａｃｅａｅ、Ｔｈｅｒｍｏｓｕｌｆｉｄｉｂａｃｔｅｒ、Ｆｉｍｂｒｉｉｍｏｎａｄｉａ、Ａｒｍａｔｉｍｏｎａｄｉａ、Ｃｈｔｈｏｎｏｍｏｎａｄｅｔｅｓ、Ｒｈｏｄｏｔｈｅｒｍｉａ、Ｒｈｏｄｏｔｈｅｒｍａｌｅｓ、Ｂａｌｎｅｏｌｉａ、Ｂａｌｎｅｏｌａｌｅｓ、Ｃｙｔｏｐｈａｇｉａ、Ｃｙｔｏｐｈａｇａｌｅｓ、Ｓｐｈｉｎｇｏｂａｃｔｅｒｉａ、Ｓｐｈｉｎｇｏｂａｃｔｅｒｉａｌｅｓ、Ｃｈｉｔｉｎｏｐｈａｇｉａ、Ｃｈｉｔｉｎｏｐｈａｇａｌｅｓ、Ｂａｃｔｅｒｏｉｄｉａ、Ｂａｃｔｅｒｏｉｄａｌｅｓ、Ｆｌａｖｏｂａｃｔｅｒｉｉａ、Ｆｌａｖｏｂａｃｔｅｒｉａｌｅｓ、Ｃａｌｄｉｓｅｒｉｃａｃｅａｅ、Ｃｈｌａｍｙｄｉａｌｅｓ、Ｃｈｌａｍｙｄｉａｃｅａｅ、Ｃａｎｄｉｄａｔｕｓ、Ｃｌａｖｉｃｈｌａｍｙｄｉａｃｅａｅ、Ｐａｒａｃｈｌａｍｙｄｉａｌｅｓ、Ｃｒｉｂｌａｍｙｄｉａｃｅａｅ、Ｐａｒａｃｈｌａｍｙｄｉａｃｅａｅ、Ｓｉｍｋａｎｉａｃｅａｅ、Ｗａｄｄｌｉａｃｅａｅ、Ｃａｎｄｉｄａｔｕｓ  Ｐｉｓｃｉｃｈｌａｍｙｄｉａ、Ｃａｎｄｉｄａｔｕｓ  Ａｃｔｉｎｏｃｈｌａｍｙｄｉａｃｅａｅ、Ｃａｎｄｉｄａｔｕｓ  Ｐａｒｉｌｉｃｈｌａｍｙｄｉａｃｅａｅ、Ｃａｎｄｉｄａｔｕｓ  Ｒｈａｂｄｏｃｈｌａｍｙｄｉａｃｅａｅ、Ｉｇｎａｖｉｂａｃｔｅｒｉａ、Ｉｇｎａｖｉｂａｃｔｅｒｉａｌｅｓ、Ｉｇ���ａｖｉｂａｃｔｅｒｉａｃｅａｅ、Ｉｇｎａｖｉｂａｃｔｅｒｉｕｍ、Ｍｅｌｉｏｒｉｂａｃｔｅｒ、Ｃｈｌｏｒｏｂｅａ、Ｃｈｌｏｒｏｂｉａｌｅｓ、Ｃｈｌｏｒｏｂｉａｃｅａｅ、Ａｎｃａｌｏｃｈｌｏｒｉｓ、Ｃｈｌｏｒｏｂａｃｕｌｕｍ、Ｃｈｌｏｒｏｂｉｕｍ、Ｃｈｌｏｒｏｈｅｒｐｅｔｏｎ、Ｃｌａｔｈｒｏｃｈｌｏｒｉｓ、Ｐｅｌｏｄｉｃｔｙｏｎ、Ｐｒｏｓｔｈｅｃｏｃｈｌｏｒｉｓ、Ｔｈｅｒｍｏｆｌｅｘｉａ、Ｄｅｈａｌｏｃｏｃｃｏｉｄｉａ、Ａｎａｅｒｏｌｉｎｅａｅ、Ａｒｄｅｎｔｉｃａｔｅｎｉａ、Ｃａｌｄｉｌｉｎｅａｅ、Ｋｔｅｄｏｎｏｂａｃｔｅｒｉａ、Ｔｈｅｒｍｏｍｉｃｒｏｂｉａ、Ｃｈｌｏｒｏｆｌｅｘｉａ、Ｃｈｒｙｓｉｏｇｅｎｅｔｅｓ、Ｃｈｒｙｓｉｏｇｅｎａｌｅｓ、Ｃｈｒｙｓｉｏｇｅｎａｃｅａｅ、Ｃｈｒｏｏｃｏｃｃａｌｅｓ、Ｃｈｒｏｏｃｏｃｃｉｄｉｏｐｓｉｄａｌｅｓ、Ｇｌｏｅｏｂａｃｔｅｒａｌｅｓ、Ｎｏｓｔｏｃａｌｅｓ、Ｏｓｃｉｌｌａｔｏｒｉａｌｅｓ、Ｐｌｅｕｒｏｃａｐｓａｌｅｓ、Ｓｐｉｒｕｌｉｎａｌｅｓ、Ｓｙｎｅｃｈｏｃｏｃｃａｌｅｓ、Ｉｎｃｅｒｔａｅ  ｓｅｄｉｓ、Ｄｅｆｅｒｒｉｂａｃｔｅｒａｌｅ、Ｄｅｆｅｒｒｉｂａｃｔｅｒａｃｅａｅ、Ｄｅｉｎｏｃｏｃｃａｌｅｓ、Ｄｅｉｎｏｃｏｃｃａｃｅａｅ、Ｔｒｕｅｐｅｒａｃｅａｅ、Ｔｈｅｒｍａｌｅｓ、Ｔｈｅｒｍａｃｅａｅ、Ｄｉｃｔｙｏｇｌｏｍａｌｅｓ、Ｄｉｃｔｙｏｇｌｏｍａｃｅａｅ、Ｅｌｕｓｉｍｉｃｒｏｂｉａ、Ｅｎｄｏｍｉｃｒｏｂｉａ、Ｂｌａｓｔｏｃａｔｅｌｌｉａ、Ｃｈｉｔｉｎｉｓｐｉｒｉｌｌｉａ、Ｃｈｉｔｉｎｉｖｉｂｒｉｏｎｉａ、Ｆｉｂｒｏｂａｃｔｅｒｉａ、Ｂａｃｉｌｌｉ、Ｂａｃｉｌｌａｌｅｓ、Ｌａｃｔｏｂａｃｉｌｌａｌｅｓ，Ｃｌｏｓｔｒｉｄｉａ、Ｃｌｏｓｔｒｉｄｉａｌｅｓ、Ｈａｌａｎａｅｒｏｂｉａｌｅｓ、Ｎａｔｒａｎａｅｒｏｂｉａｌｅｓ、Ｔｈｅｒｍｏａｎａｅｒｏｂａｃｔｅｒａｌｅｓ、Ｅｒｙｓｉｐｅｌｏｔｒｉｃｈｉａ、Ｅｒｙｓｉｐｅｌｏｔｒｉｃｈａｌｅｓ、Ｎｅｇａｔｉｖｉｃｕｔｅｓ、Ｓｅｌｅｎｏｍｏｎａｄａｌｅｓ、Ｔｈｅｒｍｏｌｉｔｈｏｂａｃｔｅｒｉａ、Ｆｕｓｏｂａｃｔｅｒｉｉａ、Ｆｕｓｏｂａｃｔｅｒｉａｌｅｓ、Ｌｅｐｔｏｔｒｉｃｈｉａｃｅａｅ、Ｓｅｂａｌｄｅｌｌａ、Ｓｎｅａｔｈｉａ、Ｓｔｒｅｐｔｏｂａｃｉｌｌｕｓ、Ｌｅｐｔｏｔｒｉｃｈｉａ、Ｆｕｓｏｂａｃｔｅｒｉａｃｅａｅ、Ｃｅｔｏｂａｃｔｅｒｉｕｍ、Ｆｕｓｏｂａｃｔｅｒｉｕｍ、Ｉｌｙｏｂａｃｔｅｒ、Ｐｒｏｐｉｏｎｉｇｅｎｉｕｍ、Ｐｓｙｃｈｒｉｌｙｏｂａｃｔｅｒ、Ｌｏｎｇｉｍｉｃｒｏｂｉａ、Ｇｅｍｍａｔｉｍｏｎａｄｅｔｅｓ、Ｏｌｉｇｏｓｐｈａｅｒｉａ、Ｌｅｎｔｉｓｐｈａｅｒｉａ、Ｎｉｔｒｏｓｐｉｒｉａ、Ｎｉｔｒｏｓｐｉｒａｌｅｓ、Ｎｉｔｒｏｓｐｉｒａｃｅａｅ、Ｐｈｙｃｉｓｐｈａｅｒａｅ、Ｐｌａｎｃｔｏｍｙｃｅｔａｃｉａ、Ａｌｐｈａｐｒｏｔｅｏｂａｃｔｅｒｉａ、Ｂｅｔａｐｒｏｔｅｏｂａｃｔｅｒｉａ、Ｈｙｄｒｏｇｅｎｏｐｈｉｌａｌｉａ、Ｇａｍｍａｐｒｏｔｅｏｂａｃｔｅｒｉａ、Ａｃｉｄｉｔｈｉｏｂａｃｉｌｌｉａ、Ｄｅｌｔａｐｒｏｔｅｏｂａｃｔｅｒｉａ、Ｅｐｓｉｌｏｎｐｒｏｔｅｏｂａｃｔｅｒｉａ  ａｎｄ  Ｏｌｉｇｏｆｌｅｘ���ａ、Ｓｐｉｒｏｃｈａｅｔｉａ、Ｂｒａｃｈｙｓｐｉｒａｌｅｓ、Ｂｒａｃｈｙｓｐｉｒａｃｅａｅ、Ｂｒｅｖｉｎｅｍａｔａｌｅｓ、Ｂｒｅｖｉｎｅｍａｔａｃｅａｅ、Ｌｅｐｔｏｓｐｉｒａｌｅｓ  Ｌｅｐｔｏｓｐｉｒａｃｅａｅ、Ｓｐｉｒｏｃｈａｅｔａｌｅｓ、Ｂｏｒｒｅｌｉａｃｅａｅ、Ｓｐｉｒｏｃｈａｅｔａｃｅａｅ、Ｓａｒｐｕｌｉｎａｃｅａｅ、Ｓｙｎｅｒｇｉｓｔｉａ、Ｓｙｎｅｒｇｉｓｔａｌｅｓ、Ｓｙｎｅｒｇｉｓｔａｃｅａｅ、Ｍｏｌｌｉｃｕｔｅｓ、Ｔｈｅｒｍｏｄｅｓｕｌｆｏｂａｃｔｅｒｉａ、Ｔｈｅｒｍｏｄｅｓｕｌｆｏｂａｃｔｅｒｉａｌｅｓ  Ｔｈｅｒｍｏｄｅｓｕｌｆｏｂａｃｔｅｒｉａｃｅａｅ、Ｔｈｅｒｍｏｔｏｇａｅ、Ｋｏｓｍｏｔｏｇａｌｅｓ、Ｋｏｓｍｏｔｏｇａｃｅａｅ、Ｍｅｓｏａｃｉｄｉｔｏｇａｌｅｓ、Ｍｅｓｏａｃｉｄｉｔｏｇａｃｅａｅ、Ｐｅｔｒｏｔｏｇａｌｅｓ、Ｐｅｔｒｏｔｏｇａｃｅａｅ、Ｔｈｅｒｍｏｔｏｇａｌｅｓ、Ｔｈｅｒｍｏｔｏｇａｃｅａｅ、Ｆｅｒｖｉｄｏｂａｃｔｅｒｉａｃｅａｅ、Ｃａｎｄｉｄａｔｕｓ  Ｅｐｉｘｅｎｏｓｏｍａ、Ｌｅｎｔｉｍｏｎａｓ、Ｍｅｔｈｙｌｏａｃｉｄａ、Ｍｅｔｈｙｌａｃｉｄｉｍｉｃｒｏｂｉｕｍ、Ｍｅｔｈｙｌａｃｉｄｉｐｈｉｌａｌｅｓ、Ｓｐａｒｔｏｂａｃｔｅｒｉａ、Ｏｐｉｔｕｔａｅ、またはＶｅｒｒｕｃｏｍｉｃｒｏｂｉａｅ由来のものが含まれるが、これらに限定されない。これらの網、目、及び科の範囲内の様々な属及び種を、本明細書に記載されている方法及びシステムを使用して、分析のために選択することができる。
【０１５１】
細胞が真菌細胞である場合、真菌細胞は、Ｂｌａｓｔｏｃｌａｄｉｏｍｙｃｏｔａ、Ｃｈｙｔｒｉｄｉｏｍｙｃｏｔａ、Ｇｌｏｍｅｒｏｍｙｃｏｔａ、Ｍｉｃｒｏｓｐｏｒｉｄｉａ、Ｎｅｏｃａｌｌｉｍａｓｔｉｇｏｍｙｃｏｔａ、Ｄｉｋａｒｙａ  （ｉｎｃ．  Ｄｅｕｔｅｒｏｍｙｃｏｔａ）、Ａｓｃｏｍｙｃｏｔａ、Ｐｅｚｉｚｏｍｙｃｏｔｉｎａ、Ｓａｃｃｈａｒｏｍｙｃｏｔｉｎａ、Ｔａｐｈｒｉｎｏｍｙｃｏｔｉｎａ、Ｂａｓｉｄｉｏｍｙｃｏｔａ  Ａｇａｒｉｃｏｍｙｃｏｔｉｎａ、Ｐｕｃｃｉｎｉｏｍｙｃｏｔｉｎａ、Ｕｓｔｉｌａｇｉｎｏｍｙｃｏｔｉｎａ、Ｅｎｔｏｍｏｐｈｔｈｏｒｏｍｙｃｏｔｉｎａ、Ｋｉｃｋｘｅｌｌｏｍｙｃｏｔｉｎａ、Ｍｕｃｏｒｏｍｙｃｏｔｉｎａ、またはＺｏｏｐａｇｏｍｙｃｏｔｉｎａの門及び亜門のうちの１つ以上に由来するものであってもよい。分析可能な真菌細胞の実例となる網、目及び／または科には、Ｂｌａｓｔｏｃｌａｄｉｏｍｙｃｅｔｅｓ、Ｂｌａｓｔｏｃｌａｄｉａｌｅｓ  Ｂｌａｓｔｏｃｌａｄｉａｃｅａｅ、Ｃａｔｅｎａｒｉａｃｅａｅ、Ｃｏｅｌｏｍｏｍｙｃｅｔａｃｅａｅ、Ｐｈｙｓｏｄｅｒｍａｔａｃｅａｅ、Ｓｏｒｏｃｈｙｔｒｉａｃｅａｅ、Ｃｈｙｔｒｉｄｉｏｍｙｃｅｔｅｓ、Ｃｈｙｔｒｉｄｉａｌｅｓ、Ｃｌａｄｏｃｈｙｔｒｉａｌｅｓ、Ｒｈｉｚｏｐｈｙｄｉａｌｅｓ、Ｐｏｌｙｃｈｙｔｒｉａｌｅｓ、Ｓｐｉｚｅｌｌｏｍｙｃｅｔａｌｅｓ、Ｒｈｉｚｏｐｈｌｙｃｔｉｄａｌｅｓ、Ｌｏｂｕｌｏｍｙｃｅｔａｌｅｓ、Ｇｒｏｍｏｃｈｙｔｒｉａｌｅｓ、Ｍｅｓｏｃｈｙｔｒｉａｌｅｓ、Ｓｙｎｃｈｙｔｒｉａｌｅｓ、Ｐｏｌｙｐｈａｇａｌｅｓ、Ｍｏｎｏｂｌｅｐｈａｒｉｄｏｍｙｃｅｔｅｓ、Ｍｏｎｏｂｌｅｐｈａｒｉｄａｌｅｓ、Ｈａｒｐｏｃｈｙｔｒｉａｌｅｓ、Ｈｙａｌｏｒａｐｈｉｄｉｏｍｙｃｅｔｅｓ、Ｈｙａｌｏｒａｐｈｉｄｉａｌｅｓ、Ｇｌｏｍｅｒｏｍｙｃｅｔｅｓ、Ａｒｃｈａｅｏｓｐｏｒａｌｅｓ、Ｄｉｖｅｒｓｉｓｐｏｒａｌｅｓ、Ｇｌｏｍｅｒａｌｅｓ、Ｐａｒａｇｌｏｍｅｒａｌｅｓ、Ｎｅｍａｔｏｐｈｙｔａｌｅｓ、Ｍｅｔｃｈｎｉｋｏｖｅｌｌｅａ、Ｍｅｔｃｈｎｉｋｏｖｅｌｌｉｄａ  Ａｍｐｈｉａｃａｎｔｈｉｄａｅ、Ｍｅｔｃｈｎｉｋｏｖｅｌｌｉｄａｅ、Ｍｉｃｒｏｓｐｏｒｅａ、Ｃｏｕｇｏｕｒｄｅｌｌｉｄａｅ、Ｆａｃｉｌｉｓｐｏｒｉｄａｅ、Ｈｅｔｅｒｏｖｅｓｉｃｕｌｉｄａｅ、Ｍｙｏｓｐｏｒｉｄａｅ、Ｎａｄｅｌｓｐｏｒｉｄａｅ、Ｎｅｏｎｏｓｅｍｏｉｄｉｉｄａｅ、Ｏｒｄｏｓｐｏｒｉｄａｅ、Ｐｓｅｕｄｏｎｏｓｅｍａｔｉｄａｅ、Ｔｅｌｏｍｙｘｉｄａｅ、Ｔｏｘｏｇｌｕｇｅｉｄａｅ、Ｔｕｂｕｌｉｎｏｓｅｍａｔｉｄａｅ、Ｈａｐｌｏｐｈａｓｅａ、Ｃｈｙｔｒｉｄｉｏｐｓｉｄａ、Ｃｈｙｔｒｉｄｉｏｐｓｉｄａｅ、Ｂｕｘｔｅｈｕｄｉｉｄａｅ、Ｅｎｔｅｒｏｃｙｔｏｚｏｏｎｉｄａｅ、Ｂｕｒｋｅｉｄａｅ、Ｈｅｓｓｅｉｄａｅ、Ｇｌｕｇｅｉｄａ、Ｇｌｕｇｅｉｄａｅ、Ｇｕｒｌｅｙｉｄａｅ、Ｅｎｃｅｐｈａｌｉｔｏｚｏｏｎｉｄａｅ、Ａｂｅｌｓｐｏｒｉｄａｅ、Ｔｕｚｅｔｉｉｄａｅ、Ｍｉｃｒｏｆｉｌｉｄａｅ、Ｕｎｉｋａｒｙｏｎｉｄａｅ、Ｄｉｈａｐｌｏｐｈａｓｅａ、Ｍｅｉｏｄｉｈａｐｌｏｐｈａｓｉｄａ、Ｔｈｅｌｏｈａｎｉｏｉｄｅａ、��ｈｅｌｏｈａｎｉｉｄａｅ、Ｄｕｂｏｓｃｑｉｉｄａｅ、Ｊａｎａｃｅｋｉｉｄａｅ、Ｐｅｒｅｚｉｉｄａｅ、Ｓｔｒｉａｔｏｓｐｏｒｉｄａｅ、Ｃｙｌｉｎｄｒｏｓｐｏｒｉｄａｅ、Ｂｕｒｅｎｅｌｌｏｉｄｅａ、Ｂｕｒｅｎｅｌｌｉｄａｅ、Ａｍｂｌｙｏｓｐｏｒｏｉｄｅａ、Ａｍｂｌｙｏｓｐｏｒｉｄａｅ、Ｄｉｓｓｏｃｉｏｄｉｈａｐｌｏｐｈａｓｉｄａ、Ｎｏｓｅｍａｔｏｉｄｅａ、Ｎｏｓｅｍａｔｉｄａｅ、Ｉｃｈｔｈｙｏｓｐｏｒｉｄｉｉｄａｅ、Ｃａｕｄｏｓｐｏｒｉｄａｅ、Ｐｓｅｕｄｏｐｌｅｉｓｔｏｐｈｏｒｉｄａｅ、Ｍｒａｚｅｋｉｉｄａｅ  Ｃｕｌｉｃｏｓｐｏｒｏｉｄｅａ、Ｃｕｌｉｃｏｓｐｏｒｉｄａｅ、Ｃｕｌｉｃｏｓｐｏｒｅｌｌｉｄａｅ、Ｇｏｌｂｅｒｇｉｉｄａｅ、Ｓｐｒａｇｕｅｉｄａｅ  Ｏｖａｖｅｓｉｃｕｌｏｉｄｅａ、Ｏｖａｖｅｓｉｃｕｌｉｄａｅ、Ｔｅｔｒａｍｉｃｒｉｄａｅ、Ｒｕｄｉｍｉｃｒｏｓｐｏｒａ、Ｍｉｎｉｓｐｏｒｅａ、Ｍｉｎｉｓｐｏｒｉｄａ、Ｍｅｔｃｈｎｉｋｏｖｅｌｌｅａ、Ｍｅｔｃｈｎｉｋｏｖｅｌｌｉｄａ、Ｐｏｌａｒｏｐｌａｓｔａ、Ｐｌｅｉｓｔｏｐｈｏｒｉｄｅａ、Ｐｌｅｉｓｔｏｐｈｏｒｉｄａ、Ｄｉｓｐｏｒｅａ、Ｕｎｉｋａｒｙｏｔｉａ、Ｄｉｐｌｏｋａｒｙｏｔｉａ、Ｎｅｏｃａｌｌｉｍａｓｔｉｇｏｍｙｃｅｔｅｓ、Ｎｅｏｃａｌｌｉｍａｓｔｉｇａｌｅｓ、Ｎｅｏｃａｌｌｉｍａｓｔｉｇａｃｅａｅ  Ｐｅｚｉｚｏｍｙｃｏｔｉｎａ、Ａｒｔｈｏｎｉｏｍｙｃｅｔｅｓ、Ｃｏｎｉｏｃｙｂｏｍｙｃｅｔｅｓ、Ｄｏｔｈｉｄｅｏｍｙｃｅｔｅｓ、Ｅｕｒｏｔｉｏｍｙｃｅｔｅｓ、Ｇｅｏｇｌｏｓｓｏｍｙｃｅｔｅｓ、Ｌａｂｏｕｌｂｅｎｉｏｍｙｃｅｔｅｓ、Ｌｅｃａｎｏｒｏｍｙｃｅｔｅｓ、Ｌｅｏｔｉｏｍｙｃｅｔｅｓ、Ｌｉｃｈｉｎｏｍｙｃｅｔｅｓ、Ｏｒｂｉｌｉｏｍｙｃｅｔｅｓ、Ｐｅｚｉｚｏｍｙｃｅｔｅｓ、Ｓｏｒｄａｒｉｏｍｙｃｅｔｅｓ、Ｘｙｌｏｎｏｍｙｃｅｔｅｓ  Ｌａｈｍｉａｌｅｓ、Ｉｔｃｈｉｃｌａｈｍａｄｉｏｎ、Ｔｒｉｂｌｉｄｉａｌｅｓ、Ｓａｃｃｈａｒｏｍｙｃｏｔｉｎａ、Ｓａｃｃｈａｒｏｍｙｃｅｔｅｓ、Ｔａｐｈｒｉｎｏｍｙｃｏｔｉｎａ  Ａｒｃｈａｅｏｒｈｉｚｏｍｙｃｅｓ、Ｎｅｏｌｅｃｔｏｍｙｃｅｔｅｓ、Ｐｎｅｕｍｏｃｙｓｔｉｄｏｍｙｃｅｔｅｓ、Ｓｃｈｉｚｏｓａｃｃｈａｒｏｍｙｃｅｔｅｓ、Ｔａｐｈｒｉｎｏｍｙｃｅｔｅｓ、Ａｒｔｈｏｎｉｏｍｙｃｅｔｅｓ、Ｃｏｎｉｏｃｙｂｏｍｙｃｅｔｅｓ、Ｄｏｔｈｉｄｅｏｍｙｃｅｔｅｓ、Ｅｕｒｏｔｉｏｍｙｃｅｔｅｓ、Ｇｅｏｇｌｏｓｓｏｍｙｃｅｔｅｓ、Ｌａｂｏｕｌｂｅｎｉｏｍｙｃｅｔｅｓ、Ｌｅｃａｎｏｒｏｍｙｃｅｔｅｓ、Ｌｅｏｔｉｏｍｙｃｅｔｅｓ、Ｌｉｃｈｉｎｏｍｙｃｅｔｅｓ、Ｏｒｂｉｌｉｏｍｙｃｅｔｅｓ、Ｐｅｚｉｚｏｍｙｃｅｔｅｓ、Ｓｏｒｄａｒｉｏｍｙｃｅｔｅｓ、Ｘｙｌｏｎｏｍｙｃｅｔｅｓ、Ｌａｈｍｉａｌｅｓ、Ｍｅｄｅｏｌａｒｉａｌｅｓ、Ｔｒｉｂｌｉｄｉａｌｅｓ、Ｓａｃｃｈａｒｏｍｙｃｅｔａｌｅｓ、Ａｓｃｏｉｄｅａｃｅａｅ、Ｃｅｐｈａｌｏａｓｃａｃｅａｅ、Ｄｅｂａｒｙｏｍｙｃｅｔａｃｅａｅ、Ｄｉｐｏｄａｓｃａｃｅａｅ、Ｅｎｄｏｍｙｃｅｔａｃｅａｅ、Ｌｉｐｏｍｙｃｅｔａｃｅａｅ、Ｍｅｔｓｃｈｎｉｋｏｗｉａｃｅａｅ、Ｐｈａｆｆｏｍｙｃｅ���ａｃｅａｅ、Ｐｉｃｈｉａｃｅａｅ、Ｓａｃｃｈａｒｏｍｙｃｅｔａｃｅａｅ、Ｓａｃｃｈａｒｏｍｙｃｏｄａｃｅａｅ、Ｓａｃｃｈａｒｏｍｙｃｏｐｓｉｄａｃｅａｅ、Ｔｒｉｃｈｏｍｏｎａｓｃａｃｅａｅ、Ａｒｃｈａｅｏｒｈｉｚｏｍｙｃｅｔｅｓ、Ｎｅｏｌｅｃｔｏｍｙｃｅｔｅｓ、Ｐｎｅｕｍｏｃｙｓｔｉｄｏｍｙｃｅｔｅｓ、Ｓｃｈｉｚｏｓａｃｃｈａｒｏｍｙｃｅｔｅｓ、Ｔａｐｈｒｉｎｏｍｙｃｅｔｅｓ、Ａｇａｒｉｃｏｍｙｃｏｔｉｎａ、Ｐｕｃｃｉｎｉｏｍｙｃｏｔｉｎａ、Ｕｓｔｉｌａｇｉｎｏｍｙｃｏｔｉｎａ、Ｗａｌｌｅｍｉｏｍｙｃｅｔｅｓ、Ｔｒｅｍｅｌｌｏｍｙｃｅｔｅｓ、Ｄａｃｒｙｍｙｃｅｔｅｓ、Ａｇａｒｉｃｏｍｙｃｅｔｅｓ、Ａｇａｒｉｃｏｓｔｉｌｂｏｍｙｃｅｔｅｓ、Ａｔｒａｃｔｉｅｌｌｏｍｙｃｅｔｅｓ、Ｃｌａｓｓｉｃｕｌｏｍｙｃｅｔｅｓ、Ｃｒｙｐｔｏｍｙｃｏｃｏｌａｃｏｍｙｃｅｔｅｓ、Ｃｙｓｔｏｂａｓｉｄｉｏｍｙｃｅｔｅｓ、Ｍｉｃｒｏｂｏｔｒｙｏｍｙｃｅｔｅｓ、Ｍｉｘｉｏｍｙｃｅｔｅｓ、Ｐｕｃｃｉｎｉｏｍｙｃｅｔｅｓ、Ｔｒｉｔｉｒａｃｈｉｏｍｙｃｅｔｅｓ、Ｅｘｏｂａｓｉｄｉｏｍｙｃｅｔｅｓ、Ｃｅｒａｃｅｏｓｏｒａｌｅｓ、Ｄｏａｓｓａｎｓｉａｌｅｓ、Ｅｎｔｙｌｏｍａｔａｌｅｓ、Ｅｘｏｂａｓｉｄｉａｌｅｓ、Ｇｅｏｒｇｅｆｉｓｃｈｅｒｉａｌｅｓ、Ｍｉｃｒｏｓｔｒｏｍａｔａｌｅｓ、Ｔｉｌｌｅｔｉａｌｅｓ、Ｕｓｔｉｌａｇｉｎｏｍｙｃｅｔｅｓ、Ｕｒｏｃｙｓｔａｌｅｓ、Ｕｓｔｉｌａｇｉｎａｌｅｓ、Ｍａｌａｓｓｅｚｉｏｍｙｃｅｔｅｓ、Ｍａｌａｓｓｅｚｉｏａｌｅｓ、Ｍｏｎｉｌｉｅｌｌｏｍｙｃｅｔｅｓ、Ｍｏｎｉｌｉｅｌｌａｌｅｓ、Ｂａｓｉｄｉｏｂｏｌｏｍｙｃｅｔｅｓ、Ｎｅｏｚｙｇｉｔｏｍｙｃｅｔｅｓ、Ｅｎｔｏｍｏｐｈｔｈｏｒｏｍｙｃｅｔｅｓ、Ａｓｅｌｌａｒｉａｌｅｓ、Ｄｉｍａｒｇａｒｉｔａｌｅｓ、Ｈａｒｐｅｌｌａｌｅｓ、Ｋｉｃｋｘｅｌｌａｌｅｓ、Ｍｏｒｔｉｅｒｅｌｌｏｍｙｃｅｔｅｓ、Ｍｏｒｔｉｅｒｅｌｌａｌｅｓ、Ｍｕｃｏｒｏｍｙｃｅｔｅｓ、Ｍｕｃｏｒａｌｅｓ、またはＥｎｄｏｇｏｎａｌｅｓ由来のものが含まれるが、これらに限定されない。これらの網、目、及び科の範囲内の様々な属及び種を、本明細書に記載されている方法及びシステムを使用して、分析のために選択することができる。
【０１５２】
細胞が植物細胞である場合、植物細胞は、Ｎｅｍａｔｏｐｈｙｔｅｓ、Ｃｈｌｏｒｏｐｈｙｔａ、Ｐａｌｍｏｐｈｙｌｌａｌｅｓ、Ｐｒａｓｉｎｏｐｈｙｃｅａｅ、Ｎｅｐｈｒｏｓｅｌｍｉｄｏｐｈｙｃｅａｅ、Ｐｓｅｕｄｏｓｃｏｕｒｆｉｅｌｄｉａｌｅｓ、Ｐｙｒａｍｉｍｏｎａｄｏｐｈｙｃｅａｅ、Ｍａｍｉｅｌｌｏｐｈｙｃｅａｅ、Ｓｃｏｕｒｆｉｅｌｄｉａｌｅｓ、Ｐｅｄｉｎｏｐｈｙｃｅａｅ、Ｃｈｌｏｒｏｄｅｎｄｒｏｐｈｙｃｅａｅ、Ｔｒｅｂｏｕｘｉｏｐｈｙｃｅａｅ、Ｕｌｖｏｐｈｙｃｅａｅ、Ｃｈｌｏｒｏｐｈｙｃｅａｅ、Ｓｔｒｅｐｔｏｐｈｙｔａ、Ｃｈｌｏｒｏｋｙｂｏｐｈｙｔａ、Ｍｅｓｏｓｔｉｇｍａｔｏｐｈｙｔａ、Ｋｌｅｂｓｏｒｍｉｄｉｏｐｈｙｔａ、Ｃｈａｒｏｐｈｙｔａ、Ｃｈａｅｔｏｓｐｈａｅｒｉｄｉａｌｅｓ、Ｃｏｌｅｏｃｈａｅｔｏｐｈｙｔａ、Ｚｙｇｎｅｍａｔｏｐｈｙｔａ、またはＥｍｂｒｙｏｐｈｙｔａの門及び亜門のうちの１つ以上に由来するものであってもよい。分析可能な植物細胞の実例となる網、目、科、及び属には、Ｎｅｍａｔｏｔｈａｌｌｕｓ、Ｃｏｓｍｏｃｈｌａｉｎａ、Ｎｅｍａｔｏｐｈｙｔａｃｅａｅ、Ｎｅｍａｔｏｐｌｅｘｕｓ、Ｎｅｍａｔａｓｋｅｔｕｍ、Ｐｒｏｔｏｔａｘｉｔｅｓ、Ｕｌｖｏｐｈｙｃｅａｅ、Ｔｒｅｂｏｕｘｉｏｐｈｙｃｅａｅ、Ｃｈｌｏｒｏｐｈｙｃｅａｅ、Ｃｈｌｏｒｏｄｅｎｄｒｏｐｈｙｃｅａｅ、Ｍａｍｉｅｌｌｏｐｈｙｃｅａｅ、Ｎｅｐｈｒｏｓｅｌｍｉｄｏｐｈｙｃｅａｅ、Ｐａｌｍｏｐｈｙｌｌａｌｅｓ、Ｐｅｄｉｎｏｐｈｙｃｅａｅ、Ｐｒａｓｉｎｏｐｈｙｃｅａｅ、Ｐｓｅｕｄｏｓｃｏｕｒｆｉｅｌｄｉａｌｅｓ、Ｐｙｒａｍｉｍｏｎａｄｏｐｈｙｃｅａｅ、Ｓｃｏｕｒｆｉｅｌｄｉａｌｅｓ、Ｐａｌｍｏｃｌａｔｈｒｕｓ、Ｐａｌｍｏｐｈｙｌｌｕｍ、Ｖｅｒｄｉｇｅｌｌａｓ、Ｐｒａｓｉｎｏｃｏｃｃａｌｅｓ、Ｐｒａｓｉｎｏｐｈｙｃｅａｅ  ｉｎｃｅｒｔａｅ  ｓｅｄｉｓ、Ｐｓｅｕｄｏｓｃｏｕｒｆｉｅｌｄｉａｌｅｓ、Ｐｙｒａｍｉｍｏｎａｄａｌｅｓ、Ｎｅｐｈｏｓｅｌｍｉｓ、Ｐｙｃｎｏｃｏｃｃａｃｅａｅ、Ｓｃｏｕｒｆｉｅｌｄｉａｃｅａｅ、Ｐｅｄｉｎｏｍｏｎａｓ、Ｒｅｓｕｌｔｏｒ、Ｍａｒｓｕｐｉｏｍｏｎａｓ、Ｃｈｌｏｒｏｃｈｔｒｉｄｉｏｎ  ｔｕｂｅｒｃｕｌａｔｕｍ、Ｃｈｌｏｒｅｌｌａｌｅｓ、Ｐｒａｓｉｏｌａｌｅｓ、Ｔｒｅｂｏｕｘｉａｌｅｓ、Ｂｒｙｏｐｓｉｄａｌｅｓ、Ｃｌａｄｏｐｈｏｒａｌｅｓ、Ｄａｓｙｃｌａｄａｌｅｓ、Ｏｌｔｍａｎｎｓｉｅｌｌｏｐｓｉｄａｌｅｓ、Ｓｃｏｔｉｎｏｓｐｈａｅｒａｌｅｓ、Ｔｒｅｎｔｅｐｏｈｌｉａｌｅｓ、Ｕｌｏｔｒｉｃｈａｌｅｓ、Ｕｌｖａｌｅｓ、Ｃｈａｅｔｏｐｅｌｔｉｄａｌｅｓ、Ｃｈａｅｔｏｐｈｏｒａｌｅｓ、Ｃｈｌａｍｙｄｏｍｏｎａｄａｌｅｓ、Ｃｈｌｏｒｏｃｏｃｃａｌｅｓ、Ｃｈｌｏｒｏｃｙｓｔｉｄａｌｅｓ、Ｍｉｃｒｏｓｐｏｒａｌｅｓ、Ｏｅｄｏｇｏｎｉａｌｅｓ、Ｐｈａｅｏｐｈｉｌａｌｅｓ、Ｓｐｈａｅｒｏｐｌｅａｌｅｓ、Ｔｅｔｒａｓｐｏｒａｌｅｓ、Ｃｈｌｏｒｏｋｙｂｕｓ、Ｍｅｓｏｓｔｉｇｍａｔｏｐｈｙｃｅａｅ、Ｅｎｔｒａｎｓｉａ、Ｈｏｒｍｉｄｉｅｌｌａ、Ｉｎｔｅｒｆｉｌｕｍ、Ｋｌｅｂｓｏｒｍｉｄｉｕｍ、Ｍｅｓｏｓｔｉｇｍａｔｏｐｈｙｃｅａｅ、Ｋｌｅｂｓｏｒｍｉｄｉｏｐｈｙｃｅａｅ、Ｚｙｇｎｅｍａｔｏｐｈｙｃｅａｅ、ＺｙｇｎｅｍａｔａｌｅｓＤｅｓｍｉｄｉａｌｅｓ、Ｃｈａｒｏｐｈｙｃｅａｅ、Ｃｈａｒａｌｅｓ、Ｃｈｌｏｒｏｋｙｂｏｐｈｙｃｅａｅ、Ｃｏｌｅｏｃｈａｅｔａｌｅｓ、Ｐｏｌｙｃｈａｅｔｏｐｈｏｒａ、Ｃｈａｅｔｏｓｐｈａｅｒｉｄｉｕｍ、Ｃｏｌｅｏｃｈａｅｔｏｐｈｙｃｅａｅ、Ｚｙｇｎｅｍａｔａｌｅｓ、Ｄｅｓｍｉｄｉａｌｅｓ、Ｂｒｙｏｐｈｙｔｅｓ、Ｍａｒｃｈａｎｔｉｏｐｈｙｔａ、Ｂｒｙｏｐｈｙｔａ、Ａｎｔｈｏｃｅｒｏｔｏｐｈｙｔａ、Ｈｏｒｎｅｏｐｈｙｔｏｐｓｉｄａ、Ｔｒａｃｈｅｏｐｈｙｔｅｓ、Ｒｈｙｎｉｏｐｈｙｔａ、Ｚｏｓｔｅｒｏｐｈｙｌｌｏｐｈｙｔａ、Ｌｙｃｏｐｏｄｉｏｐｈｙｔａ、Ｔｒｉｍｅｒｏｐｈｙｔｏｐｈｙｔａ、Ｐｔｅｒｉｄｏｐｈｙｔａ、Ｓｐｅｒｍａｔｏｐｈｙｔｅｓ、Ｐｔｅｒｉｄｏｓｐｅｒｍａｔｏｐｈｙｔａ、Ｐｉｎｏｐｈｙｔａ、Ｃｙｃａｄｏｐｈｙｔａ、Ｇｉｎｋｇｏｐｈｙｔａ、Ｇｎｅｔｏｐｈｙｔａ、またはＭａｇｎｏｌｉｏｐｈｙｔａ由来のものが含まれるが、これらに限定されない。これらの網、目、科、及び属の範囲内の様々な種を、本明細書に記載されている方法及びシステムを使用して、分析のために選択することができる。
【０１５３】
一部の例では、植物細胞小器官中の１つ以上の分析種は、本明細書に記載された方法及びシステムを使用して定量することができる。例えば、植物細胞小器官は、植物細胞核、核膜、核膜、小胞体、リボソーム、ミトコンドリア、液胞、葉緑体、細胞膜、または細胞壁を含み得るが、これらに限定されない。植物細胞小器官は、細胞の他の材料から分離することができるので、単離された植物細胞小器官の分析種を定量することができる。
【０１５４】
細胞が動物細胞である場合、動物細胞は、胚性幹細胞、成体幹細胞、組織特異的幹細胞、間葉系幹細胞、人工多能性幹細胞、上皮組織細胞、結合組織細胞、筋組織細胞、または神経組織細胞であってもよい。動物細胞は、外胚葉、内胚葉または中胚葉に由来し得る。外胚葉由来細胞には、皮膚細胞、下垂体前葉細胞、末梢神経系細胞、神経内分泌細胞、歯、眼細胞、中枢神経系細胞、上衣細胞、及び松果腺細胞が含まれるが、これらに限定されない。内胚葉由来細胞には、呼吸細胞、胃細胞、腸細胞、肝細胞、胆嚢細胞、膵臓外分泌細胞、ランゲルハンス島細胞、甲状腺細胞、及び尿路上皮細胞が含まれるが、これらに限定されない。中胚葉由来細胞には、骨軟骨前駆細胞、筋線維芽細胞、血管芽細胞、ストローマ細胞、Ｍａｃｕｌａ  ｄｅｎｓａ細胞、間質細胞、テロサイト、有足細胞、セルトリ細胞、ライディッヒ細胞、顆粒膜細胞、ペグ細胞、生殖細胞、造血幹細胞、リンパ系細胞、骨髄細胞、内皮前駆細胞、内皮コロニー形成細胞、内皮幹細胞、血管芽細胞／中胚葉性血管芽細胞、周皮細胞、及び壁細胞が含まれるが、これらに限定されない。
【０１５５】
ある場合には、動物細胞の細胞小器官が動物細胞の他の成分から単離され、次いで、単離された動物細胞小器官中の２種類以上の分析種が、本明細書に記載された方法及びシステムを使用して定量される。例えば、単離された細胞小器官は、動物細胞核、核膜、核膜、小胞体、筋小胞体、リボソーム、ミトコンドリア、液胞、リソソーム、または細胞膜を含み得るが、これらに限定されない。
【０１５６】
ウイルスが分析される場合、ウイルスは、例えば、二本鎖ＤＮＡウイルス、一本鎖ＤＮＡウイルス、二本鎖ＲＮＡウイルス、一本鎖プラス鎖ＲＮＡウイルス、一本鎖マイナス鎖ＲＮＡウイルス、一本鎖ＲＮＡ逆転写ウイルス（レトロウイルス）、または二本鎖ＤＮＡ逆転写ウイルスであってもよい。様々な特定のウイルスには、Ｐａｐｏｖａｖｉｒｉｄａｅ、Ａｄｅｎｏｖｉｒｉｄａｅ、Ｈｅｒｐｅｓｖｉｒｉｄａｅ、Ｈｅｒｐｅｓｖｉｒａｌｅｓ、Ａｓｃｏｖｉｒｉｄａｅ、Ａｍｐｕｌｌａｖｉｒｉｄａｅ、Ａｓｆａｒｖｉｒｉｄａｅ、Ｂａｃｕｌｏｖｉｒｉｄａｅ、Ｆｕｓｅｌｌｏｖｉｒｉｄａｅ、Ｇｌｏｂｕｌｏｖｉｒｉｄａｅ、Ｇｕｔｔａｖｉｒｉｄａｅ、Ｈｙｔｒｏｓａｖｉｒｉｄａｅ、Ｉｒｉｄｏｖｉｒｉｄａｅ、Ｌｉｐｏｔｈｒｉｘｖｉｒｉｄａｅ、Ｎｉｍａｖｉｒｉｄａｅ、Ｐｏｘｖｉｒｉｄａｅ、Ｔｅｃｔｉｖｉｒｉｄａｅ、Ｃｏｒｔｉｃｏｖｉｒｉｄａｅ、Ｓｕｌｆｏｌｏｂｕｓ、Ｃａｕｄｏｖｉｒａｌｅｓ、Ｃｏｒｔｉｃｏｖｉｒｉｄａｅ、Ｔｅｃｔｉｖｉｒｉｄａｅａ、Ｌｉｇａｍｅｎｖｉｒａｌｅｓ、Ａｍｐｕｌｌａｖｉｒｉｄａｅ、Ｂｉｃａｕｄａｖｉｒｉｄａｅ、Ｃｌａｖａｖｉｒｉｄａｅ、Ｆｕｓｅｌｌｏｖｉｒｉｄａｅ、Ｇｌｏｂｕｌｏｖｉｒｉｄａｅ、Ｇｕｔｔａｖｉｒｉｄａｅ、Ｔｕｒｒｉｖｉｒｉｄａｅ、Ａｓｃｏｖｉｒｕｓ、Ｂａｃｕｌｏｖｉｒｕｓ、Ｈｙｔｒｏｓａｖｉｒｉｄａｅ、Ｉｒｉｄｏｖｉｒｉｄａｅ、Ｐｏｌｙｄｎａｖｉｒｕｓｅｓ、Ｍｉｍｉｖｉｒｉｄａｅ、Ｍａｒｓｅｉｌｌｅｖｉｒｕｓ、Ｍｅｇａｖｉｒｕｓ、Ｍａｖｉｒｕｓヴィロファージ、Ｓｐｕｔｎｉｋヴィロファージ、Ｎｉｍａｖｉｒｉｄａｅ、Ｐｈｙｃｏｄｎａｖｉｒｉｄａｅ、プレオリポウイルス、Ｐｌａｓｍａｖｉｒｉｄａｅ、Ｐａｎｄｏｒａｖｉｒｉｄａｅ、Ｄｉｎｏｄｎａｖｉｒｕｓ、Ｒｈｉｚｉｄｉｏｖｉｒｕｓ、Ｓａｌｔｅｒｐｒｏｖｉｒｕｓ、Ｓｐｈａｅｒｏｌｉｐｏｖｉｒｉｄａｅ、Ａｎｅｌｌｏｖｉｒｉｄａｅ、Ｂｉｄｎａｖｉｒｉｄａｅ、Ｃｉｒｃｏｖｉｒｉｄａｅ、Ｇｅｍｉｎｉｖｉｒｉｄａｅ、Ｇｅｎｏｍｏｖｉｒｉｄａｅ、Ｉｎｏｖｉｒｉｄａｅ、Ｍｉｃｒｏｖｉｒｉｄａｅ、Ｎａｎｏｖｉｒｉｄａｅ、Ｐａｒｖｏｖｉｒｉｄａｅ、Ｓｐｉｒａｖｉｒｉｄａｅ、Ａｍａｌｇａｖｉｒｉｄａｅ、Ｂｉｒｎａｖｉｒｉｄａｅ、Ｃｈｒｙｓｏｖｉｒｉｄａｅ、Ｃｙｓｔｏｖｉｒｉｄａｅ、Ｅｎｄｏｒｎａｖｉｒｉｄａｅ、Ｈｙｐｏｖｉｒｉｄａｅ、Ｍｅｇａｂｉｒｎａｖｉｒｉｄａｅ、Ｐａｒｔｉｔｉｖｉｒｉｄａｅ、Ｐｉｃｏｂｉｒｎａｖｉｒｉｄａｅ、Ｑｕａｄｒｉｖｉｒｉｄａｅ、Ｒｅｏｖｉｒｉｄａｅ、Ｔｏｔｉｖｉｒｉｄａｅ、Ｎｉｄｏｖｉｒａｌｅｓ、Ｐｉｃｏｒｎａｖｉｒａｌｅｓ、Ｔｙｍｏｖｉｒａｌｅｓ、Ｍｏｎｏｎｅｇａｖｉｒａｌｅｓ、Ｂｏｒｎａｖｉｒｉｄａｅ、Ｆｉｌｏｖｉｒｉｄａｅ、Ｍｙｍｏｎａｖｉｒｉｄａｅ、Ｎｙａｍｉｖｉｒｉｄａｅ、Ｐａｒａｍｙｘｏｖｉｒｉｄａｅ、Ｐｎｅｕｍｏｖｉｒｉｄａｅ、Ｒｈａｂｄｏｖｉｒｉｄａｅ、Ｓｕｎｖｉｒｉｄａｅ、Ａｎｐｈｅｖｉｒｕｓ、Ａｒｌｉｖｉｒｕｓ、Ｃｈｅｎｇｔｉｖｉｒｕｓ、Ｃｒｕｓｔａｖｉｒｕｓ、Ｗａｓｔｒｉｖｉｒｕｓ、Ｂｕｎｙａｖｉｒａｌｅｓ、Ｆｅｒａｖｉｒｉｄａｅ、Ｆｉｍｏｖｉｒｉｄａｅ、Ｈａｎｔａｖｉｒｉｄａｅ、Ｊｏｎｖｉｒｉｄａｅ、Ｎａｉｒｏｖｉｒｉｄａｅ、Ｐｅｒｉｂｕｎｙａｖｉｒｉｄａｅ、Ｐｈａｓｍａｖｉｒｉｄａｅ、Ｐｈｅｎｕｉｖｉｒｉｄａｅ、Ｔｏｓｐｏｖｉｒｉｄａｅ、Ａｒｅｎａｖｉｒｉｄａｅ、Ｏｐｈｉｏｖｉｒｉｄａｅ、Ｏｒｔｈｏｍｙｘｏｖｉｒｉｄａｅ、Ｄｅｌｔａｖｉｒｕｓ、Ｔａａｓｔｒｕｐウイルス、Ａｌｐｈａｒｅｔｒｏｖｉｒｕｓ、トリ白血病ウイルス；ラウス肉腫ウイルス、Ｂｅｔａｒｅｔｒｏｖｉｒｕｓ、マウス乳癌ウイルス、Ｇａｍｍａｒｅｔｒｏｖｉｒｕｓ、マウス白血病ウイルス、ネコ白血病ウイルス、ウシ白血病ウイルス、ヒトＴリンパ球向性ウイルス、Ｅｐｓｉｌｏｎｒｅｔｒｏｖｉｒｕｓ、ウォールアイ皮膚肉腫ウイルス、Ｌｅｎｔｉｖｉｒｕｓ、ヒト免疫不全ウイルス１型、サル及びネコ免疫不全ウイルス、Ｓｐｕｍａｖｉｒｕｓ、サル泡沫状ウイルス、Ｏｒｔｈｏｒｅｔｒｏｖｉｒｉｎａｅ、Ｓｐｕｍａｒｅｔｒｏｖｉｒｉｎａｅ、Ｍｅｔａｖｉｒｉｄａｅ、Ｐｓｅｕｄｏｖｉｒｉｄａｅ、Ｒｅｔｒｏｖｉｒｉｄａｅ、Ｈｅｐａｄｎａｖｉｒｉｄａｅ、またはＣａｕｌｉｍｏｖｉｒｉｄａｅが含まれるが、これらに限定されない。これらの網、目、科、及び属の範囲内の様々な種を、本明細書に記載されている方法及びシステムを使用して、分析のために選択することができる。
【０１５７】
また、本明細書に記載された方法及びシステムは、コロイド中に存在する１種類、２種類、３種類、または３種類以上の分析種を測定するために使用することもできる。コロイドは、液体媒体中に分散された固体粒子の混合物を含み得る。固体粒子は、一般に、液体媒体に不溶であるが、液体媒体中に分散し、または懸濁したままである。コロイドの個々の固体粒子を、２種類以上の分析種の分析／検出に用いることができ、または固体粒子の混合物を、２種類以上の分析種の分析／検出に用いることができる。コロイドは、シェービングクリーム、ホイップクリーム、発泡スチロール、軽石、寒天、ゼラチン、ゼリー、ハンドクリーム、牛乳、マヨネーズ、顔料インク、血液、タバコ、雲状物、エアロゲル、ヒドロゲル、特定のケイ酸塩及びガラス、ならびに類似の材料を含む様々な素材において、食品科学、化粧品、及びパーソナルケア産業で普及している。
【０１５８】
本明細書に記載された態様、実施形態、及び構成のいくつかをさらに示すために、特定の具体的な実施例を説明する。
【０１５９】
実施例１
図１６を参照すると、過渡イベントの検出値が、単一分析種に対して完全に捕捉されたグラフが示されている。検出値にギャップがないため、過渡サンプル中に存在する単一の分析種の量を定量するための曲線を生成することができる。曲線のピークの高さ、もしくはピークの面積、またはその両方を使用して、サンプル中に存在する単一分析種の量を求めることができる。図１６に示すように、このような過渡イベントの持続時間は、４００マイクロ秒から数ミリ秒までの範囲の時間であり得る。このような速い過渡イベントは、単一分析種モードでは容易に処理して定量することができるが、過渡サンプル中の２種類以上の分析種の分析については、順次的な質量分析器が、あるアナライトから別のアナライトに切り替わりがあるために、定量化が困難になる場合がある。
【０１６０】
実施例２
図１７を参照すると、衝突反応セルにガスが導入されてセルを加圧するシミュレーションが示されている。衝突反応セルを加圧することにより、ガスとのイオン衝突を誘発して、イベントを低速にし、イベントの持続時間を長くする。軸方向電界強度を、ガスの密度／流量と併せて変更して、過渡イベントを複数回（少なくとも２回以上）サンプリングすることができる点まで、イベントの持続時間を長くすることができる。図１７に示すように、３５０マイクロ秒のシミュレートされたデータギャップ（これは、第２の分析種に切り替えてスキャン／検出を行い、切り替え戻すのにかかる時間であり得る）が想定される場合であっても、第１の分析種に対して１つ以上の非ゼロ検出値が得られる。このシミュレーションでは、衝突反応セルに導入された０．５ｍＬ／分のガス（ＮＨ３）、及び軸方向電極に供給された＋５０Ｖを使用した。
【０１６１】
実施例３
別のシミュレーションを行って、欠測検出値のギャップを伴う捕捉した検出値に、強度曲線を当てはめた。図１８に示すように、複分析種モードで捕捉した検出値（データ点が欠落している捕捉イベントとしてラベル付けされる）に、強度曲線を当てはめることができる。強度曲線の形状は、少なくとも部分的には、単一分析種モードで得られた曲線の形状に基づいてもよいし、または適切な曲線を捕捉したデータ点に当てはめることに基づいてもよい。
【０１６２】
本明細書に開示された例の要素を紹介する際に、冠詞「ａ」、「ａｎ」、「ｔｈｅ」、及び「ｓａｉｄ」は、１つ以上の要素が存在することを意味することが意図されている。「備える」、「含む」、及び「有する」という用語は、非制限的であることを意図しており、記載された要素以外の追加の要素が存在し得ることを意味する。本開示の利点を考慮すれば、本例の様々な構成要素を、他の例の様々な構成要素と交換または置換し得ることが、当業者によって認識されるであろう。
【０１６３】
以上、特定の態様、構成、実施例、及び実施形態について説明してきたが、本開示の利益を考慮すると、開示された説明的な態様、構成、実施例、及び実施形態の追加、置換、修正、及び変更が可能であることを、当業者であれば認識されるであろう。
【図１】
2021511487.tif 000003
【図２】
2021511487.tif 000004
【図３】
2021511487.tif 000005
【図４】
2021511487.tif 000006
【図５】
2021511487.tif 000007
【図６】
2021511487.tif 000008
【図７Ａ】
2021511487.tif 000009
【図７Ｂ】
2021511487.tif 000010
【図７Ｃ】
2021511487.tif 000011
【図８】
2021511487.tif 000012
【図９】
2021511487.tif 000013
【図１０】
2021511487.tif 000014
【図１１Ａ】
2021511487.tif 000015
【図１１Ｂ】
2021511487.tif 000016
【図１２Ａ】
2021511487.tif 000017
【図１２Ｂ】
2021511487.tif 000018
【図１３】
2021511487.tif 000019
【図１４】
2021511487.tif 000020
【図１５】
2021511487.tif 000021
【図１６】
2021511487.tif 000022
【図１７】
2021511487.tif 000023
【図１８】
2021511487.tif 000024
【国際調査報告】
2021511487.tif 000025
2021511487.tif 000026
2021511487.tif 000027
2021511487.tif 000028
2021511487.tif 000029